(57)【特許請求の範囲】
【請求項１】
目標印刷物と印刷装置により印刷された印刷物とを第１の解像度により読み取って、前記目標印刷物の読取画像を表す目標印刷物読取画像データであり前記第１の解像度を有する目標印刷物読取画像データ、及び前記印刷物の読取画像を表す印刷物読取画像データであり前記第１の解像度を有する印刷物読取画像データを取得する画像読取部と、
前記画像読取部から得られるデバイス依存色空間である第１の色空間の信号値とデバイス非依存色空間である第２の色空間の色度値との対応関係を表す第１の色変換テーブルを用いて、前記第１の色空間における信号値を前記第２の色空間における信号値に変換する第１の色変換部と、
入力色変換テーブルと出力色変換テーブルを用いて、デバイス依存色空間である第３の色空間の信号値で表される原稿画像データであり第２の解像度を有する原稿画像を表す原稿画像データを、前記原稿画像データが有する解像度と同一解像度を有する印刷画像データ、又は前記原稿画像データが有する解像度と異なる解像度を有する印刷画像データに変換する第２の色変換部と、
前記印刷画像データに従って前記印刷装置により印刷された前記印刷物を前記画像読取部で読み取ることで得られる前記第１の色空間の信号値で表される前記印刷物読取画像データと前記原稿画像データとの位置関係を対応付ける処理、及び前記目標印刷物を前記画像読取部で読み取ることで得られる前記第１の色空間の信号値で表される目標印刷物読取画像データと前記原稿画像データとの位置関係を対応付ける処理を行う画像対応付け部、又は前記第１の色変換部によって前記印刷物読取画像データの信号値を前記第２の色空間の色度値に変換して得られる印刷物読取色度値画像データと前記原稿画像データとの位置関係を対応付ける処理、及び前記第１の色変換部によって前記目標印刷物読取画像データの信号値を前記第２の色空間における色度値に変換して得られる目標印刷物読取色度値画像データと前記原稿画像データとの位置関係を対応付ける処理を行う画像対応付け部と、
前記画像対応付け部により前記原稿画像データとの位置関係が対応付けられた前記目標印刷物読取画像データから第１の解像度未満の第３の解像度を有する低解像度目標印刷物読取画像データを作成する第１の低解像度画像作成部、又は前記画像対応付け部により前記原稿画像データとの位置関係が対応付けられた前記目標印刷物読取色度値画像データから第１の解像度未満の第３の解像度を有する低解像度目標印刷物読取色度値画像データを作成する第１の低解像度画像作成部と、
前記原稿画像データから前記第２の解像度未満の第４の解像度を有する低解像度原稿画像データを作成する第２の低解像度画像作成部と、
前記画像対応付け部により前記原稿画像データとの位置関係が対応付けられた前記印刷物読取画像データから第１の解像度未満の前記第３の解像度を有する低解像度印刷物読取画像データを作成する第３の低解像度画像作成部、又は前記画像対応付け部により前記原稿画像データとの位置関係が対応付けられた前記印刷物読取色度値画像データから、第１の解像度未満の前記第３の解像度を有する低解像度印刷物読取色度値画像データを作成する第３の低解像度画像作成部と、
前記原稿画像データの信号値と、前記画像対応付け部、及び前記第１の色変換部の処理を経て得られる前記目標印刷物の色度値と、前記画像対応付け部、及び前記第１の色変換部の処理を経て得られる前記印刷物の色度値と、の対応関係である第１の色情報間対応関係、及び前記低解像度原稿画像データの信号値と、前記画像対応付け部、前記第１の低解像度画像作成部、及び前記第１の色変換部の処理を経て得られる前記目標印刷物の色度値と、前記画像対応付け部、前記第３の低解像度画像作成部、及び前記第１の色変換部の処理を経て得られる前記印刷物の色度値と、の対応関係である第２の色情報間対応関係から、前記目標印刷物の色度値と前記印刷物の色度値との差分を基に、前記第２の色変換部に用いる色変換テーブルを作成する色変換テーブル作成部と、
を備える色変換テーブル作成装置。
【請求項２】
前記色変換テーブル作成部は、前記第１の色情報間対応関係を作成する第１の色情報間対応関係作成部と、
前記第２の色情報間対応関係を作成する第２の色情報間対応関係作成部と、
前記第１の色情報間対応関係、及び前記第２の色情報間対応関係から、前記第１の色情報間対応関係、及び前記第２の色情報間対応関係について共通する前記原稿画像データの信号値と、前記目標印刷物の色度値と、前記印刷物の色度値との対応関係を表す第３の色情報間対応関係を作成する第３の色情報間対応関係作成部と、
を具備する色変換データ作成部を備える請求項１に記載の色変換テーブル作成装置。
【請求項３】
前記第１の色情報間対応関係作成部は、前記原稿画像データと前記画像対応付け部、及び前記第１の色変換部の処理を経て得られる前記目標印刷物の色度値である目標色度値との対応関係、及び前記原稿画像データと前記画像対応付け部、及び前記第１の色変換部の処理を経て得られる前記印刷物の色度値である印刷色度値との対応関係から、前記原稿画像データの信号値が一致する前記目標色度値と前記印刷色度値を用いて前記第１の色情報間対応関係を作成する請求項２に記載の色変換テーブル作成装置。
【請求項４】
前記第２の色情報間対応関係作成部は、前記低解像度原稿画像データと前記画像対応付け部、前記第１の低解像度画像作成部、及び前記第１の色変換部の処理を経て得られる前記目標印刷物の色度値である低解像度目標色度値との対応関係、及び前記原稿画像データと前記画像対応付け部、前記第３の低解像度画像作成部、及び前記第１の色変換部の処理を経て得られる前記印刷物の色度値である低解像度印刷色度値との対応関係から、前記原稿画像データの信号値が一致する前記目標色度値と前記低解像度目標色度値、及び前記原稿画像データの信号値が一致する前記印刷色度値と前記低解像度印刷色度値から前記第２の色情報間対応関係を作成する請求項３に記載の色変換テーブル作成装置。
【請求項５】
前記第３の色情報間対応関係作成部は、前記第１の色情報間対応関係、及び前記第２の色情報間対応関係について共通する前記原稿画像データの信号値について、前記第１の色情報間対応関係における前記目標色度値、及び前記印刷色度値を用いて前記第３の色情報間対応関係を作成する請求項３又は４に記載の色変換テーブル作成装置。
【請求項６】
前記第３の色情報間対応関係作成部は、前記第１の色情報間対応関係、及び前記第２の色情報間対応関係について共通する前記原稿画像データの信号値について、前記第１の色情報間対応関係における前記目標色度値と前記第２の色情報間対応関係における前記目標色度値との平均値、及び前記第１の色情報間対応関係における前記印刷色度値と前記第２の色情報間対応関係における前記印刷色度値との平均値を用いて前記第３の色情報間対応関係を作成する請求項３又は４に記載の色変換テーブル作成装置。
【請求項７】
目標印刷物と印刷装置により印刷された印刷物とを第１の解像度により読み取って、前記目標印刷物の読取画像を表す目標印刷物読取画像データであり前記第１の解像度を有する目標印刷物読取画像データ、及び前記印刷物の読取画像を表す印刷物読取画像データであり前記第１の解像度を有する印刷物読取画像データを取得する画像読取部と、
第２の解像度を有する原稿画像を表す原稿画像データから前記第２の解像度未満の第６の解像度を有する原稿画像を表す中間解像度原稿画像データを作成する第４の低解像度画像作成部と、
前記目標印刷物読取画像データから第１の解像度未満の第５の解像度を有する中間解像度目標印刷物読取画像データを作成し、又は前記印刷物読取画像データから第１の解像度未満の第５の解像度を有する中間解像度印刷物読取画像データを作成する第５の低解像度画像作成部と、
前記画像読取部から得られるデバイス依存色空間である第１の色空間の信号値とデバイス非依存色空間である第２の色空間の色度値との対応関係を表す第１の色変換テーブルを用いて、前記第１の色空間における信号値を前記第２の色空間における信号値に変換する第１の色変換部と、
入力色変換テーブルと出力色変換テーブルを用いて、デバイス依存色空間である第３の色空間の信号値で表される前記原稿画像データを、前記原稿画像データが有する解像度と同一の解像度を有する印刷画像データ、又は前記原稿画像データが有する解像度と異なる解像度を有する印刷画像データに変換する第２の色変換部と、
前記印刷画像データに従って前記印刷装置により印刷された前記印刷物を前記画像読取部で読み取ることで得られる前記第１の色空間の信号値で表される印刷物読取画像データに対して前記第５の低解像度画像作成部による低解像度化処理を施して得られた中間解像度印刷物読取画像データと、前記第３の色空間の信号値で表される原稿画像データであり第２の解像度を有する原稿画像を表す前記原稿画像データに対して前記第４の低解像度画像作成部による低解像度化処理を施して得られた中間解像度原稿画像データとの位置関係を対応付ける処理、及び前記目標印刷物を前記画像読取部で読み取ることで得られる前記第１の色空間の信号値で表される目標印刷物読取画像データに対して前記第５の低解像度画像作成部による低解像度化処理を施して得られた中間解像度目標印刷物読取画像データと、前記中間解像度原稿画像データとの位置関係を対応付ける処理を行う画像対応付け部、又は、前記第１の色変換部、及び前記第５の低解像度画像作成部による処理を経て得られた中間解像度印刷物読取色度値画像データと、前記中間解像度原稿画像データとの位置関係を対応付ける処理、及び前記第１の色変換部、及び前記第５の低解像度画像作成部による処理を経て得られた中間解像度目標印刷物読取色度値画像データと、前記中間解像度原稿画像データとの位置関係を対応付ける処理を行う画像対応付け部と、
前記画像対応付け部により前記中間解像度原稿画像データとの位置関係が対応付けられた前記中間解像度目標印刷物読取画像データから第５の解像度未満の第３の解像度を有する低解像度印刷物読取画像データを作成する第１の低解像度画像作成部、又は前記画像対応付け部により前記中間解像度原稿画像データとの位置関係が対応付けられた前記中間解像度目標印刷物読取色度値画像データから第５の解像度未満の第３の解像度を有する低解像度印刷物読取色度値画像データを作成する第１の低解像度画像作成部と、
前記中間解像度原稿画像データから前記第６の解像度未満の第４の解像度を有する低解像度原稿画像データを作成する第２の低解像度画像作成部と、
前記画像対応付け部により前記中間解像度原稿画像データとの位置関係が対応付けられた前記中間解像度印刷物読取画像データから第５の解像度未満の前記第３の解像度を有する低解像度印刷物読取画像データを作成する第３の低解像度画像作成部、又は前記画像対応付け部により前記中間解像度原稿画像データとの位置関係が対応付けられた前記中間解像度印刷物読取色度値画像データから第５の解像度未満の前記第３の解像度を有する低解像度印刷物読取色度値画像データを作成する第３の低解像度画像作成部と、
前記原稿画像データの信号値と、前記第５の低解像度画像作成部、前記画像対応付け部、及び前記第１の色変換部の処理を経て得られる前記目標印刷物の色度値と、前記第５の低解像度画像作成部、前記画像対応付け部、及び前記第１の色変換部の処理を経て得られる前記印刷物の色度値と、の対応関係である第４の色情報間対応関係、及び前記低解像度原稿画像データの信号値と、前記第５の低解像度画像作成部、前記画像対応付け部、前記第１の低解像度画像作成部、及び前記第１の色変換部の処理を経て得られる前記目標印刷物の色度値と、前記第５の低解像度画像作成部、前記画像対応付け部、前記第３の低解像度画像作成部、及び前記第１の色変換部の処理を経て得られる前記印刷物の色度値と、の対応関係である第５の色情報間対応関係から、前記目標印刷物の色度値と前記印刷物の色度値との差分を基に、前記第２の色変換部に用いる色変換テーブルを作成する色変換テーブル作成部と、
を備える色変換テーブル作成装置。
【請求項８】
前記色変換テーブル作成部は、前記第４の色情報間対応関係を作成する第４の色情報間対応関係作成部と、
前記第５の色情報間対応関係を作成する第５の色情報間対応関係作成部と、
前記第４の色情報間対応関係、及び前記第５の色情報間対応関係から、前記第４の色情報間対応関係、及び前記第５の色情報間対応関係について共通する前記原稿画像データの信号値と、前記目標印刷物の色度値と、前記印刷物の色度値との対応関係を表す第６の色情報間対応関係を作成する第６の色情報間対応関係作成部と、
を具備する色変換データ作成部を備える請求項７に記載の色変換テーブル作成装置。
【請求項９】
前記第４の色情報間対応関係作成部は、前記原稿画像データと画像対応付け部、及び前記第１の色変換部の処理を経て得られる前記目標印刷物の色度値である目標色度値との対応関係、及び前記原稿画像データと画像対応付け部、及び前記第１の色変換部の処理を経て得られる前記印刷物の色度値である印刷色度値との対応関係から、前記原稿画像データの信号値が一致する前記目標色度値と、前記印刷色度値から前記第４の色情報間対応関係を作成する請求項８に記載の色変換テーブル作成装置。
【請求項１０】
前記第５の色情報間対応関係作成部は、前記低解像度原稿画像データと前記画像対応付け部、前記第３の低解像度画像作成部、及び前記第１の色変換部の処理を経て得られる前記目標印刷物の色度値である低解像度目標色度値との対応関係、及び前記原稿画像データと前記画像対応付け部、前記第３の低解像度画像作成部、及び前記第１の色変換部の処理を経て得られる前記印刷物の色度値である低解像度印刷色度値との対応関係から、前記原稿画像データの信号値が一致する前記目標色度値と前記低解像度目標色度値、及び前記原稿画像データの信号値が一致する前記印刷色度値と前記低解像度印刷色度値から前記第５の色情報間対応関係を作成する請求項９に記載の色変換テーブル作成装置。
【請求項１１】
前記第６の色情報間対応関係作成部は、前記第４の色情報間対応関係、及び前記第５の色情報間対応関係作成部について共通する前記原稿画像データの信号値について、前記第４の色情報間対応関係における前記目標色度値、及び前記印刷色度値を用いて前記第６の色情報間対応関係を作成する請求項９又は１０に記載の色変換テーブル作成装置。
【請求項１２】
前記第６の色情報間対応関係作成部は、前記第４の色情報間対応関係、及び前記第５の色情報間対応関係作成部について共通する前記原稿画像データの信号値について、前記第４の色情報間対応関係における前記目標色度値と前記第５の色情報間対応関係における前記目標色度値との平均値、及び前記第４の色情報間対応関係における前記印刷色度値と前記第５の色情報間対応関係における前記印刷色度値との平均値を用いて前記第６の色情報間対応関係を作成する請求項９又は１０に記載の色変換テーブル作成装置。
【請求項１３】
前記第５の解像度と前記第６の解像度とが同一の解像度である請求項７から１２のいずれか一項に記載の色変換テーブル作成装置。
【請求項１４】
前記第３の解像度と前記第４の解像度とが同一の解像度である請求項１から１３のいずれか一項に記載の色変換テーブル作成装置。
【請求項１５】
前記第１の解像度と前記第２の解像度とが同一の解像度である請求項１から１４のいずれか一項に記載の色変換テーブル作成装置。
【請求項１６】
前記画像対応付け部は、
前記原稿画像データと前記目標印刷物読取画像データとの位置関係を特定する位置合わせの処理、又は前記原稿画像データと前記印刷物読取画像データとの位置関係を特定する位置合わせの処理を行う画像位置合わせ部と、
前記位置合わせの処理がされた原稿画像データと、前記目標印刷物読取画像データと、前記印刷物読取画像データとの対応する画像位置から色情報を取得する色抽出部と、
を備える請求項１から６のいずれか一項に記載の色変換テーブル作成装置。
【請求項１７】
前記色抽出部は、低解像度化処理前の前記原稿画像データ、前記目標印刷物読取画像データ、及び前記印刷物読取画像データから色情報を取得する第１の色抽出部と、
低解像度化処理後の前記原稿画像データ、前記目標印刷物読取画像データ、及び前記印刷物読取画像データから色情報を取得する第２の色抽出部と、
を備え、
前記色変換テーブル作成部は、前記第１の色抽出部により取得した色情報を基に特定される前記第１の色情報間対応関係と、前記第２の色抽出部により取得した色情報を基に特定される前記第２の色情報間対応関係と、を用いて多次元の対応関係を示す色変換テーブルを作成する請求項１６に記載の色変換テーブル作成装置。
【請求項１８】
前記画像対応付け部は、
前記原稿画像データと前記目標印刷物読取画像データとの位置関係を特定する位置合わせの処理、又は前記原稿画像データと前記印刷物読取画像データとの位置関係を特定する位置合わせの処理を行う画像位置合わせ部と、
前記位置合わせの処理がされた原稿画像データと、前記目標印刷物読取画像データと、前記印刷物読取画像データとの対応する画像位置から色情報を取得する色抽出部と、
を備える請求項７から１３のいずれか一項に記載の色変換テーブル作成装置。
【請求項１９】
前記色抽出部は、低解像度化処理前の前記原稿画像データ、前記目標印刷物読取画像データ、及び前記印刷物読取画像データから色情報を取得する第１の色抽出部と、
低解像度化処理後の前記原稿画像データ、前記目標印刷物読取画像データ、及び前記印刷物読取画像データから色情報を取得する第２の色抽出部と、
を備え、
前記色変換テーブル作成部は、前記第１の色抽出部により取得した色情報を基に特定される前記第４の色情報間対応関係と、前記第２の色抽出部により取得した色情報を基に特定される前記第５の色情報間対応関係と、を用いて多次元の対応関係を示す色変換テーブルを作成する請求項１８に記載の色変換テーブル作成装置。
【請求項２０】
前記色変換テーブル作成部は、複数の目標印刷物と各目標印刷物に対応した原稿画像データとを基に、それぞれ作成された複数の対応関係から、単一の多次元の対応関係を示す色変換テーブルを作成する請求項１から１９のいずれか一項に記載の色変換テーブル作成装置。
【請求項２１】
前記色変換テーブル作成部は、前記目標印刷物の色度値と前記印刷の色度値の差分を取得する差分色度値演算部を備える請求項１から２０のいずれか一項に記載の色変換テーブル作成装置。
【請求項２２】
前記色変換テーブル作成部は、前記原稿画像データと前記目標印刷物の色度値と前記印刷物の色度値との対応関係に基づき、前記入力色変換テーブル又は前記出力色変換テーブルを修正することで前記第２の色変換部に用いる色変換テーブルを作成する請求項１から２１のいずれか一項に記載の色変換テーブル作成装置。
【請求項２３】
前記色変換テーブル作成部は、前記原稿画像データと前記目標印刷物の色度値と前記印刷物の色度値との対応関係に基づき、前記入力色変換テーブルの出力値を補正する色補正テーブルを作成する請求項１から２２のいずれか一項に記載の色変換テーブル作成装置。
【請求項２４】
色再現特性の異なる複数の入力色変換テーブルが格納される入力色変換テーブルデータベースと、
前記入力色変換テーブルデータベースに格納されている前記複数の入力色変換テーブルの中から、前記原稿画像データと前記目標印刷物の色度値との対応関係に基づいて、前記第２の色変換部に適用する一つの入力色変換テーブルを選択する処理を行う入力色変換テーブル選択部と、
を備える請求項１から２３のいずれか一項に記載の色変換テーブル作成装置。
【請求項２５】
前記目標印刷物と、前記印刷物と、前記目標印刷物及び前記印刷物とは別の色見本と、のうち少なくとも一つを測色対象として測色を行うことにより、前記測色対象の測色値を取得する測色部と、
前記測色部で測色値を取得した前記原稿画像データ上の位置に対応する原稿画像信号を取得する測色対象原稿画像信号取得部、及び前記測色部で測色値を取得した前記目標印刷物読取画像データの上の位置に対応する読取画像信号、又は前記印刷物読取画像データの上の位置に対応する読取画像信号を取得する測色対象読取画像信号取得部のうち少なくとも一つを含む測色対象画像信号取得部と、
を備える請求項１から２３のいずれか一項に記載の色変換テーブル作成装置。
【請求項２６】
前記第１の色変換部による色変換の結果に対して、前記測色部で測色値を取得した前記原稿画像データの位置に対応する色度値を、前記測色部で取得した測色値で置き換える色度値置換部を備える請求項２５に記載の色変換テーブル作成装置。
【請求項２７】
前記第１の色変換テーブルとして適用できる複数の色変換テーブルが格納される第１の色変換テーブルデータベースと、
前記第１の色変換テーブルデータベースに格納されている前記複数の色変換テーブルの中から一つの色変換テーブルを選択する第１の色変換テーブル選択部と、
を備え、
前記複数の色変換テーブルは、印刷装置による印刷物の作成に使用される色材種と基材種の組み合わせごとの前記画像読取部の読取信号と色度値の対応関係を表す色変換テーブルを含み、
前記第１の色変換テーブル選択部は、前記測色部で測色値を取得した前記目標印刷物読取画像データの上の位置に対応する読取画像信号、又は前記印刷物読取画像データの上の位置に対応する読取画像信号と、前記測色部で取得した測色値との対応関係に基づいて、前記複数の色変換テーブルの中から一つの色変換テーブルを選択する処理を行う請求項２５又は２６に記載の色変換テーブル作成装置。
【請求項２８】
前記測色部で測色値を取得した前記目標印刷物読取画像データの上の位置に対応する読取画像信号、又は前記印刷物読取画像データの上の位置に対応する読取画像信号と、前記測色部で取得した測色値との対応関係に基づいて、前記第１の色変換テーブルを補正する第１の色変換テーブル補正部を備える請求項２５から２７のいずれか一項に記載の色変換テーブル作成装置。
【請求項２９】
デバイス依存色空間である第３の色空間の信号値で表される前記原稿画像データと前記画像対応付け部及び前記第１の色変換部による処理を経て得られる前記目標印刷物の読取画像の色度値との対応関係に基づいて、前記原稿画像データの前記第３の色空間と前記第２の色空間との多次元の対応関係を表す第２の色変換テーブルを作成する第３の色変換テーブル作成部を備え、
前記第３の色変換テーブル作成部により作成した前記第２の色変換テーブルを、前記第２の色変換部の入力色変換テーブルとして使用する請求項１から２８のいずれか一項に記載の色変換テーブル作成装置。
【請求項３０】
前記画像対応付け部は、前記目標印刷物読取画像データ、又は前記印刷物読取画像データの中から前記原稿画像データと対応する部分画像を抜き出す処理を行う画像抜き出し部を有する請求項１から２９のいずれか一項に記載の色変換テーブル作成装置。
【請求項３１】
前記画像対応付け部は、前記位置関係を対応付ける処理が行われた前記原稿画像データ及び前記目標印刷物読取画像データのそれぞれから、又は前記位置関係を対応付ける処理が行われた前記原稿画像データ及び前記印刷物読取画像データのそれぞれから、対応する色情報を抽出する色抽出処理を行う請求項１から３０のいずれか一項に記載の色変換テーブル作成装置。
【請求項３２】
前記色抽出処理は、
前記原稿画像データに着目領域を設定する処理と、
前記着目領域が第１の抽出条件を満たすか否かを判別する処理と、
前記第１の抽出条件を満たす前記着目領域の中から前記色情報としての前記原稿画像データの信号値を抽出し、かつ、前記位置関係を対応付ける処理が行われた前記目標印刷物読取画像データ、又は前記印刷物読取画像データにおける前記第１の抽出条件を満たす前記着目領域に対応する位置の領域から前記色情報としての前記目標印刷物読取画像データの信号値、又は前記印刷物読取画像データの信号値を抽出する対応関係色情報抽出処理と、を含む請求項３１に記載の色変換テーブル作成装置。
【請求項３３】
前記第１の抽出条件は、前記着目領域内での色の差が、許容範囲として規定された第１の抽出用閾値以下であること、という条件を含む請求項３２に記載の色変換テーブル作成装置。
【請求項３４】
前記色抽出処理は、前記着目領域が第２の抽出条件を満たすか否かを判別する処理を含み、
前記対応関係色情報抽出処理として、前記第１の抽出条件を満たし、かつ、前記第２の抽出条件を満たす前記着目領域の中から前記色情報としての前記目標印刷物読取画像データの信号値、又は前記印刷物読取画像データの信号値を抽出し、かつ、前記位置関係を対応付ける処理が行われた前記目標印刷物読取画像データ、又は前記印刷物読取画像データにおける前記第１の抽出条件及び前記第２の抽出条件を満たす前記着目領域に対応する位置の領域
から前記色情報としての前記目標印刷物読取画像データの信号値、又は前記印刷物読取画像データの信号値を抽出する処理を含む請求項３２又は３３に記載の色変換テーブル作成装置。
【請求項３５】
前記第２の抽出条件は、前記第１の抽出条件を満たす前記着目領域に対応する位置の領域内に前記目標印刷物読取画像データ、又は前記印刷物読取画像データが存在すること、かつ、前記第１の抽出条件を満たす前記着目領域に対応する位置の前記目標印刷物読取画像データの領域内、又は前記印刷物読取画像データの領域内に画像欠陥が非存在であること、という条件を含む請求項３４に記載の色変換テーブル作成装置。
【請求項３６】
前記色抽出処理は、前記着目領域が第３の抽出条件を満たすか否かを判別する処理を含み、
前記対応関係色情報抽出処理として、前記第１の抽出条件を満たし、かつ、前記第３の抽出条件を満たす前記着目領域の中から前記色情報としての前記原稿画像データの信号値を抽出し、かつ、前記位置関係を対応付ける処理が行われた前記目標印刷物読取画像データ、又は前記印刷物読取画像データにおける前記第１の抽出条件を満たす前記着目領域に対応する位置の領域から前記色情報としての前記目標印刷物読取画像データの信号値、又は前記印刷物読取画像データの信号値を抽出する処理が行われ、
前記第３の抽出条件として、表面加工が無い非表面加工領域であること、又は、表面加工が有る表面加工領域であること、のいずれか一方の条件が定められる請求項３３から３５のいずれか一項に記載の色変換テーブル作成装置。
【請求項３７】
前記画像対応付け部は、前記位置関係を対応付ける処理が行われた前記原稿画像データ及び前記第２の色空間の色度値で表された読取色度値画像データのそれぞれから、対応する色情報を抽出する色抽出処理を行う請求項１から３０のいずれか一項に記載の色変換テーブル作成装置。
【請求項３８】
前記色抽出処理は、
前記原稿画像データに着目領域を設定する処理と、
前記着目領域が第１の抽出条件を満たすか否かを判別する処理と、
前記第１の抽出条件を満たす前記着目領域の中から前記色情報としての前記原稿画像データの信号値を抽出し、かつ、前記位置関係を対応付ける処理が行われた前記読取色度値画像データにおける前記第１の抽出条件を満たす前記着目領域に対応する位置の領域から前記色情報としての前記読取色度値画像データの色度値を抽出する対応関係色情報抽出処理と、を含む請求項３７に記載の色変換テーブル作成装置。
【請求項３９】
前記第１の抽出条件は、前記着目領域内での色の差が、許容範囲として規定された第１の抽出用閾値以下であること、という条件を含む請求項３８に記載の色変換テーブル作成装置。
【請求項４０】
前記色抽出処理は、前記着目領域が第２の抽出条件を満たすか否かを判別する処理を含み、
前記対応関係色情報抽出処理として、前記第１の抽出条件を満たし、かつ、前記第２の抽出条件を満たす前記着目領域の中から前記色情報としての前記原稿画像データの信号値を抽出し、かつ、前記位置関係を対応付ける処理が行われた前記読取色度値画像データにおける前記第１の抽出条件及び前記第２の抽出条件を満たす前記着目領域に対応する位置の領域から前記色情報としての前記読取色度値画像データの色度値を抽出する処理を含む請求項３８又は３９に記載の色変換テーブル作成装置。
【請求項４１】
前記第２の抽出条件は、前記第１の抽出条件を満たす前記着目領域に対応する位置の領域内に前記目標印刷物読取画像データ、又は前記印刷物読取画像データが存在すること、かつ、前記第１の抽出条件を満たす前記着目領域に対応する位置の前記目標印刷物読取画像データの領域内、又は前記印刷物読取画像データの領域内に画像欠陥が非存在であること、という条件を含む請求項４０に記載の色変換テーブル作成装置。
【請求項４２】
前記色抽出処理は、前記着目領域が第３の抽出条件を満たすか否かを判別する処理を含み、
前記対応関係色情報抽出処理として、前記第１の抽出条件を満たし、かつ、前記第３の抽出条件を満たす前記着目領域の中から前記色情報としての前記原稿画像データの信号値を抽出し、かつ、前記位置関係を対応付ける処理が行われた前記読取色度値画像データにおける前記第１の抽出条件及び前記第３の抽出条件を満たす前記着目領域に対応する位置の領域から前記色情報としての前記読取色度値画像データの色度値を抽出する処理が行われ、
前記第３の抽出条件として、表面加工が無い非表面加工領域であること、又は、表面加工が有る表面加工領域であること、のいずれか一方の条件が定められる請求項３８から４０のいずれか一項に記載の色変換テーブル作成装置。
【請求項４３】
前記画像読取部として、前記目標印刷物を読み取る第１の画像読取部と、前記印刷装置により印刷された前記印刷物を読み取る第２の画像読取部とを備えている請求項１から４２のいずれか一項に記載の色変換テーブル作成装置。
【請求項４４】
入力色変換テーブルと出力色変換テーブルを用いて原稿画像データを、前記原稿画像データが有する解像度と同一解像度を有する印刷画像データ、又は前記原稿画像データが有する解像度と異なる解像度を有する印刷画像データに色変換する原稿画像色変換工程と、
前記印刷画像データに従って印刷装置により印刷物を印刷する印刷工程と、
画像読取部によって前記印刷物を第１の解像度により読み取って前記印刷物の読取画像を表す印刷物読取画像データであり前記第１の解像度を有する印刷物読取画像データを取得する工程と、
前記画像読取部によって目標印刷物を第１の解像度により読み取って前記目標印刷物の読取画像を表す目標印刷物読取画像データであり前記第１の解像度を有する目標印刷物読取画像データを取得する工程と、
前記画像読取部から得られるデバイス依存色空間である第１の色空間の信号値と、デバイス非依存色空間である第２の色空間の色度値との対応関係を表す第１の色変換テーブルを用いて、前記第１の色空間の信号値を前記第２の色空間の色度値に変換する読取画像色変換工程と、
前記印刷物を前記画像読取部で読み取ることで得られる前記第１の色空間の信号値で表される前記印刷物読取画像データと、デバイス依存色空間である第３の色空間の信号値で表される原稿画像データであり第２の解像度を有する原稿画像を表す前記原稿画像データとの位置関係を対応付ける処理、及び前記目標印刷物を前記画像読取部で読み取ることで得られる前記第１の色空間の信号値で表される前記目標印刷物読取画像データと前記原稿画像データとの位置関係を対応付ける処理を行う画像対応付け工程、又は前記読取画像色変換工程によって前記印刷物読取画像データの信号値を前記第２の色空間の色度値に変換して得られる印刷物読取色度値画像データと前記原稿画像データとの位置関係を対応付ける処理、及び前記読取画像色変換工程によって前記目標印刷物読取画像データの信号値を前記第２の色空間の色度値に変換して得られる目標印刷物読取色度値画像データと前記原稿画像データとの位置関係を対応付ける処理を行う画像対応付け工程と、
前記画像対応付け工程により前記原稿画像データとの位置関係が対応付けられた前記目標印刷物読取画像データから第１の解像度未満の第３の解像度を有する低解像度目標印刷物読取画像データを作成する第１の低解像度画像作成工程、又は前記画像対応付け工程により前記原稿画像データとの位置関係が対応付けられた前記目標印刷物読取色度値画像データから第１の解像度未満の第３の解像度を有する低解像度目標印刷物読取色度値画像データを作成する第１の低解像度画像作成工程と、
前記原稿画像データから前記第２の解像度未満の第４の解像度を有する低解像度原稿画像データを作成する第２の低解像度画像作成工程と、
前記画像対応付け工程により前記原稿画像データとの位置関係が対応付けられた前記印刷物読取画像データから第１の解像度未満の前記第３の解像度を有する低解像度印刷物読取画像データを作成する第３の低解像度画像作成工程、又は前記画像対応付け工程により前記原稿画像データとの位置関係が対応付けられた前記印刷物読取色度値画像データから第１の解像度未満の前記第３の解像度を有する低解像度印刷物読取色度値画像データを作成する第３の低解像度画像作成工程と、
前記原稿画像データの信号値と、前記画像対応付け工程、及び前記読取画像色変換工程の処理を経て得られる前記目標印刷物の色度値と、前記画像対応付け工程、及び前記読取画像色変換工程の処理を経て得られる前記印刷物の色度値と、の対応関係である第１の色情報間対応関係、及び前記低解像度原稿画像データの信号値と、前記画像対応付け工程、前記第１の低解像度画像作成工程、及び前記読取画像色変換工程の処理を経て得られる前記目標印刷物の色度値と、前記画像対応付け工程、前記第３の低解像度画像作成工程、及び前記読取画像色変換工程の処理を経て得られる前記印刷物の色度値と、の対応関係である第２の色情報間対応関係から、前記目標印刷物の色度値と前記印刷物の色度値との差分を基に、前記原稿画像色変換工程に用いる色変換テーブルを作成する色変換テーブル作成工程と、
を含む色変換テーブル作成方法。
【請求項４５】
入力色変換テーブルと出力色変換テーブルを用いて原稿画像データを、前記原稿画像データが有する解像度と同一解像度を有する印刷画像データ、又は前記原稿画像データが有する解像度と異なる解像度を有する印刷画像データに色変換する原稿画像色変換工程と、
前記印刷画像データに従って印刷装置により印刷物を印刷する印刷工程と、
画像読取部によって前記印刷物を第１の解像度により読み取って前記印刷物の読取画像を表す印刷物読取画像データであり前記第１の解像度を有する印刷物読取画像データを取得する工程と、
前記画像読取部によって目標印刷物を第１の解像度により読み取って前記目標印刷物の読取画像を表す目標印刷物読取画像データであり前記第１の解像度を有する目標印刷物読取画像データを取得する工程と、
第２の解像度を有する原稿画像を表す原稿画像データから前記第２の解像度未満の第６の解像度を有する原稿画像を表す中間解像度原稿画像データを作成する第４の低解像度画像作成工程と、
前記目標印刷物読取画像データから前記第１の解像度未満の第５の解像度を有する中間解像度目標印刷物読取画像データを作成し、又は前記印刷物読取画像データから前記第１の解像度未満の第５の解像度を有する中間解像度印刷物読取画像データを作成する第５の低解像度画像作成工程と、
前記画像読取部から得られる第１の色空間の信号値と、デバイス非依存色空間である第２の色空間の色度値との対応関係を表す第１の色変換テーブルを用いて、前記第１の色空間の信号値を前記第２の色空間の色度値に変換する読取画像色変換工程と、
前記印刷物を前記画像読取部で読み取ることで得られる前記第１の色空間の信号値で表される前記印刷物読取画像データに対して前記第５の低解像度画像作成工程による低解像度化処理を施して得られた中間解像度印刷物読取画像データと、デバイス依存色空間である第３の色空間の信号値で表される原稿画像データであり第２の解像度を有する原稿画像を表す前記原稿画像データに対して前記第４の低解像度画像作成工程による低解像度化処理を施して得られた中間解像度原稿画像データとの位置関係を対応付ける処理、及び前記目標印刷物を前記画像読取部で読み取ることで得られる第１の色空間の信号値で表される目標印刷物読取画像データに対して前記第５の低解像度画像作成工程による低解像度化処理を施して得られた中間解像度目標印刷物読取画像データと、前記中間解像度原稿画像データとの位置関係を対応付ける処理を行う画像対応付け工程、又は前記読取画像色変換工程によって前記中間解像度印刷物読取画像データの信号値を前記第２の色空間の色度値に変換して得られる中間解像度印刷物読取色度値画像データと、前記原稿画像データとの位置関係を対応付ける処理、及び前記読取画像色変換工程によって前記中間解像度目標印刷物読取画像データの信号値を前記第２の色空間の色度値に変換して得られる中間解像度目標印刷物読取色度値画像データと前記原稿画像データとの位置関係を対応付ける処理を行う画像対応付け工程と、
前記画像対応付け工程により前記中間解像度原稿画像データとの位置関係が対応付けられた前記中間解像度目標印刷物読取画像データから第５の解像度未満の第３の解像度を有する低解像度目標印刷物読取画像データを作成する第１の低解像度画像作成工程、又は前記画像対応付け工程により前記中間解像度原稿画像データとの位置関係が対応付けられた前記中間解像度目標印刷物読取色度値画像データから第５の解像度未満の第３の解像度を有する低解像度目標印刷物読取色度値画像データを作成する第１の低解像度画像作成工程と、
前記中間解像度原稿画像データから前記第２の解像度未満の第４の解像度を有する低解像度原稿画像データを作成する第２の低解像度画像作成工程と、
前記画像対応付け工程により前記中間解像度原稿画像データとの位置関係が対応付けられた前記中間解像度印刷物読取画像データから第５の解像度未満の前記第３の解像度を有する低解像度印刷物読取画像データを作成する第３の低解像度画像作成工程、又は前記画像対応付け工程により前記中間解像度原稿画像データとの位置関係が対応付けられた前記中間解像度印刷物読取色度値画像データから第５の解像度未満の前記第３の解像度を有する低解像度印刷物読取色度値画像データを作成する第３の低解像度画像作成工程と、
前記原稿画像データの信号値と、前記画像対応付け工程、及び前記読取画像色変換工程の処理を経て得られる前記目標印刷物の色度値と、前記画像対応付け工程、及び前記読取画像色変換工程の処理を経て得られる前記印刷物の色度値と、の対応関係である第４の色情報間対応関係、及び前記低解像度原稿画像データの信号値と、前記画像対応付け工程、前記第１の低解像度画像作成工程、及び前記読取画像色変換工程の処理を経て得られる前記目標印刷物の色度値と、前記画像対応付け工程、前記第３の低解像度画像作成工程、及び前記読取画像色変換工程の処理を経て得られる前記印刷物の色度値と、の対応関係である第５の色情報間対応関係から、前記目標印刷物の色度値と前記印刷物の色度値との差分を基に、前記原稿画像色変換工程に用いる色変換テーブルを作成する色変換テーブル作成工程と、
を含む色変換テーブル作成方法。
【請求項４６】
前記色変換テーブル作成工程で作成した色変換テーブルを前記原稿画像色変換工程の色変換に用いて、再度、前記原稿画像色変換工程、前記印刷工程、前記印刷物読取画像データを取得する工程、前記読取画像色変換工程、前記画像対応付け工程、前記色変換テーブル作成工程、を繰り返す請求項４４又は４５に記載の色変換テーブル作成方法。
【請求項４７】
目標印刷物と印刷装置により印刷された印刷物とを読み取る画像読取部から前記目標印刷物と前記印刷物のそれぞれの読取画像を表す読取画像データを取得する機能と、
前記画像読取部から得られる第１の色空間の信号値とデバイス非依存色空間である第２の色空間の色度値との対応関係を表す第１の色変換テーブルを用いて、前記第１の色空間の信号値を前記第２の色空間の色度値に変換する第１の色変換機能と、
入力色変換テーブルと出力色変換テーブルを用いて、デバイス依存色空間である第３の色空間の信号値で表される原稿画像データであり第２の解像度を有する原稿画像を表す原稿画像データを、前記原稿画像データが有する解像度と同一解像度を有する印刷画像データ、又は前記原稿画像データが有する解像度と異なる解像度を有する印刷画像データに色変換する第２の色変換機能と、
前記印刷画像データに従って前記印刷装置により印刷された前記印刷物を前記画像読取部で読み取ることで得られる第１の色空間の信号値で表される印刷物読取画像データと、前記原稿画像データとの位置関係を対応付ける処理、及び前記目標印刷物を前記画像読取部で読み取ることで得られる第１の色空間の信号値で表される目標印刷物読取画像データと、前記原稿画像データとの位置関係を対応付ける処理を行う画像対応付け機能、又は前記第１の色変換機能によって前記印刷物読取画像データの信号値を前記第２の色空間の色度値に変換して得られる印刷物読取色度値画像データと、前記原稿画像データとの位置関係を対応付ける処理、及び前記第１の色変換機能によって前記目標印刷物読取画像データの信号値を前記第２の色空間における色度値に変換して得られる目標印刷物読取色度値画像データと前記原稿画像データとの位置関係を対応付ける処理を行う画像対応付け機能と、
前記画像対応付け機能により前記原稿画像データとの位置関係が対応付けられた前記目標印刷物読取画像データから第１の解像度未満の第３の解像度を有する低解像度目標印刷物読取画像データを作成する第１の低解像度画像作成機能、又は前記画像対応付け機能により前記原稿画像データとの位置関係が対応付けられた前記目標印刷物読取色度値画像データから第１の解像度未満の第３の解像度を有する低解像度目標印刷物読取色度値画像データを作成する第１の低解像度画像作成機能と、
前記原稿画像データから前記第２の解像度未満の第４の解像度を有する低解像度原稿画像データを作成する第２の低解像度画像作成機能と、
前記画像対応付け機能により前記原稿画像データとの位置関係が対応付けられた前記印刷物読取画像データから第１の解像度未満の前記第３の解像度を有する低解像度印刷物読取画像データを作成する第３の低解像度画像作成機能、又は前記画像対応付け機能により前記原稿画像データとの位置関係が対応付けられた前記印刷物読取色度値画像データから第１の解像度未満の前記第３の解像度を有する低解像度印刷物読取色度値画像データを作成する第３の低解像度画像作成機能と、
前記原稿画像データの信号値と、前記画像対応付け機能及び前記第１の色変換機能による処理を経て得られる前記目標印刷物の色度値と、前記画像対応付け機能及び前記第１の色変換機能による処理を経て得られる前記印刷物の色度値と、の対応関係である第１の色情報間対応関係、及び前記低解像度原稿画像データの信号値と、前記画像対応付け機能、前記第１の低解像度画像作成機能、及び前記第１の色変換機能の処理を経て得られる前記目標印刷物の色度値と、前記画像対応付け機能、前記第３の低解像度画像作成機能、及び前記第１の色変換機能の処理を経て得られる前記印刷物の色度値と、の対応関係である第２の色情報間対応関係から、前記目標印刷物の色度値と前記印刷物の色度値の差分を基に、前記第２の色変換機能に用いる色変換テーブルを作成する色変換テーブル作成機能と、
をコンピュータに実現させる色変換テーブル作成プログラム。
【請求項４８】
目標印刷物と印刷装置により印刷された印刷物を第１の解像度により読み取る画像読取部から、前記目標印刷物の読取画像を表す目標印刷物読取画像データであり前記第１の解像度を有する目標印刷物読取画像データ、及び前記印刷物の読取画像を表す印刷物読取画像データであり前記第１の解像度を有する印刷物読取画像データを取得する機能と、
第２の解像度を有する原稿画像を表す原稿画像データから前記第２の解像度未満の第６の解像度を有する原稿画像を表す中間解像度原稿画像データを作成する第４の低解像度画像作成機能と、
前記目標印刷物読取画像データから第１の解像度未満の第５の解像度を有する中間解像度目標印刷物読取画像データを作成し、又は前記印刷物読取画像データから第１の解像度未満の第５の解像度を有する中間解像度印刷物読取画像データを作成する第５の低解像度画像作成機能と、
前記画像読取部から得られる第１の色空間の信号値とデバイス非依存色空間である第２の色空間の色度値との対応関係を表す第１の色変換テーブルを用いて、前記第１の色空間における信号値を前記第２の色空間における信号値に変換する第１の色変換機能と、
入力色変換テーブルと出力色変換テーブルを用いて、デバイス依存色空間である第３の色空間の信号値で表される前記原稿画像データを、前記原稿画像データが有する解像度と同一解像度を有する印刷画像データ、又は前記原稿画像データが有する解像度と異なる解像度を有する印刷画像データに変換する第２の色変換機能と、
前記印刷画像データに従って前記印刷装置により印刷された前記印刷物を前記画像読取部で読み取ることで得られる第１の色空間の信号値で表される印刷物読取画像データに対して前記第５の低解像度画像作成機能による低解像度化処理を施して得られた中間解像度印刷物読取画像データと、前記第３の色空間の信号値で表される原稿画像データであり第２の解像度を有する原稿画像を表す前記原稿画像データに対して前記第４の低解像度画像作成機能による低解像度化処理を施して得られた中間解像度原稿画像データとの位置関係を対応付ける処理、及び前記目標印刷物を前記画像読取部で読み取ることで得られる第１の色空間の信号値で表される目標印刷物読取画像データに対して前記第５の低解像度画像作成機能による低解像度化処理を施して得られた中間解像度目標印刷物読取画像データと、前記中間解像度原稿画像データとの位置関係を対応付ける処理を行う画像対応付け機能、又は、前記第１の色変換機能、及び前記第５の低解像度画像作成機能による処理を経て得られた中間解像度印刷物読取色度値画像データと、前記中間解像度原稿画像データとの位置関係を対応付ける処理、及び前記第１の色変換機能、及び前記第５の低解像度画像作成機能による処理を経て得られた中間解像度目標印刷物読取色度値画像データと、前記中間解像度原稿画像データとの位置関係を対応付ける処理を行う画像対応付け機能と、
前記画像対応付け機能により前記中間解像度原稿画像データとの位置関係が対応付けられた前記中間解像度目標印刷物読取画像データから第５の解像度未満の第３の解像度を有する低解像度印刷物読取画像データを作成する第１の低解像度画像作成機能、又は前記画像対応付け機能により前記中間解像度原稿画像データとの位置関係が対応付けられた前記中間解像度目標印刷物読取色度値画像データから第５の解像度未満の第３の解像度を有する低解像度印刷物読取色度値画像データを作成する第１の低解像度画像作成機能と、
前記中間解像度原稿画像データから前記第６の解像度未満の第４の解像度を有する低解像度原稿画像データを作成する第２の低解像度画像作成機能と、
前記画像対応付け機能により前記中間解像度原稿画像データとの位置関係が対応付けられた中間解像度目標印刷物読取画像データから第５の解像度未満の前記第３の解像度を有する低解像度目標印刷物読取画像データを作成する第３の低解像度画像作成機能、又は前記画像対応付け機能により前記中間解像度原稿画像データとの位置関係が対応付けられた中間解像度目標印刷物読取色度値画像データから第５の解像度未満の前記第３の解像度を有する低解像度目標印刷物読取色度値画像データを作成する第３の低解像度画像作成機能と、
前記原稿画像データの信号値と、前記第５の低解像度画像作成機能、前記画像対応付け機能、及び前記第１の色変換機能の処理を経て得られる前記目標印刷物の色度値と、前記第５の低解像度画像作成機能、前記画像対応付け機能、及び前記第１の色変換機能の処理を経て得られる前記印刷物の色度値と、の対応関係である第４の色情報間対応関係、及び前記低解像度原稿画像データの信号値と、前記第５の低解像度画像作成機能、前記画像対応付け機能、前記第３の低解像度画像作成機能、及び前記第１の色変換機能の処理を経て得られる前記目標印刷物の色度値と、前記第５の低解像度画像作成機能、前記画像対応付け機能、前記第３の低解像度画像作成機能、及び前記第１の色変換機能の処理を経て得られる前記印刷物の色度値と、の対応関係である第５の色情報間対応関係から、前記目標印刷物の色度値と前記印刷物の色度値との差分を基に、前記第２の色変換機能に用いる色変換テーブルを作成する色変換テーブル作成機能と、
をコンピュータに実現させる色変換テーブル作成プログラム。
【発明の詳細な説明】
【技術分野】
【０００１】
本発明は色変換テーブル作成装置、色変換テーブル作成方法、及び色変換テーブル作成プログラムに係り、特に印刷装置による色再現に適用される画像データの色変換技術に関する。
【背景技術】
【０００２】
印刷の分野では、印刷装置によって目標の色再現を行うために、複数のカラーパッチから構成されるプロファイル作成チャートを印刷し、印刷されたプロファイル作成チャートを読み取り、プロファイル作成チャートの読取データからプロファイルを作成する方法が一般に知られている。
【０００３】
しかし、プロファイル作成チャートが印刷されていない場合はプロファイルを作成することができない。特許文献１、及び特許文献２はプロファイル作成チャートを作成せずに色再現を実現する技術が記載されている。
【０００４】
特許文献１は、スキャナで読み込まれた原稿で使用されている色域を過剰に圧縮することなく、原稿に近い色を印刷装置で再現することができる画像読取装置を開示している。特許文献１の画像読取装置は、読み取られた原稿から原稿の色域情報を作成し、色域情報を付加した画像ファイルを出力する。色域情報には、最高明度情報、最低明度情報、色相ごとの彩度情報などが含まれている。特許文献１によれば、色域情報が付加された画像ファイルを印刷装置としてのプリンタで再出力する際に、色域情報とプリンタで再現可能な色域であるプリンタ色域とを比較し、色変換係数を選択している。
【０００５】
特許文献２は、カラーチャートを用いずに、二つの印刷物の色調を合わせることができる画像処理装置を開示している。特許文献２によれば、基準プリンタとしての第１の画像出力器によって出力された基準印刷物と、ユーザプリンタとしての第２の画像出力器によって出力されたユーザ印刷物のそれぞれをスキャナで読み取り、両者の色成分値の対応関係から色調変換パラメータを求め、得られた色調変換パラメータによって第２の画像出力器の出力画像を補正することにより基準印刷物の色調と同等の色調を再現している。
【先行技術文献】
【特許文献】
【０００６】
【特許文献１】特開２００８−２１１２８４号公報
【特許文献２】特開２０１３−３０９９６号公報
【発明の概要】
【発明が解決しようとする課題】
【０００７】
しかしながら、特許文献１では、プリンタによる再出力は、スキャナで読み取られた読取画像、又は読み込み画像の画像ファイルを前提としている。しかし、読取画像は、スキャナの読取解像度に依存する読み取り時のボケの影響により精細度を欠くため、高精細な原稿の画像を再現する印刷物を得ることは困難である。
【０００８】
特許文献２では、基準印刷物とは別に、ユーザ印刷物を印刷してこれをスキャナで読み取る必要があり、手間がかかる。また、特許文献２に記載の技術は、スキャナで読み取ったＲＧＢの色成分ごとに色調変換パラメータを求め、色成分ごとの色調変換パラメータを用いてＲＧＢの色成分ごとの一次元変換により色補正を行うものである。このような従来の方法は、プリンタ機器の個体差程度の色調差を補正するには十分と考えられるが、基準印刷物を出力した基準プリンタとしての第１の画像出力器と、ユーザプリンタとしての第２の画像出力器との印刷特性が大きく異なる場合には、色補正の自由度が十分ではなく、色補正精度が低くなる可能性がある。
【０００９】
なお、ＲＧＢはレッド、グリーン、及びイエローを一括して表す表記方法である。本明細書では、レッドはＲ、グリーンはＧ、イエローはＹを用いて表すことがある。
【００１０】
本発明はこのような事情に鑑みてなされたもので、高精細な画像の再現と信頼性の高い色再現との両立を可能とした、色変換テーブル作成装置、色変換テーブル作成方法、及び色変換テーブル作成プログラムを提供することを目的とする。
【課題を解決するための手段】
【００１１】
上記目的を達成するために、次の発明態様を提供する。
【００１２】
第１態様に係る色変換テーブル作成装置は、目標印刷物と印刷装置により印刷された印刷物とを第１の解像度により読み取って、目標印刷物の読取画像を表す目標印刷物読取画像データであり第１の解像度を有する目標印刷物読取画像データ、及び印刷物の読取画像を表す印刷物読取画像データであり第１の解像度を有する印刷物読取画像データを取得する画像読取部と、画像読取部から得られるデバイス依存色空間である第１の色空間の信号値とデバイス非依存色空間である第２の色空間の色度値との対応関係を表す第１の色変換テーブルを用いて、第１の色空間における信号値を第２の色空間における信号値に変換する第１の色変換部と、入力色変換テーブルと出力色変換テーブルを用いて、デバイス依存色空間である第３の色空間の信号値で表される原稿画像データであり第２の解像度を有する原稿画像を表す原稿画像データを、原稿画像データが有する解像度と同一解像度を有する印刷画像データ、又は原稿画像データが有する解像度と異なる解像度を有する印刷画像データに変換する第２の色変換部と、印刷画像データに従って印刷装置により印刷された印刷物を画像読取部で読み取ることで得られる第１の色空間の信号値で表される印刷物読取画像データと原稿画像データとの位置関係を対応付ける処理、及び目標印刷物を画像読取部で読み取ることで得られる第１の色空間の信号値で表される目標印刷物読取画像データと原稿画像データとの位置関係を対応付ける処理を行う画像対応付け部、又は第１の色変換部によって印刷物読取画像データの信号値を第２の色空間の色度値に変換して得られる印刷物読取色度値画像データと原稿画像データとの位置関係を対応付ける処理、及び第１の色変換部によって目標印刷物読取画像データの信号値を第２の色空間における色度値に変換して得られる目標印刷物読取色度値画像データと原稿画像データとの位置関係を対応付ける処理を行う画像対応付け部と、画像対応付け部により原稿画像データとの位置関係が対応付けられた目標印刷物読取画像データから第１の解像度未満の第３の解像度を有する低解像度目標印刷物読取画像データを作成する第１の低解像度画像作成部、又は画像対応付け部により原稿画像データとの位置関係が対応付けられた目標印刷物読取色度値画像データから第１の解像度未満の第３の解像度を有する低解像度目標印刷物読取色度値画像データを作成する第１の低解像度画像作成部と、原稿画像データから第２の解像度未満の第４の解像度を有する低解像度原稿画像データを作成する第２の低解像度画像作成部と、画像対応付け部により原稿画像データとの位置関係が対応付けられた印刷物読取画像データから第１の解像度未満の第３の解像度を有する低解像度印刷物読取画像データを作成する第３の低解像度画像作成部、又は画像対応付け部により原稿画像データとの位置関係が対応付けられた印刷物読取色度値画像データから、第１の解像度未満の第３の解像度を有する低解像度印刷物読取色度値画像データを作成する第３の低解像度画像作成部と、原稿画像データの信号値と、画像対応付け部、及び第１の色変換部の処理を経て得られる目標印刷物の色度値と、画像対応付け部、及び第１の色変換部の処理を経て得られる印刷物の色度値と、の対応関係である第１の色情報間対応関係、及び低解像度原稿画像データの信号値と、画像対応付け部、第１の低解像度画像作成部、及び第１の色変換部の処理を経て得られる目標印刷物の色度値と、画像対応付け部、第３の低解像度画像作成部、及び第１の色変換部の処理を経て得られる印刷物の色度値と、の対応関係である第２の色情報間対応関係から、目標印刷物の色度値と印刷物の色度値との差分を基に、第２の色変換部に用いる色変換テーブルを作成する色変換テーブル作成部と、を備える色変換テーブル作成装置である。
【００１３】
第１態様によれば、信頼性の高い色再現と高精細な画像の再現との両立が可能となる。すなわち、異なる解像度の色情報を利用して色変換テーブルを作成するため、低解像度の色情報から平均的に色を合わせ、高解像度の色情報により高精度に色を合わせることができる。
【００１４】
第２態様として、第１態様に記載の色変換テーブル作成装置において、色変換テーブル作成部は、第１の色情報間対応関係を作成する第１の色情報間対応関係作成部と、第２の色情報間対応関係を作成する第２の色情報間対応関係作成部と、第１の色情報間対応関係、及び第２の色情報間対応関係から、第１の色情報間対応関係、及び第２の色情報間対応関係について共通する原稿画像データの信号値と、目標印刷物の色度値と、印刷物の色度値との対応関係を表す第３の色情報間対応関係を作成する第３の色情報間対応関係作成部と、を具備する色変換データ作成部を備える構成とすることができる。
【００１５】
第３態様として、第２態様に記載の色変換テーブル作成装置において、第１の色情報間対応関係作成部は、原稿画像データと画像対応付け部、及び第１の色変換部の処理を経て得られる目標印刷物の色度値である目標色度値との対応関係、及び原稿画像データと画像対応付け部、及び第１の色変換部の処理を経て得られる印刷物の色度値である印刷色度値との対応関係から、原稿画像データの信号値が一致する目標色度値と印刷色度値を用いて第１の色情報間対応関係を作成する構成とすることができる。
【００１６】
第４態様として、第３態様に記載の色変換テーブル作成装置において、第２の色情報間対応関係作成部は、低解像度原稿画像データと画像対応付け部、第１の低解像度画像作成部、及び第１の色変換部の処理を経て得られる目標印刷物の色度値である低解像度目標色度値との対応関係、及び原稿画像データと画像対応付け部、第３の低解像度画像作成部、及び第１の色変換部の処理を経て得られる印刷物の色度値である低解像度印刷色度値との対応関係から、原稿画像データの信号値が一致する目標色度値と低解像度目標色度値、及び原稿画像データの信号値が一致する印刷色度値と低解像度印刷色度値から第２の色情報間対応関係を作成する構成とすることができる。
【００１７】
第５態様として、第３態様又は第４態様に記載の色変換テーブル作成装置において、第３の色情報間対応関係作成部は、第１の色情報間対応関係、及び第２の色情報間対応関係について共通する原稿画像データの信号値について、第１の色情報間対応関係における目標色度値、及び印刷色度値を用いて第３の色情報間対応関係を作成する構成とすることができる。
【００１８】
第６態様として、第３態様又は第４態様に記載の色変換テーブル作成装置において、第３の色情報間対応関係作成部は、第１の色情報間対応関係、及び第２の色情報間対応関係について共通する原稿画像データの信号値について、第１の色情報間対応関係における目標色度値と第２の色情報間対応関係における目標色度値との平均値、及び第１の色情報間対応関係における印刷色度値と第２の色情報間対応関係における印刷色度値との平均値を用いて第３の色情報間対応関係を作成する構成とすることができる。
【００１９】
第７態様に係る色変換テーブル作成装置は、目標印刷物と印刷装置により印刷された印刷物とを第１の解像度により読み取って、目標印刷物の読取画像を表す目標印刷物読取画像データであり第１の解像度を有する目標印刷物読取画像データ、及び印刷物の読取画像を表す印刷物読取画像データであり第１の解像度を有する印刷物読取画像データを取得する画像読取部と、第２の解像度を有する原稿画像を表す原稿画像データから第２の解像度未満の第６の解像度を有する原稿画像を表す中間解像度原稿画像データを作成する第４の低解像度画像作成部と、目標印刷物読取画像データから第１の解像度未満の第５の解像度を有する中間解像度目標印刷物読取画像データを作成し、又は印刷物読取画像データから第１の解像度未満の第５の解像度を有する中間解像度印刷物読取画像データを作成する第５の低解像度画像作成部と、画像読取部から得られるデバイス依存色空間である第１の色空間の信号値とデバイス非依存色空間である第２の色空間の色度値との対応関係を表す第１の色変換テーブルを用いて、第１の色空間における信号値を第２の色空間における信号値に変換する第１の色変換部と、入力色変換テーブルと出力色変換テーブルを用いて、デバイス依存色空間である第３の色空間の信号値で表される原稿画像データを、原稿画像データが有する解像度と同一解像度を有する印刷画像データ、又は原稿画像データが有する解像度と異なる解像度を有する印刷画像データに変換する第２の色変換部と、印刷画像データに従って印刷装置により印刷された印刷物を画像読取部で読み取ることで得られる第１の色空間の信号値で表される印刷物読取画像データに対して第５の低解像度画像作成部による低解像度化処理を施して得られた中間解像度印刷物読取画像データと、第３の色空間の信号値で表される原稿画像データであり第２の解像度を有する原稿画像を表す原稿画像データに対して第４の低解像度画像作成部による低解像度化処理を施して得られた中間解像度原稿画像データとの位置関係を対応付ける処理、及び目標印刷物を画像読取部で読み取ることで得られる第１の色空間の信号値で表される目標印刷物読取画像データに対して第５の低解像度画像作成部による低解像度化処理を施して得られた中間解像度目標印刷物読取画像データと、中間解像度原稿画像データとの位置関係を対応付ける処理を行う画像対応付け部、又は第１の色変換部、及び第５の低解像度画像作成部による処理を経て得られた中間解像度印刷物読取色度値画像データと、中間解像度原稿画像データとの位置関係を対応付ける処理、及び第１の色変換部、及び第５の低解像度画像作成部による処理を経て得られた中間解像度目標印刷物読取色度値画像データと、中間解像度原稿画像データとの位置関係を対応付ける処理を行う画像対応付け部と、画像対応付け部により中間解像度原稿画像データとの位置関係が対応付けられた中間解像度目標印刷物読取画像データから第５の解像度未満の第３の解像度を有する低解像度印刷物読取画像データを作成する第１の低解像度画像作成部、又は画像対応付け部により中間解像度原稿画像データとの位置関係が対応付けられた中間解像度目標印刷物読取色度値画像データから第５の解像度未満の第３の解像度を有する低解像度印刷物読取色度値画像データを作成する第１の低解像度画像作成部と、中間解像度原稿画像データから第６の解像度未満の第４の解像度を有する低解像度原稿画像データを作成する第２の低解像度画像作成部と、画像対応付け部により中間解像度原稿画像データとの位置関係が対応付けられた中間解像度印刷物読取画像データから第５の解像度未満の第３の解像度を有する低解像度印刷物読取画像データを作成する第３の低解像度画像作成部、又は画像対応付け部により中間解像度原稿画像データとの位置関係が対応付けられた中間解像度印刷物読取色度値画像データから第５の解像度未満の第３の解像度を有する低解像度印刷物読取色度値画像データを作成する第３の低解像度画像作成部と、原稿画像データの信号値と、第５の低解像度画像作成部、画像対応付け部、及び第１の色変換部の処理を経て得られる目標印刷物の色度値と、第５の低解像度画像作成部、画像対応付け部、及び第１の色変換部の処理を経て得られる印刷物の色度値と、の対応関係である第４の色情報間対応関係、及び低解像度原稿画像データの信号値と、第５の低解像度画像作成部、画像対応付け部、第１の低解像度画像作成部、及び第１の色変換部の処理を経て得られる目標印刷物の色度値と、第５の低解像度画像作成部、画像対応付け部、第３の低解像度画像作成部、及び第１の色変換部の処理を経て得られる印刷物の色度値と、の対応関係である第５の色情報間対応関係から、目標印刷物の色度値と印刷物の色度値との差分を基に、第２の色変換部に用いる色変換テーブルを作成する色変換テーブル作成部と、を備える色変換テーブル作成装置である。
【００２０】
第７態様によれば、第１態様と同様の作用効果を得ることができる。また、中間解像度として、第１の解像度未満であり第３の解像度を超える第５の解像度、及び第２の解像度未満であり第４の解像度を超える第６の解像度を採用し、第６の解像度を有する原稿画像データ、第５の解像度を有する目標印刷物の読取画像データ、第５の解像度を有する印刷物の読取画像データを用いることで、画像読取部により得られた目標印刷物の読取画像データ、及び印刷物の読取画像データのデータサイズが大きい場合でも、画像対応付け部の演算負荷を低減化させることが可能となる。
【００２１】
第８態様として、第７態様に記載の色変換テーブル作成装置において、色変換テーブル作成部は、第４の色情報間対応関係を作成する第４の色情報間対応関係作成部と、第５の色情報間対応関係を作成する第５の色情報間対応関係作成部と、第４の色情報間対応関係、及び第５の色情報間対応関係から、第４の色情報間対応関係、及び第５の色情報間対応関係について共通する原稿画像データの信号値と、目標印刷物の色度値と、印刷物の色度値との対応関係を表す第６の色情報間対応関係を作成する第６の色情報間対応関係作成部と、を具備する色変換データ作成部を備える構成とすることができる。
【００２２】
第９態様として、第８態様に記載の色変換テーブル作成装置において、第４の色情報間対応関係作成部は、原稿画像データと画像対応付け部、及び第１の色変換部の処理を経て得られる目標印刷物の色度値である目標色度値との対応関係、及び原稿画像データと画像対応付け部、及び第１の色変換部の処理を経て得られる印刷物の色度値である印刷色度値との対応関係から、原稿画像データの信号値が一致する目標色度値と、印刷色度値から第４の色情報間対応関係を作成する構成とすることができる。
【００２３】
第１０態様として、第９態様に記載の色変換テーブル作成装置において、第５の色情報間対応関係作成部は、低解像度原稿画像データと画像対応付け部、第３の低解像度画像作成部、及び第１の色変換部の処理を経て得られる目標印刷物の色度値である低解像度目標色度値との対応関係、及び原稿画像データと画像対応付け部、第３の低解像度画像作成部、及び第１の色変換部の処理を経て得られる印刷物の色度値である低解像度印刷色度値との対応関係から、原稿画像データの信号値が一致する目標色度値と低解像度目標色度値、及び原稿画像データの信号値が一致する印刷色度値と低解像度印刷色度値から第５の色情報間対応関係を作成する構成とすることができる。
【００２４】
第１１態様として、第９態様又は第１０態様に記載の色変換テーブル作成装置において、第６の色情報間対応関係作成部は、第４の色情報間対応関係、及び第５の色情報間対応関係作成部について共通する原稿画像データの信号値について、第４の色情報間対応関係における目標色度値、及び印刷色度値を用いて第６の色情報間対応関係を作成する構成とすることができる。
【００２５】
第１２態様として、第９態様又は第１０態様に記載の色変換テーブル作成装置において、第６の色情報間対応関係作成部は、第４の色情報間対応関係、及び第５の色情報間対応関係作成部について共通する原稿画像データの信号値について、第４の色情報間対応関係における目標色度値と第５の色情報間対応関係における目標色度値との平均値、及び第４の色情報間対応関係における印刷色度値と第５の色情報間対応関係における印刷色度値との平均値を用いて第６の色情報間対応関係を作成する構成とすることができる。
【００２６】
第１３態様として、第７態様から第１２態様のいずれか一態様に記載の色変換テーブル作成装置おいて、第５の解像度と第６の解像度とが同等の解像度である構成とすることができる。
【００２７】
第１４態様として、第１態様から第１３態様のいずれか一態様に記載の色変換テーブル作成装置において、第３の解像度と第４の解像度とが同等の解像度である構成とすることができる。
【００２８】
第１５態様として、第１態様から第１４態様のいずれか一態様に記載の色変換テーブル作成装置において、第１の解像度と第２の解像度とが同等の解像度である構成とすることができる。
【００２９】
第１６態様として、第１態様から第６態様のいずれか一態様に記載の色変換テーブル作成装置において、画像対応付け部は、原稿画像データと目標印刷物読取画像データとの位置関係を特定する位置合わせの処理、又は原稿画像データと印刷物読取画像データとの位置関係を特定する位置合わせの処理を行う画像位置合わせ部と、位置合わせの処理がされた原稿画像データと、目標印刷物読取画像データと、印刷物読取画像データとの対応する画像位置から色情報を取得する色抽出部と、を備える構成とすることができる。
【００３０】
第１７態様として、第１６態様に記載の色変換テーブル作成装置において、色抽出部は、低解像度化処理前の原稿画像データ、目標印刷物読取画像データ、及び印刷物読取画像データから色情報を取得する第１の色抽出部と、低解像度化処理後の原稿画像データ、目標印刷物読取画像データ、及び印刷物読取画像データから色情報を取得する第２の色抽出部と、を備え、色変換テーブル作成部は、第１の色抽出部により取得した色情報を基に特定される第１の色情報間対応関係と、第２の色抽出部により取得した色情報を基に特定される第２の色情報間対応関係と、を用いて多次元の対応関係を示す色変換テーブルを作成する構成とすることができる。
【００３１】
第１８態様として、第７態様から第１３態様のいずれか一態様に記載の色変換テーブル作成装置において、画像対応付け部は、原稿画像データと目標印刷物読取画像データとの位置関係を特定する位置合わせの処理、又は原稿画像データと印刷物読取画像データとの位置関係を特定する位置合わせの処理を行う画像位置合わせ部と、位置合わせの処理がされた原稿画像データと、目標印刷物読取画像データと、印刷物読取画像データとの対応する画像位置から色情報を取得する色抽出部と、を備える構成とすることができる。
【００３２】
第１９態様として、第１８態様に記載の色変換テーブル作成装置において、色抽出部は、低解像度化処理前の原稿画像データ、目標印刷物読取画像データ、及び印刷物読取画像データから色情報を取得する第１の色抽出部と、低解像度化処理後の原稿画像データ、目標印刷物読取画像データ、及び印刷物読取画像データから色情報を取得する第２の色抽出部と、を備え、色変換テーブル作成部は、第１の色抽出部により取得した色情報を基に特定される第４の色情報間対応関係と、第２の色抽出部により取得した色情報を基に特定される第５の色情報間対応関係と、を用いて多次元の対応関係を示す色変換テーブルを作成する構成とすることができる。
【００３３】
第２０態様として、第１態様から第１９態様のいずれか一態様に記載の色変換テーブル作成装置において、色変換テーブル作成部は、複数の目標印刷物と各目標印刷物に対応した原稿画像データとを基に、それぞれ作成された複数の対応関係から、単一の多次元の対応関係を示す色変換テーブルを作成する構成とすることができる。
【００３４】
第２１態様として、第１態様から第２０態様のいずれか一態様に記載の色変換テーブル作成装置において、色変換テーブル作成部は、目標印刷物の色度値と印刷の色度値の差分を取得する差分色度値演算部を備える構成とすることができる。
【００３５】
第２２態様として、第１態様から第２１態様のいずれか一態様に記載の色変換テーブル作成装置として、色変換テーブル作成部は、原稿画像データと目標印刷物の色度値と印刷物の色度値との対応関係に基づき、入力色変換テーブル又は出力色変換テーブルを修正することで第２の色変換部に用いる色変換テーブルを作成する構成とすることができる。
【００３６】
入力色変換テーブルは、第３の色空間と第２の色空間との多次元の対応関係を規定するものであり、出力色変換テーブルは第２の色空間と印刷装置への供給に適した色空間（デバイス依存色空間である第４の色空間）との多次元の対応関係を規定するものである。
【００３７】
第２２態様によれば、目標印刷物の色度値と印刷物の色度値の差分を基に、入力色変換テーブル又は出力色変換テーブルを修正することで、修正後の多次元の色変換テーブルを得ることができる。
【００３８】
第２３態様として、第１態様から第２２態様のいずれか一態様に記載の色変換テーブル作成装置において、色変換テーブル作成部は、原稿画像データと目標印刷物の色度値と印刷物の色度値との対応関係に基づき、入力色変換テーブルの出力値を補正する色補正テーブルを作成する構成とすることができる。
【００３９】
第２３態様によれば、暫定的にセットした入力色変換テーブルと出力色変換テーブルを変更せずに、そのまま使用し、かつ、入力色変換テーブルの出力値を色補正テーブルで補正して、出力色変換テーブルの入力に渡す構成とすることができる。また、第２の色変換部における実際の色変換処理に際しては、入力色変換テーブルによる変換、色補正テーブルによる変換、出力色変換テーブルによる変換という一連の変換プロセスを一つの多次元色変換テーブルに統合することができる。
【００４０】
第２４態様として、第１態様から第２３態様のいずれか一態様に記載の色変換テーブル作成装置において、色再現特性の異なる複数の入力色変換テーブルが格納される入力色変換テーブルデータベースと、入力色変換テーブルデータベースに格納されている複数の入力色変換テーブルの中から、原稿画像データと目標印刷物の色度値との対応関係に基づいて、第２の色変換部に適用する一つの入力色変換テーブルを選択する処理を行う入力色変換テーブル選択部と、を備える構成とすることができる。
【００４１】
例えば、入力色変換テーブル選択部は、色変換テーブル原稿画像信号に対する読取色度値と、入力色変換テーブルデータベースに格納されている各入力色変換テーブルで規定されている色度値との色差を算出し、色差の平均値（「平均色差」という。）又は色差の最大値（「最大色差」という。）が最も小さくなる入力色変換テーブルを選択する構成とすることができる。
【００４２】
第２４態様によれば、初回の印刷で使用する入力色変換テーブルとして比較的良好なものを用いることができる。これにより、比較的短時間で目標の色再現に到達することができる。
【００４３】
第２５態様として、第１態様から第２３態様のいずれか一態様に記載の色変換テーブルにおいて、目標印刷物と、印刷物と、目標印刷物及び印刷物とは別の色見本と、のうち少なくとも一つを測色対象として測色を行うことにより、測色対象の測色値を取得する測色部と、測色部で測色値を取得した原稿画像データ上の位置に対応する原稿画像信号を取得する測色対象原稿画像信号取得部、及び測色部で測色値を取得した目標印刷物読取画像データの上の位置に対応する読取画像信号、又は印刷物読取画像データの上の位置に対応する読取画像信号を取得する測色対象読取画像信号取得部のうち少なくとも一つを含む測色対象画像信号取得部と、を備える構成とすることができる。
【００４４】
測色部として分光測色器を用いることが望ましい。
【００４５】
第２５態様によれば、画像読取部による読取画像から把握される色度値の誤差を低減し、色合わせの精度をさらに向上させることができる。
【００４６】
第２６態様として、第２５態様に記載の色変換テーブル作成装置において、第１の色変換部による色変換の結果に対して、測色部で測色値を取得した原稿画像データの位置に対応する色度値を、測色部で取得した測色値で置き換える色度値置換部を備える構成とすることができる。
【００４７】
第２７態様として、第２５態様又は第２６態様に記載の色変換テーブル作成装置において、第１の色変換テーブルとして適用できる複数の色変換テーブルが格納される第１の色変換テーブルデータベースと、第１の色変換テーブルデータベースに格納されている複数の色変換テーブルの中から一つの色変換テーブルを選択する第１の色変換テーブル選択部と、を備え、複数の色変換テーブルは、印刷装置による印刷物の作成に使用される色材種と基材種の組み合わせごとの画像読取部の読取信号と色度値の対応関係を表す色変換テーブルを含み、第１の色変換テーブル選択部は、測色部で測色値を取得した目標印刷物読取画像データの上の位置に対応する読取画像信号、又は印刷物読取画像データの上の位置に対応する読取画像信号と、測色部で取得した測色値との対応関係に基づいて、複数の色変換テーブルの中から一つの色変換テーブルを選択する処理を行う構成とすることができる。
【００４８】
例えば、第１の色変換テーブル選択部は、第１の色変換テーブルデータベースに格納されている色変換テーブルを参照して得られる読取画像信号の色度値と、測色部から得られた測色値との色差を算出し、平均色差又は最大色差が最も小さくなる色変換テーブルを第１の色変換テーブルデータベースの中から選択する構成とすることができる。
【００４９】
第２７態様によれば、画像読取部による読取画像から求められる色度値の精度をより一層高めることができる。
【００５０】
第２８態様として、第２５態様から第２７態様のいずれか一態様に記載の色変換テーブル作成装置において、測色部で測色値を取得した目標印刷物読取画像データの上の位置に対応する読取画像信号、又は印刷物読取画像データの上の位置に対応する読取画像信号と、測色部で取得した測色値との対応関係に基づいて、第１の色変換テーブルを補正する第１の色変換テーブル補正部を備える構成とすることができる。
【００５１】
第２８態様によれば、画像読取部を介して取得される色度値を、測色部から得られる測色値に近づけることができ、色度値の精度を高めることができる。
【００５２】
第２９態様として、第１態様から第２８態様のいずれか一態様に記載の色変換テーブル作成装置において、デバイス依存色空間である第３の色空間の信号値で表される原稿画像データと画像対応付け部及び第１の色変換部による処理を経て得られる目標印刷物の読取画像の色度値との対応関係に基づいて、原稿画像データの第３の色空間と第２の色空間との多次元の対応関係を表す第２の色変換テーブルを作成する第３の色変換テーブル作成部を備え、第３の色変換テーブル作成部により作成した第２の色変換テーブルを、第２の色変換部の入力色変換テーブルとして使用する構成とすることができる。
【００５３】
第２９態様によれば、初回の印刷での色再現の精度が向上し、色合わせの収束が速くなる。
【００５４】
第３０態様として、第１態様から第２９態様のいずれか一態様に記載の色変換テーブル作成装置において、画像対応付け部は、目標印刷物読取画像データ、又は印刷物読取画像データの中から原稿画像データと対応する部分画像を抜き出す処理を行う画像抜き出し部を有する構成とすることができる。
【００５５】
第３０態様によれば、原稿画像データと目標印刷物や印刷物の印刷面の画像内容とが一対一に対応していない場合でも目的の色合わせが可能である。
【００５６】
第３１態様として、第１態様から第３０態様のいずれか一態様に記載の色変換テーブルにおいて、画像対応付け部は、位置関係を対応付ける処理が行われた原稿画像データ及び目標印刷物読取画像データのそれぞれから、又は位置関係を対応付ける処理が行われた原稿画像データ及び印刷物読取画像データのそれぞれから、対応する色情報を抽出する色抽出処理を行う。
【００５７】
位置関係を対応付ける処理が行われた読取画像データとは、印刷物読取画像データ又は目標印刷物読取画像データであり、これらの両方であってもよい。
【００５８】
第３２態様として、第３１態様に記載の色変換テーブル作成装置において、色抽出処理は、原稿画像データに着目領域を設定する処理と、着目領域が第１の抽出条件を満たすか否かを判別する処理と、第１の抽出条件を満たす着目領域の中から色情報としての原稿画像データの信号値を抽出し、かつ、位置関係を対応付ける処理が行われた目標印刷物読取画像データ、又は印刷物読取画像データにおける第１の抽出条件を満たす着目領域に対応する位置の領域から色情報としての目標印刷物読取画像データの信号値、又は印刷物読取画像データの信号値を抽出する対応関係色情報抽出処理と、を含む構成とすることができる。
【００５９】
第３３態様として、第３２態様に記載の色変換テーブル作成装置において、第１の抽出条件は、着目領域内での色の差が、許容範囲として規定された第１の抽出用閾値以下であること、という条件を含む構成とすることができる。
【００６０】
第３４態様として、第３２態様又は第３３態様に記載の色変換テーブル作成装置において、色抽出処理は、着目領域が第２の抽出条件を満たすか否かを判別する処理を含み、対応関係色情報抽出処理として、第１の抽出条件を満たし、かつ、第２の抽出条件を満たす着目領域の中から色情報としての目標印刷物読取画像データの信号値、又は印刷物読取画像データの信号値を抽出し、かつ、位置関係を対応付ける処理が行われた目標印刷物読取画像データ、又は印刷物読取画像データにおける第１の抽出条件及び第２の抽出条件を満たす着目領域に対応する位置の領域から色情報としての目標印刷物読取画像データの信号値、又は印刷物読取画像データの信号値を抽出する処理を含む構成とすることができる。
【００６１】
第３５態様として、第３４態様に記載の色変換テーブル作成装置において、第２の抽出条件は、第１の抽出条件を満たす着目領域に対応する位置の領域内に目標印刷物読取画像データ、又は印刷物読取画像データが存在すること、かつ、第１の抽出条件を満たす着目領域に対応する位置の目標印刷物読取画像データの領域内、又は印刷物読取画像データの領域内に画像欠陥が非存在であること、という条件を含む構成とすることができる。
【００６２】
画像欠陥として、例えば、読取対象となる印刷物のキズや読み取り時に付着したゴミなどが該当する。
【００６３】
第３６態様として、第３３態様から第３５態様のいずれか一態様に記載の色変換テーブル作成装置において、色抽出処理は、着目領域が第３の抽出条件を満たすか否かを判別する処理を含み、対応関係色情報抽出処理として、第１の抽出条件を満たし、かつ、第３の抽出条件を満たす着目領域の中から色情報としての原稿画像データの信号値を抽出し、かつ、位置関係を対応付ける処理が行われた目標印刷物読取画像データ、又は印刷物読取画像データにおける第１の抽出条件を満たす着目領域に対応する位置の領域から色情報としての目標印刷物読取画像データの信号値、又は印刷物読取画像データの信号値を抽出する処理が行われ、第３の抽出条件として、表面加工が無い非表面加工領域であること、又は、表面加工が有る表面加工領域であること、のいずれか一方の条件が定められる構成とすることができる。
【００６４】
第３７態様として、第１態様から第３０態様のいずれか一態様に記載の色変換テーブル作成装置において、画像対応付け部は、位置関係を対応付ける処理が行われた原稿画像データ及び第２の色空間の色度値で表された読取色度値画像データのそれぞれから、対応する色情報を抽出する色抽出処理を行う構成とすることができる。
【００６５】
第３８態様として、第３７態様に記載の色変換テーブル作成装置において、色抽出処理は、原稿画像データに着目領域を設定する処理と、着目領域が第１の抽出条件を満たすか否かを判別する処理と、第１の抽出条件を満たす着目領域の中から色情報としての原稿画像データの信号値を抽出し、かつ、位置関係を対応付ける処理が行われた読取色度値画像データにおける第１の抽出条件を満たす着目領域に対応する位置の領域から色情報としての読取色度値画像データの色度値を抽出する対応関係色情報抽出処理と、を含む構成とすることができる。
【００６６】
第３９態様として、第３８態様に記載の色変換テーブル作成装置において、第１の抽出条件は、着目領域内での色の差が、許容範囲として規定された第１の抽出用閾値以下であること、という条件を含む構成とすることができる。
【００６７】
第４０態様として、第３８態様又は第３９態様に記載の色変換テーブル作成装置において、色抽出処理は、着目領域が第２の抽出条件を満たすか否かを判別する処理を含み、対応関係色情報抽出処理として、第１の抽出条件を満たし、かつ、第２の抽出条件を満たす着目領域の中から色情報としての原稿画像データの信号値を抽出し、かつ、位置関係を対応付ける処理が行われた読取色度値画像データにおける第１の抽出条件及び第２の抽出条件を満たす着目領域に対応する位置の領域から色情報としての読取色度値画像データの色度値を抽出する処理を含む構成とすることができる。
【００６８】
第４１態様として、第４０態様に記載の色変換テーブル作成装置において、第２の抽出条件は、第１の抽出条件を満たす着目領域に対応する位置の領域内に目標印刷物読取画像データ、又は印刷物読取画像データが存在すること、かつ、第１の抽出条件を満たす着目領域に対応する位置の目標印刷物読取画像データの領域内、又は印刷物読取画像データの領域内に画像欠陥が非存在であること、という条件を含む構成とすることができる。
【００６９】
第４２態様として、第３８態様から第４０態様のいずれか一態様に記載の色変換テーブル作成装置において、色抽出処理は、着目領域が第３の抽出条件を満たすか否かを判別する処理を含み、対応関係色情報抽出処理として、第１の抽出条件を満たし、かつ、第３の抽出条件を満たす着目領域の中から色情報としての原稿画像データの信号値を抽出し、かつ、位置関係を対応付ける処理が行われた読取色度値画像データにおける第１の抽出条件及び第３の抽出条件を満たす着目領域に対応する位置の領域から色情報としての読取色度値画像データの色度値を抽出する処理が行われ、第３の抽出条件として、表面加工が無い非表面加工領域であること、又は、表面加工が有る表面加工領域であること、のいずれか一方の条件が定められる構成とすることができる。
【００７０】
第４３態様として、第１態様から第４２態様のいずれか一態様に記載の色変換テーブル作成装置において、画像読取部として、目標印刷物を読み取る第１の画像読取部と、印刷装置により印刷された印刷物を読み取る第２の画像読取部とを備えている構成とすることができる。
【００７１】
目標印刷物の読み取りに用いる第１の画像読取部と、印刷装置により印刷された印刷物の読み取りに用いる第２の画像読取部とをそれぞれ別々に設ける装置構成とすることができる。この場合、第１の画像読取部と第２の画像読取部とを合わせた構成が全体として画像読取部として機能する。すなわち、第１の画像読取部と第２の画像読取部とがそれぞれ機能を分担して画像読取部の役割を果たすものとなっている。
【００７２】
異なる二つの画像読取部である第１の画像読取部と第２の画像読取部を利用する形態の場合、第１の色変換テーブルについても、第１の画像読取部と第２の画像読取部のそれぞれに適した互いに異なる二つの第１の色変換テーブルが用意される。第１の画像読取部から得られた信号値の変換に際しては第１の画像読取部に対応した第１の色変換テーブルが用いられ、第２の画像読取部から得られた信号値の変換に際しては第２の画像読取部に対応した第１の色変換テーブルが用いられる。
【００７３】
第４４態様に係る色変換テーブル作成方法は、入力色変換テーブルと出力色変換テーブルを用いて原稿画像データを、原稿画像データが有する解像度と同一解像度を有する印刷画像データ、又は原稿画像データが有する解像度と異なる解像度を有する印刷画像データに色変換する原稿画像色変換工程と、印刷画像データに従って印刷装置により印刷物を印刷する印刷工程と、画像読取部によって印刷物を第１の解像度により読み取って印刷物の読取画像を表す印刷物読取画像データであり第１の解像度を有する印刷物読取画像データを取得する工程と、画像読取部によって目標印刷物を第１の解像度により読み取って目標印刷物の読取画像を表す目標印刷物読取画像データであり第１の解像度を有する目標印刷物読取画像データを取得する工程と、画像読取部から得られるデバイス依存色空間である第１の色空間の信号値と、デバイス非依存色空間である第２の色空間の色度値との対応関係を表す第１の色変換テーブルを用いて、第１の色空間の信号値を第２の色空間の色度値に変換する読取画像色変換工程と、印刷物を画像読取部で読み取ることで得られる第１の色空間の信号値で表される印刷物読取画像データと、デバイス依存色空間である第３の色空間の信号値で表される原稿画像データであり第２の解像度を有する原稿画像を表す原稿画像データとの位置関係を対応付ける処理、及び目標印刷物を画像読取部で読み取ることで得られる第１の色空間の信号値で表される目標印刷物読取画像データと原稿画像データとの位置関係を対応付ける処理を行う画像対応付け工程、又は読取画像色変換工程によって印刷物読取画像データの信号値を第２の色空間の色度値に変換して得られる印刷物読取色度値画像データと原稿画像データとの位置関係を対応付ける処理、及び読取画像色変換工程によって目標印刷物読取画像データの信号値を第２の色空間の色度値に変換して得られる目標印刷物読取色度値画像データと原稿画像データとの位置関係を対応付ける処理を行う画像対応付け工程と、画像対応付け工程により原稿画像データとの位置関係が対応付けられた目標印刷物読取画像データから第１の解像度未満の第３の解像度を有する低解像度目標印刷物読取画像データを作成する第１の低解像度画像作成工程、又は画像対応付け工程により原稿画像データとの位置関係が対応付けられた目標印刷物読取色度値画像データから第１の解像度未満の第３の解像度を有する低解像度目標印刷物読取色度値画像データを作成する第１の低解像度画像作成工程と、原稿画像データから第２の解像度未満の第４の解像度を有する低解像度原稿画像データを作成する第２の低解像度画像作成工程と、画像対応付け工程により原稿画像データとの位置関係が対応付けられた印刷物読取画像データから第１の解像度未満の第３の解像度を有する低解像度印刷物読取画像データを作成する第３の低解像度画像作成工程、又は画像対応付け工程により原稿画像データとの位置関係が対応付けられた印刷物読取色度値画像データから第１の解像度未満の第３の解像度を有する低解像度印刷物読取色度値画像データを作成する第３の低解像度画像作成工程と、原稿画像データの信号値と、画像対応付け工程、及び読取画像色変換工程の処理を経て得られる目標印刷物の色度値と、画像対応付け工程、及び読取画像色変換工程の処理を経て得られる印刷物の色度値と、の対応関係である第１の色情報間対応関係、及び低解像度原稿画像データの信号値と、画像対応付け工程、第１の低解像度画像作成工程、及び読取画像色変換工程の処理を経て得られる目標印刷物の色度値と、画像対応付け工程、第３の低解像度画像作成工程、及び読取画像色変換工程の処理を経て得られる印刷物の色度値と、の対応関係である第２の色情報間対応関係から、目標印刷物の色度値と印刷物の色度値との差分を基に、原稿画像色変換工程に用いる色変換テーブルを作成する色変換テーブル作成工程と、を含む色変換テーブル作成方法である。
【００７４】
第４４態様の色変換テーブル作成方法において、第１態様を引用する態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作の工程又はステップの要素として把握することができる。
【００７５】
第４５態様に係る色変換テーブル作成方法は、入力色変換テーブルと出力色変換テーブルを用いて原稿画像データを、原稿画像データが有する解像度と同一解像度を有する印刷画像データ、又は原稿画像データが有する解像度と異なる解像度を有する印刷画像データに色変換する原稿画像色変換工程と、印刷画像データに従って印刷装置により印刷物を印刷する印刷工程と、画像読取部によって印刷物を第１の解像度により読み取って印刷物の読取画像を表す印刷物読取画像データであり第１の解像度を有する印刷物読取画像データを取得する工程と、画像読取部によって目標印刷物を第１の解像度により読み取って目標印刷物の読取画像を表す目標印刷物読取画像データであり第１の解像度を有する目標印刷物読取画像データを取得する工程と、第２の解像度を有する原稿画像を表す原稿画像データから第２の解像度未満の第６の解像度を有する原稿画像を表す中間解像度原稿画像データを作成する第４の低解像度画像作成工程と、目標印刷物読取画像データから第１の解像度未満の第５の解像度を有する中間解像度目標印刷物読取画像データを作成し、又は印刷物読取画像データから第１の解像度未満の第５の解像度を有する中間解像度印刷物読取画像データを作成する第５の低解像度画像作成工程と、画像読取部から得られる第１の色空間の信号値と、デバイス非依存色空間である第２の色空間の色度値との対応関係を表す第１の色変換テーブルを用いて、第１の色空間の信号値を第２の色空間の色度値に変換する読取画像色変換工程と、印刷物を画像読取部で読み取ることで得られる第１の色空間の信号値で表される印刷物読取画像データに対して第５の低解像度画像作成工程による低解像度化処理を施して得られた中間解像度印刷物読取画像データと、デバイス依存色空間である第３の色空間の信号値で表される原稿画像データであり第２の解像度を有する原稿画像を表す原稿画像データに対して第４の低解像度画像作成工程による低解像度化処理を施して得られた中間解像度原稿画像データとの位置関係を対応付ける処理、及び目標印刷物を画像読取部で読み取ることで得られる第１の色空間の信号値で表される目標印刷物読取画像データに対して第５の低解像度画像作成工程による低解像度化処理を施して得られた中間解像度目標印刷物読取画像データと、中間解像度原稿画像データとの位置関係を対応付ける処理を行う画像対応付け工程、又は読取画像色変換工程によって中間解像度印刷物読取画像データの信号値を第２の色空間の色度値に変換して得られる中間解像度印刷物読取色度値画像データと、原稿画像データとの位置関係を対応付ける処理、及び読取画像色変換工程によって中間解像度目標印刷物読取画像データの信号値を第２の色空間の色度値に変換して得られる中間解像度目標印刷物読取色度値画像データと原稿画像データとの位置関係を対応付ける処理を行う画像対応付け工程と、画像対応付け工程により中間解像度原稿画像データとの位置関係が対応付けられた中間解像度目標印刷物読取画像データから第５の解像度未満の第３の解像度を有する低解像度目標印刷物読取画像データを作成する第１の低解像度画像作成工程、又は画像対応付け工程により中間解像度原稿画像データとの位置関係が対応付けられた中間解像度目標印刷物読取色度値画像データから第５の解像度未満の第３の解像度を有する低解像度目標印刷物読取色度値画像データを作成する第１の低解像度画像作成工程と、中間解像度原稿画像データから第２の解像度未満の第４の解像度を有する低解像度原稿画像データを作成する第２の低解像度画像作成工程と、画像対応付け工程により中間解像度原稿画像データとの位置関係が対応付けられた中間解像度印刷物読取画像データから第５の解像度未満の第３の解像度を有する低解像度印刷物読取画像データを作成する第３の低解像度画像作成工程、又は画像対応付け工程により中間解像度原稿画像データとの位置関係が対応付けられた中間解像度印刷物読取色度値画像データから第５の解像度未満の第３の解像度を有する低解像度印刷物読取色度値画像データを作成する第３の低解像度画像作成工程と、原稿画像データの信号値と、画像対応付け工程、及び読取画像色変換工程の処理を経て得られる目標印刷物の色度値と、画像対応付け工程、及び読取画像色変換工程の処理を経て得られる印刷物の色度値と、の対応関係である第４の色情報間対応関係、及び低解像度原稿画像データの信号値と、画像対応付け工程、第１の低解像度画像作成工程、及び読取画像色変換工程の処理を経て得られる目標印刷物の色度値と、画像対応付け工程、第３の低解像度画像作成工程、及び読取画像色変換工程の処理を経て得られる印刷物の色度値と、の対応関係である第５の色情報間対応関係から、目標印刷物の色度値と印刷物の色度値との差分を基に、原稿画像色変換工程に用いる色変換テーブルを作成する色変換テーブル作成工程と、を含む色変換テーブル作成方法である。
【００７６】
第４５態様の色変換テーブル作成方法において、第７態様を引用する態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作の工程又はステップの要素として把握することができる。
【００７７】
第４６態様として、第４４態様又は第４５態様に記載の色変換テーブル作成方法において、色変換テーブル作成工程で作成した色変換テーブルを原稿画像色変換工程の色変換に用いて、再度、原稿画像色変換工程、印刷工程、印刷物読取画像データを取得する工程、読取画像色変換工程、画像対応付け工程、色変換テーブル作成工程、を繰り返す構成とすることができる。
【００７８】
第４６態様によれば、目標印刷物の色度値と印刷物の色度値の差分が許容範囲内に収まるまで、原稿画像色変換工程、印刷工程、印刷物読取画像データを取得する工程、読取画像色変換工程、画像対応付け工程、色変換テーブル作成工程、を繰り返すことができる。これにより、色再現の精度を一層向上させることができる。
【００７９】
第４７態様に係る色変換テーブル作成プログラムは、目標印刷物と印刷装置により印刷された印刷物とを読み取る画像読取部から目標印刷物と印刷物のそれぞれの読取画像を表す読取画像データを取得する機能と、画像読取部から得られる第１の色空間の信号値とデバイス非依存色空間である第２の色空間の色度値との対応関係を表す第１の色変換テーブルを用いて、第１の色空間の信号値を第２の色空間の色度値に変換する第１の色変換機能と、入力色変換テーブルと出力色変換テーブルを用いて、デバイス依存色空間である第３の色空間の信号値で表される原稿画像データであり第２の解像度を有する原稿画像を表す原稿画像データを、原稿画像データが有する解像度と同一解像度を有する印刷画像データ、又は原稿画像データが有する解像度と異なる解像度を有する印刷画像データに色変換する第２の色変換機能と、印刷画像データに従って印刷装置により印刷された印刷物を画像読取部で読み取ることで得られる第１の色空間の信号値で表される印刷物読取画像データと、原稿画像データとの位置関係を対応付ける処理、及び目標印刷物を画像読取部で読み取ることで得られる第１の色空間の信号値で表される目標印刷物読取画像データと、原稿画像データとの位置関係を対応付ける処理を行う画像対応付け機能、又は第１の色変換機能によって印刷物読取画像データの信号値を第２の色空間の色度値に変換して得られる印刷物読取色度値画像データと、原稿画像データとの位置関係を対応付ける処理、及び第１の色変換機能によって目標印刷物読取画像データの信号値を第２の色空間における色度値に変換して得られる目標印刷物読取色度値画像データと原稿画像データとの位置関係を対応付ける処理を行う画像対応付け機能と、画像対応付け機能により原稿画像データとの位置関係が対応付けられた目標印刷物読取画像データから第１の解像度未満の第３の解像度を有する低解像度目標印刷物読取画像データを作成する第１の低解像度画像作成機能、又は画像対応付け機能により原稿画像データとの位置関係が対応付けられた目標印刷物読取色度値画像データから第１の解像度未満の第３の解像度を有する低解像度目標印刷物読取色度値画像データを作成する第１の低解像度画像作成機能と、原稿画像データから第２の解像度未満の第４の解像度を有する低解像度原稿画像データを作成する第２の低解像度画像作成機能と、画像対応付け機能により原稿画像データとの位置関係が対応付けられた印刷物読取画像データから第１の解像度未満の第３の解像度を有する低解像度印刷物読取画像データを作成する第３の低解像度画像作成機能、又は画像対応付け機能により原稿画像データとの位置関係が対応付けられた印刷物読取色度値画像データから第１の解像度未満の第３の解像度を有する低解像度印刷物読取色度値画像データを作成する第３の低解像度画像作成機能と、原稿画像データの信号値と、画像対応付け機能及び第１の色変換機能による処理を経て得られる目標印刷物の色度値と、画像対応付け機能及び第１の色変換機能による処理を経て得られる印刷物の色度値と、の対応関係である第１の色情報間対応関係、及び低解像度原稿画像データの信号値と、画像対応付け機能、第１の低解像度画像作成機能、及び第１の色変換機能の処理を経て得られる目標印刷物の色度値と、画像対応付け機能、第３の低解像度画像作成機能、及び第１の色変換機能の処理を経て得られる印刷物の色度値と、の対応関係である第２の色情報間対応関係から、目標印刷物の色度値と印刷物の色度値の差分を基に、第２の色変換機能に用いる色変換テーブルを作成する色変換テーブル作成機能と、をコンピュータに実現させる色変換テーブル作成プログラムである。
【００８０】
第４７態様の色変換テーブル作成プログラムにおいて、第１態様を引用する態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作を行うプログラムの機能の要素として把握することができる。
【００８１】
第４８態様に係る色変換テーブル作成プログラムは、目標印刷物と印刷装置により印刷された印刷物を第１の解像度により読み取る画像読取部から、目標印刷物の読取画像を表す目標印刷物読取画像データであり第１の解像度を有する目標印刷物読取画像データ、及び印刷物の読取画像を表す印刷物読取画像データであり第１の解像度を有する印刷物読取画像データを取得する機能と、第２の解像度を有する原稿画像を表す原稿画像データから第２の解像度未満の第６の解像度を有する原稿画像を表す中間解像度原稿画像データを作成する第４の低解像度画像作成機能と、目標印刷物読取画像データから第１の解像度未満の第５の解像度を有する中間解像度目標印刷物読取画像データを作成し、又は印刷物読取画像データから第１の解像度未満の第５の解像度を有する中間解像度印刷物読取画像データを作成する第５の低解像度画像作成機能と、画像読取部から得られる第１の色空間の信号値とデバイス非依存色空間である第２の色空間の色度値との対応関係を表す第１の色変換テーブルを用いて、第１の色空間における信号値を第２の色空間における信号値に変換する第１の色変換機能と、入力色変換テーブルと出力色変換テーブルを用いて、デバイス依存色空間である第３の色空間の信号値で表される原稿画像データを、原稿画像データが有する解像度と同一解像度を有する印刷画像データ、又は原稿画像データが有する解像度と異なる解像度を有する印刷画像データに変換する第２の色変換機能と、印刷画像データに従って印刷装置により印刷された印刷物を画像読取部で読み取ることで得られる第１の色空間の信号値で表される印刷物読取画像データに対して第５の低解像度画像作成機能による低解像度化処理を施して得られた中間解像度印刷物読取画像データと、第３の色空間の信号値で表される原稿画像データであり第２の解像度を有する原稿画像を表す原稿画像データに対して第４の低解像度画像作成機能による低解像度化処理を施して得られた中間解像度原稿画像データとの位置関係を対応付ける処理、及び目標印刷物を画像読取部で読み取ることで得られる第１の色空間の信号値で表される目標印刷物読取画像データに対して第５の低解像度画像作成機能による低解像度化処理を施して得られた中間解像度目標印刷物読取画像データと、中間解像度原稿画像データとの位置関係を対応付ける処理を行う画像対応付け機能、又は、第１の色変換機能、及び第５の低解像度画像作成機能による処理を経て得られた中間解像度印刷物読取色度値画像データと、中間解像度原稿画像データとの位置関係を対応付ける処理、及び第１の色変換機能、及び第５の低解像度画像作成機能による処理を経て得られた中間解像度目標印刷物読取色度値画像データと、中間解像度原稿画像データとの位置関係を対応付ける処理を行う画像対応付け機能と、画像対応付け機能により中間解像度原稿画像データとの位置関係が対応付けられた中間解像度目標印刷物読取画像データから第５の解像度未満の第３の解像度を有する低解像度印刷物読取画像データを作成する第１の低解像度画像作成機能、又は画像対応付け機能により中間解像度原稿画像データとの位置関係が対応付けられた中間解像度目標印刷物読取色度値画像データから第５の解像度未満の第３の解像度を有する低解像度印刷物読取色度値画像データを作成する第１の低解像度画像作成機能と、中間解像度原稿画像データから第６の解像度未満の第４の解像度を有する低解像度原稿画像データを作成する第２の低解像度画像作成機能と、画像対応付け機能により中間解像度原稿画像データとの位置関係が対応付けられた中間解像度目標印刷物読取画像データから第５の解像度未満の第３の解像度を有する低解像度目標印刷物読取画像データを作成する第３の低解像度画像作成機能、又は画像対応付け機能により中間解像度原稿画像データとの位置関係が対応付けられた中間解像度目標印刷物読取色度値画像データから第５の解像度未満の第３の解像度を有する低解像度目標印刷物読取色度値画像データを作成する第３の低解像度画像作成機能と、原稿画像データの信号値と、第５の低解像度画像作成機能、画像対応付け機能、及び第１の色変換機能の処理を経て得られる目標印刷物の色度値と、第５の低解像度画像作成機能、画像対応付け機能、及び第１の色変換機能の処理を経て得られる印刷物の色度値と、の対応関係である第４の色情報間対応関係、及び低解像度原稿画像データの信号値と、第５の低解像度画像作成機能、画像対応付け機能、第３の低解像度画像作成機能、及び第１の色変換機能の処理を経て得られる目標印刷物の色度値と、第５の低解像度画像作成機能、画像対応付け機能、第３の低解像度画像作成機能、及び第１の色変換機能の処理を経て得られる印刷物の色度値と、の対応関係である第５の色情報間対応関係から、目標印刷物の色度値と印刷物の色度値との差分を基に、第２の色変換機能に用いる色変換テーブルを作成する色変換テーブル作成機能と、をコンピュータに実現させる色変換テーブル作成プログラムである。
【００８２】
第４８態様の色変換テーブル作成プログラムにおいて、第１態様を引用する態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作を行うプログラムの機能の要素として把握することができる。
【発明の効果】
【００８３】
本発明によれば、信頼性の高い色再現と高精細な画像の再現との両立が可能となる。
【図面の簡単な説明】
【００８４】
【図１】図１は本発明の実施形態に係る色変換テーブル作成装置を含んだ印刷システムのシステム構成を示すブロック図である。
【図２】図２は第１実施形態に係る色変換テーブル作成装置が適用される印刷システムの全体概要を示したブロック図である。
【図３】図３は印刷システムの第１の主要構成を示したブロック図である。
【図４】図４は第１の主要構成の変形例を示すブロック図である。
【図５】図５は第２の主要構成を示すブロック図である。
【図６】図６は第２の主要構成による処理の手順を示したフローチャートである。
【図７】図７は画像対応付け部における画像の位置合わせ処理の具体例を示したブロック図である。
【図８】図８（Ａ）は原稿画像データの例を示す図である。図８（Ｂ）は目標印刷物の例を示す図である。
【図９】図９は前処理を含む画像対応付けの処理を行う構成のブロック図である。
【図１０】図１０は原稿画像信号と色度値の対応データの例を示す図表である。
【図１１】図１１は色変換テーブルの入力側に相当する原稿画像データの色空間の格子点を表す説明図である。
【図１２】図１２はノイゲバウアモデルによる色度値の算出方法の説明図である。
【図１３】図１３は第２の色変換部に関する要部ブロック図である。
【図１４】図１４は原稿画像信号と目標色度値と印刷色度値と差分色度値の対応データの例を示す図表である。
【図１５】図１５は色補正テーブルを用いる場合の概念図である。
【図１６】図１６は分光測色器を併用する構成において測色位置を選択する際のグラフィカルユーザインターフェースの例を示す図である。
【図１７】図１７は測色値利用方法の第１例に係る構成を示したブロック図である。
【図１８】図１８は図５に示した第２の主要構成に対して色度値を測色値に置き換える機能が追加された構成を示すブロック図である。
【図１９】図１９は第１の主要構成において測色値を基にスキャナプロファイルの選択と補正を行う手段を備えた構成例を示すブロック図である。
【図２０】図２０は第２の主要構成において測色値を基にスキャナプロファイルの選択と補正を行う手段を備えた構成例を示すブロック図である。
【図２１】図２１は図１７に示した構成の変形例を示すブロック図である。
【図２２】図２２は図１８に示した構成の変形例を示すブロック図である。
【図２３】図２３は色抽出方法の例を示すフローチャートである。
【図２４】図２４は原稿画像データに着目領域を設定する処理の例を示す概念図である。
【図２５】図２５は画像読取部から得られる読取画像データの例を示す図である。
【図２６】図２６は図２４に示した原稿画像データから第１の抽出条件を満たすものとして抽出される領域の例を示す図である。
【図２７】図２７は図２５に示した読取画像データから第２の抽出条件を満たすものとして抽出された領域の例を示す図である。
【図２８】図２８は着目領域の周辺の領域を説明するために用いた説明図である。
【図２９】図２９は画像読取部に用いるスキャナにおける信頼性の低い領域を説明するために用いたスキャン面全体の平面図である。
【図３０】図３０は図１０に示した対応データに色の重要度を示す「重み」の例を追加した図表である。
【図３１】図３１は図１４に示した対応データに色の重要度を示す「重み」の例を追加した図表である。
【図３２】図３２は白色領域の重心の求め方を説明するために用いた説明図である。
【図３３】図３３はパッケージ印刷用の原稿画像データの例を示す模式図である。
【図３４】図３４は表面加工の有無を色抽出の条件に加えた色抽出処理のフローチャートである。
【図３５】図３５は本発明の他の実施形態に係る印刷システムのシステム構成を示すブロック図である。
【図３６】図３６は図３５の印刷システムにおける第２の主要構成を示すブロック図である。
【図３７】図３７は図２に示した色変換データ作成部の構成例を示すブロック図である。
【図３８】図３８は本発明の他の実施形態に係る印刷システムのシステム構成を示すブロック図である。
【発明を実施するための形態】
【００８５】
以下、添付図面にしたがって本発明を実施するための形態について詳説する。
【００８６】
＜システムの概要＞
図１は本発明の実施形態に係る色変換テーブル作成装置を含んだ印刷システムの全体構成を示すブロック図である。印刷システム１０は、画像編集装置１２と、印刷制御装置１４と、印刷部１６とを備える。画像編集装置１２は、実施形態に係る色変換テーブル作成装置としての役割を果たし、印刷部１６による色再現に必要な色変換テーブルの作成処理を行う。また、画像編集装置１２は、色変換テーブルを使用した色変換処理や画像データ加工、又は編集などの画像処理を行う装置である。画像編集装置１２で作成された印刷画像データは印刷制御装置１４に送られる。
【００８７】
印刷制御装置１４は画像編集装置１２により作成された印刷画像データに基づき、印刷部１６による印刷動作を制御する。印刷制御装置１４は、連続調画像データから二値又は多値の網点画像のデータに変換するハーフトーン処理部を含むことができる。本実施形態では、画像編集装置１２と印刷制御装置１４とを別々の構成として図示しているが、印刷制御装置１４の機能を画像編集装置１２に搭載する構成も可能である。例えば、１台のコンピュータを画像編集装置１２及び印刷制御装置１４として機能させる構成が可能である。
【００８８】
印刷部１６は印刷制御装置１４の制御に従い印刷を行う画像形成手段である。印刷部１６における印刷方式や使用する色材の種類については、特に限定されない。印刷部１６として、例えば、インクジェット印刷装置、電子写真プリンタ、レーザープリンタ、オフセット印刷装置、又はフレキソ印刷装置など、各種のプリンタを採用できる。
【００８９】
プリンタという用語は、印刷装置、画像記録装置、画像形成装置、又は画像出力装置などの用語と同義のものとして理解される。色材には、印刷部１６の種類に応じて、インクやトナー等を使用することができる。
【００９０】
ここでは、説明を簡単にするために、無版式のデジタル印刷装置を想定し、印刷制御装置１４と印刷部１６とを組み合わせた構成を印刷装置１８として記載する。印刷制御装置１４と印刷部１６とが一体的に組み合わせた印刷装置１８を構成する態様も可能であるし、印刷制御装置１４と印刷部１６とを別体の装置として構成し、有線又は無線の通信接続により信号の受け渡しを行う態様も可能である。
【００９１】
印刷部１６として印刷版を用いる有版式の印刷装置を採用する場合は、印刷制御装置１４に加えて、画像データから印刷版を作るプレートレコーダ等の製版装置を備えるシステム構成となる。この場合、製版装置と印刷制御装置１４と印刷部１６とを組み合わせた構成が印刷装置１８に相当する。なお、製版装置の図示は省略する。
【００９２】
本実施形態の印刷システム１０は、印刷装置１８の一例として、シアン、マゼンタ、イエロー、及びブラックの四色のインクを用いてカラー画像の形成が可能なインクジェット印刷装置を用いる。
【００９３】
以下の説明において、シアン、マゼンタ、イエロー、及びブラックの各色を、Ｃ、Ｍ、Ｙ、及びＫを用いて表すことがある。また、シアン、マゼンタ、イエロー、及びブラックを一括してＣＭＹＫと記載することがある。
【００９４】
ただし、インクの色数やその組み合わせはこの例に限らない。例えば、ＣＭＹＫの他に、ライトシアン、又はライトマゼンタなどの淡色インクを加える態様や、オレンジ、又はグリーンなどの特色のインクを用いる態様なども可能である。本明細書において、ライトシアンはＬＣ、ライトマゼンタはＬＭ、オレンジはＯを用いて表すことがある。
【００９５】
画像編集装置１２は、画像データ入力部２０と、画像データ記憶部２２と、画像処理部２４と、制御部２６と、を備える。また、画像編集装置１２は、画像読取部３０と、測色器３２と、表示部３４と、入力装置３６と、を備える。画像編集装置１２は、コンピュータのハードウェアとソフトウェアの組み合わせによって実現することができる。画像編集装置１２は、ＲＩＰ装置の一機能として実現することができる。
【００９６】
なお、ＲＩＰはRaster Image Processorの省略語である。また、本明細書において、ソフトウェアの用語はプログラムの用語と同義として取り扱うことができる。
【００９７】
画像データ入力部２０は、原稿画像データ４０を取り込むためのデータ取得部である。画像データ入力部２０は、外部又は装置内の他の信号処理部から原稿画像データ４０を取り込むデータ入力端子で構成することができる。画像データ入力部２０として、有線又は無線の通信インターフェース部を採用してもよいし、メモリカードなどの外部記憶媒体の読み書きを行うメディアインターフェース部を採用してもよく、若しくは、これら態様の適宜の組み合わせであってもよい。
【００９８】
メモリカードなどの外部記憶媒体には、リムーバブルディスクと呼ばれるものが含まれる。
【００９９】
目標印刷物４２は、再現すべき目標色の色見本印刷物であり、現物の色見本として与えられるものである。原稿画像データ４０は、印刷しようとする画像内容を表すデジタル画像データである。本例の場合、原稿画像データ４０は、目標印刷物４２の原稿画像の絵柄を示す画像データである。目標印刷物４２を画像出力したプリンタ、又は印刷装置や、印刷条件などは不明であってもよい。目標印刷物４２の出力手段として任意のプリンタを用いることができる。
【０１００】
原稿画像データ４０と目標印刷物４２は、印刷の依頼者から提供される。原稿画像データ４０は、目標印刷物４２の印刷面における全体の画像内容を示す全体画像のデータであってもよいし、印刷面に記録される画像の一部としての画像部品のデータ、又は原稿部品のデータであってもよい。
【０１０１】
原稿画像データ４０のデータ形式は、特に限定されない。本例では原稿画像データ４０として、ＣＭＹＫ各色それぞれを２５６階調で表現する８ビットの画像データを用いるが、ＣＭＹＫ信号に限らず、ＲＧＢ信号の形式でもよいし、ＣＭＹＫ信号と特色信号の組み合わせの形式などでもよい。また、信号の階調数、又は信号のビット数についてもこの例に限らない。
【０１０２】
なお、ＣＭＹＫ信号はシアン、マゼンタ、イエロー、及びブラックの色を用いて表されるカラー画像信号である。ＲＧＢ信号はレッド、グリーン、及びブルーの色を用いて表されるカラー画像信号である。
【０１０３】
画像データ記憶部２２は、画像データ入力部２０を介して取得された原稿画像データ４０を記憶しておく手段である。画像データ入力部２０から取り込まれた原稿画像データ４０は、画像データ記憶部２２に記憶される。
【０１０４】
画像読取部３０は、目標印刷物４２や印刷装置１８で印刷された印刷物５０などの印刷物を読み取って、光学像を電子画像データに変換し、読取画像を表すカラー画像としての読取画像データを作成する。例えば、画像読取部３０には、読取画像をＲＧＢ画像のデータとして出力が可能なカラーイメージスキャナを用いることができる。読取画像データは図７に符号１２０を付して図示する。
【０１０５】
本実施形態に示す画像読取部３０には、ＲＧＢの色成分の画像信号で表される読取画像データを取得できるスキャナが用いられる。画像読取部３０から取得した読取画像をスキャン画像と呼ぶ場合がある。なお、スキャナに代えて、カメラを利用することも可能である。
【０１０６】
画像読取部３０は、目標印刷物４２の読取画像データを取得する手段として機能する。また、画像読取部３０は、印刷装置１８で印刷された印刷物５０を読み取り、印刷物５０の読取画像データを取得する手段として機能する。画像読取部３０を介して取得した読取画像データは画像処理部２４に送られる。
【０１０７】
画像処理部２４は、画像読取部３０から取得した読取画像データと原稿画像データ４０を基に色変換テーブルの作成処理を行う。また、画像処理部２４は、原稿画像データ４０に対して色変換テーブルを用いた色変換処理を行い、印刷装置１８に受け渡すための画像データを作成する機能を有する。画像処理部２４は、必要に応じて、原稿画像データ４０や読取画像データに対して解像度変換や階調変換などの処理を行う機能を備える。画像処理部２４における処理内容の詳細は後述する。
【０１０８】
また、本実施形態に示す印刷システム１０は、画像読取部３０による読取画像の色情報の精度を高めるために、測色器３２を備えてもよい。測色器３２は測色部に相当する。測色器３２には分光測色器が用いられる。分光測色器は、可視光の波長領域を所定の波長刻み幅で反射率を測定し、人間の視覚の分光感度を表すＸＹＺ等色関数を用いてＸＹＺ値を算出して測色値を取得する。測色器３２として用いられる分光測色器は、例えば、可視光の波長領域である３８０ナノメートル以上７３０ナノメートル以下の波長領域を１０ナノメートルの波長刻み幅で反射率を測定し、測色値を得る。波長刻み幅は波長ステップと呼ばれる場合がある。測色器３２から得られるＸＹＺ値は、公知の変換式により、Ｌ＊ａ＊ｂ＊表色系などのデバイス非依存色空間の色座標値に変換することができる。
【０１０９】
本実施形態では、色の目標値を表すデバイス非依存色空間の表色系として、Ｌ*ａ*ｂ*表色系を用いる例について説明するが、表色系はこれに限定されるものではない。例えば、国際照明委員会が定める、輝度又は明るさを含む刺激値Ｙ、色の刺激値Ｘ、及び色の刺激値Ｚを用いたＸＹＺ表色系、輝度Ｙ、色度座標ｘ、及び色度座標ｙを用いたＹｘｙ表色系、Ｌ*ｕ*ｖ*表色系の他、色相Ｈ、彩度Ｓ、及び明度Ｖを用いたＨＳＶ表色系、色相Ｈ、彩度Ｓ、及び輝度Ｌを用いたＨＬＳ表色系、輝度Ｙ、色差Ｃb、及び色差Ｃrを用いたＹＣbＣr表色系を用いることが可能である。
【０１１０】
本明細書では表色系を色座標系と記載することがある。また、本明細書では、色相は英語表記のhueの頭文字Ｈを用いて表すことがある。彩度は英語表記のsaturationの頭文字Ｓを用いて表すことがある。明度は英語表記のvalueの頭文字Ｖ、又はbrightnessの頭文字Ｂを用いて表すことがある。輝度は英語表記luminanceの頭文字Ｌを用いて表すことがある。
【０１１１】
本明細書では表記を簡略化するため、Ｌ*ａ*ｂ*表色系の色空間をＬａｂ色空間と表記し、Ｌａｂ色空間の座標値で表される色度値をＬａｂ値と表記する。また、各画素の画像信号値がＬａｂ値によって記述される画像データをＬａｂ画像と表記する場合がある。Ｌａｂ色空間のように、デバイスに依存しない色空間であるデバイス非依存色空間の表色系座標で表される色の値を色度値と表記する。
【０１１２】
測色器３２から得られる測色値の情報は画像処理部２４に送られる。測色器３２を備える態様では、画像処理部２４は、画像読取部３０から得られる読取画像データの他、測色器３２から取得される測色値の情報も加味して色変換テーブルを作成することができる。
【０１１３】
制御部２６は、画像編集装置１２の各部の動作を制御する。表示部３４と入力装置３６はユーザインターフェースとして機能する。入力装置３６は、キーボード、マウス、タッチパネル、又はトラックボールなど、各種の手段を採用することができ、これらの適宜の組み合わせであってもよい。なお、タッチパネルを表示部３４の画面上に配置した構成のように、表示部３４と入力装置３６とが一体的に構成されている形態も可能である。
【０１１４】
オペレータは、表示部３４の画面に表示される内容を見ながら入力装置３６を使って印刷条件の入力や、画質モードの選択、測色位置の指定、付属情報の入力、付属情報の編集、又は情報の検索など各種情報の入力を行うことができる。また、入力内容その他の各種情報は表示部３４の表示を通じて確認することができる。
【０１１５】
＜第１実施形態に係る色変換テーブル作成装置の構成＞
図２は第１実施形態に係る色変換テーブル作成装置が適用される印刷システム１０の全体概要を示したブロック図である。図２中、図１で説明した要素と同一の要素には同一の符号を付した。なお、本実施形態では図１に示した測色器３２が省略された構成について説明する。
【０１１６】
本実施形態に示す印刷システム１０は、与えられた目標印刷物４２と原稿画像データ４０とを基に、印刷装置１８によって目標印刷物４２と同等の色を再現した印刷物５０、又は目標印刷物４２と同等の色の再現を狙った印刷物５０が得られるように色合わせを行う機能を備える。同等の色とは、依頼者が許容できる色の差の範囲で実質的に同等なものとして満足できる許容範囲を含むものである。
【０１１７】
このような色合わせを実現するために、印刷システム１０は、画像読取部３０を備えており、更に、図２に示すように、画像読取部３０から得られる読取画像データと原稿画像データ４０との対応付けを行う画像対応付け部６２を備えている。
【０１１８】
ここでいう読取画像データは、目標印刷物４２の読取画像データ、印刷物５０の読取画像データが含まれる。以下の説明において、両者を区別する必要がない場合には読取画像データの用語を使用する。
【０１１９】
一方、両者を区別する必要がある場合は、目標印刷物４２の読取画像データは目標印刷物読取画像データの用語を使用し、印刷物５０の読取画像データは印刷物読取画データの用語を使用する。
【０１２０】
画像対応付け部６２は目標印刷物読取画像データと原稿画像データ４０との位置合わせの処理、又は印刷物読取画像データと原稿画像データ４０との位置合わせの処理を行う画像位置合わせ部６２Ａを備えている。ここでいう原稿画像データ４０は低解像度化処理前の原稿画像データに相当する。
【０１２１】
画像対応付け部６２は、画像位置合わせ部６２Ａによって位置合わせの処理がされた両画像データの対応する位置の画像領域から色情報を抽出する第１の色抽出部６２Ｂを備えている。色抽出処理は単位領域ごとの色情報を取得する処理である。
【０１２２】
色抽出の処理に関しては、対応する位置の画素単位で色情報を抽出してもよいし、１画素の面積よりも大きな面積の単位領域から色情報を取得してもよい。単位領域の一例として、一辺が１ミリメートルの正方形領域が挙げられる。
【０１２３】
色抽出のための単位領域を構成する画素の数は、二以上の任意の数に設定することができる。色の抽出条件として、例えば、着目する単位領域である着目領域内にエッジを含んでいないこと、かつ、着目領域内における色の差が閾値以下であること、という二つの条件要素を満たす場合に、その注目領域の色を抽出する構成とすることができる。
【０１２４】
エッジは、画像中の濃淡、又は明るさや色が急激に変化している箇所である。上述の色の抽出条件は、色の差が閾値以下となる範囲で色の誤差、又はばらつきが許容される一様な領域を抽出するための条件である。色の抽出条件について、この例に限らず、他の抽出条件を定めることができる。
【０１２５】
読取画像データの解像度を第１の解像度とする。本実施形態では第１の解像度を６００ドット毎インチとする。なお、読取対象の目標印刷物４２、及び印刷物５０の解像度は任意の解像度を適用することができる。本実施形態における読取対象の目標印刷物４２、及び印刷物５０の解像度は６００ドット毎インチを超える解像度とする。
【０１２６】
原稿画像データの解像度を第２の解像度とする。第２の解像度は、与えられる原稿画像データ４０に依存しており、様々な値が想定される。第２の解像度は第１の解像度に合わせることができる。本実施形態では、第２の解像度を６００ドット毎インチとする。
【０１２７】
第１の低解像度画像作成部６３Ａは、画像位置合わせ部６２Ａによる位置合わせ処理後の読取画像データに基づき、第１の解像度未満の解像度である第３の解像度を有する画像データを作成する低解像度化処理を行う。すなわち、第１の低解像度画像作成部６３Ａは、画像位置合わせ部６２Ａによって位置合わせが行われた位置合わせ処理済みの読取画像に係る第１の解像度の画像データから、第１の解像度未満の解像度である第３の解像度を有する画像データを作成する。
【０１２８】
低解像度化処理がされた読取画像データには低解像度読取画像データの用語を使用する。低解像度読取画像データには、目標印刷物読取画像データを低解像度化した低解像度目標印刷物読取画像データ、及び印刷物読取画像データを低解像度化した低解像度印刷物読取画像データが含まれる。
【０１２９】
第２の低解像度画像作成部６１は、原稿画像データ４０に基づき、第２の解像度未満の解像度である第４の解像度を有する低解像度原稿画像データを作成する低解像度化処理を行う。すなわち、第２の低解像度画像作成部６１は、画像位置合わせ部６２Ａによって位置合わせが行われた原稿画像に係る第２の解像度の画像データから、第２の解像度未満の解像度である第４の解像度を有する画像データを作成する。
【０１３０】
第３の解像度は、人間の視覚の周波数特性に近似した解像度とすることが好ましい。特開２００６−１９７４５７号公報の段落００６９によれば、人間の視覚の周波数特性に近似した出力上の解像度が２５ドット毎インチ以上１２０ドット毎インチ以下程度であればよいことが記載されている。本実施形態における第３の解像度は、２５ドット毎インチ以上１２０ドット毎インチ以下程度とすることが好ましく、より好ましくは、５０ドット毎インチ以上１００ドット毎インチ以下とする。本実施形態では、第３の解像度の具体的な値として、５０ドット毎インチを採用した例を述べる。
【０１３１】
第４の解像度は、第３の解像度と近い値であることが好ましく、特に、第４の解像度は第３の解像度と同等の解像度であることがより好ましい。本実施形態では、第４の解像度の具体的な値として、第３の解像度と同等の５０ドット毎インチを採用した例を述べる。
【０１３２】
第１の低解像度画像作成部６３Ａと第２の低解像度画像作成部６１のそれぞれは、入力される画像データに対して、画素を一定の割合で間引く間引き処理、又は画素補間手法を用いて画素値を求める画素補間処理を実施することによって、５０ドット毎インチの画像データを作成する低解像度化処理を行う。なお、第１の低解像度画像作成部６３Ａと、第２の低解像度画像作成部６１とは、同一の処理内容とすることができ、第１の低解像度画像作成部６３Ａと、第２の低解像度画像作成部６１の処理機能を統合した共通の低解像度化処理部で構成することができる。なお、低解像度画像の作成処理に関して、ガウシアンフィルタなどぼかしフィルタをかけることにより平均化された画像を低解像度画像とみなしてもよい。ぼかしフィルタの適用により、エッジが鈍り、多少構造がある画像領域から平均的な色を抽出することができるという点で、上述の間引き処理や画素補間処理による解像度変換と同等の効果が得られる。
【０１３３】
第１の低解像度画像作成部６３Ａによる低解像度読取画像データの作成処理と、第２の低解像度画像作成部６１による低解像度原稿画像データの作成処理とは、それぞれ画像位置合わせ部６２Ａによる画像位置合わせの処理の後に実施される。これは、仮に、低解像度読取画像データと低解像度原稿画像データとを作成した後に、画像位置合わせの処理を行うとすると、極めて低解像度の画像データに基づいて画像位置合わせの処理を行うことになり、位置合わせの精度が悪くなるためである。
【０１３４】
第２の色抽出部６２Ｃは、第１の低解像度画像作成部６３Ａで作成された低解像度読取画像データと、第２の低解像度画像作成部６１で作成された低解像度化処理後の原稿画像データである低解像度原稿画像データから、対応する位置の色情報を抽出する処理を行う。第２の色抽出部６２Ｃで抽出される色は、第１の色抽出部６２Ｂで抽出される色に比べて、色の数が少ないものとなるが、より平均的な色が抽出されることになる。
【０１３５】
低解像度読取画像データは、目標印刷物４２の読取画像データ、又は印刷物５０の読取画像データから作成されている。低解像度原稿画像データは、原稿画像データ４０から作成されている。第２の色抽出部６２Ｃによって、低解像度原稿画像データから抽出したＣＭＹＫ値と、第３の解像度の画像データから抽出したＲＧＢ値との対応関係が特定されたデータが得られる。
【０１３６】
すなわち、画像対応付け部６２によって原稿画像データ４０のＣＭＹＫ値と、読取画像データのＲＧＢ値の対応関係を示すデータが得られる。なお、対応関係はルックアップテーブルの形としてデータ化することができる。
【０１３７】
第１の色変換部６４は、画像読取部３０から得られるデバイス依存色空間の色成分の信号値で表される色情報を、デバイス非依存色空間の色成分の信号値（本例ではＬａｂ）で表される色情報に変換する処理を行う。本実施形態では、デバイス依存色空間の色成分の信号値としてＲＧＢ信号値を適用する。デバイス非依存色空間の色成分の信号値としてＬａｂ値を適用する。
【０１３８】
画像対応付け部６２において、対比される二つの画像データの画像位置の対応付け処理である位置合わせの処理には、公知の画像位置合わせ方法を利用可能である。例えば、画像位置合わせ方法として特許文献２の段落［００６４］−［００６８］に記載の技術を用いることができる。画像の位置合わせ処理に関して、詳細は後述する。
【０１３９】
第１の色変換部６４は、読取色変換テーブル６８を用いて、ＲＧＢ色空間の色情報をＬａｂ色空間の色情報に変換する色変換処理を行う。読取色変換テーブル６８は、スキャナプロファイルに相当する色変換テーブルである。読取色変換テーブル６８は、画像読取部３０から得られるデバイス依存色空間の読取画像信号値であるＲＧＢ値とデバイス非依存のＬａｂ値との対応関係を表す色変換テーブルである。
【０１４０】
なお、ここでは、デバイス非依存色空間としてＬａｂ色空間を用いるが、他のデバイス非依存色空間を用いることも可能である。
【０１４１】
画像読取部３０から得られる読取画像データを表す読取画像信号の色空間が第１の色空間に相当し、Ｌａｂ色空間で例示されるデバイス非依存色空間が第２の色空間に相当する。
【０１４２】
第１の色変換部６４による色変換処理を経て、原稿画像データ４０のＣＭＹＫ値とＬａｂ値の対応関係を示すデータが得られる。第１の色変換部６４による色変換処理機能は第１の色変換機能に相当する。
【０１４３】
また、第１の色変換部６４による色変換処理を経て、第２の色抽出部６２Ｃによって得られた対応関係を示す色情報におけるＲＧＢ値を第１の色変換部６４によってＬａｂ値に変換することにより、原稿画像に係る低解像度原稿画像データから抽出したＣＭＹＫ値と、読取画像に係る低解像度読取画像データから色変換されたＬａｂ値との対応関係が特定されたデータが得られる。読取画像とは図２に示した目標印刷物４２における画像、及び印刷物５０における画像を含む概念である。
【０１４４】
図２に示した目標プロファイル作成部６６は、画像位置合わせ部６２Ａ、第１の色抽出部６２Ｂ、及び第１の色変換部６４の処理を介して作成される第１の色情報間対応関係と、第１の低解像度画像作成部６３Ａ、第２の色抽出部６２Ｃ、及び第１の色変換部６４の処理を介して作成される第２の色情報間対応関係を基に、目標プロファイル９２の色変換テーブルを作成する。この色変換テーブルはＣＭＹＫとＬａｂとの間の四次元から三次元への多次元の変換関係を規定するテーブルである。
【０１４５】
第１の色情報間対応関係は、第３の色空間の信号値であるＣＭＹＫ値で表される原稿画像と、目標印刷物４２の色度値と、印刷物５０の色度値との対応関係である。第１の色情報間対応関係は、第１の解像度の色情報に相当する。
【０１４６】
第２の色情報間対応関係は、第３の色空間の信号値であるＣＭＹＫ値で表され原稿画像を第４の解像度に低解像度化処理した原稿画像と、第３の解像度に低解像度化された目標印刷物４２の色度値と、第３の解像度に低解像度化された印刷物の色度値との対応関係である。第２の色情報間対応関係は第３の解像度の色情報に相当する。
【０１４７】
目標プロファイル９２はターゲットプロファイル、又は入力プロファイルとも呼ばれる。目標プロファイル９２の色変換テーブルは、原稿画像データ４０のＣＭＹＫ信号の目標色を、デバイス非依存色空間であるＬａｂ空間で定義したＣＭＹＫからＬａｂへの変換関係を記述した色変換テーブルである。目標プロファイル９２は入力色変換テーブルに対応する。
【０１４８】
すなわち、図２に示した目標プロファイル作成部６６は、まず、第２の色情報間対応関係を基に、一旦、色変換テーブルを作成し、その後、更に、この色変換テーブルに対して、第１の色情報間対応関係を加えてテーブルを修正し、最終的な色変換テーブルを作成する。こうして、第２の色情報間対応関係を基に、一旦、作成された色変換テーブルに対し、第１の色情報間対応関係のデータが追加されて、色変換テーブルが作成される。第１の色情報間対応関係と第２の色情報間対応関係とで、同じＣＭＹＫ値に対して異なるＬａｂ値が対応付けられている場合には、第１の色情報間対応関係の値が優先されて、色変換テーブルに反映される。
【０１４９】
図１に示した測色器３２を備える態様では、測色器３２によって測色値が得られる測色位置と原稿画像データ４０における位置と対応付けの処理を行う測色位置対応付け部と、測色器３２から得られる測色値を用いて、図２に示した読取色変換テーブル６８を補正する第１のプロファイル補正部と、を備える。第１のプロファイル補正部に代えて、又は加えて、第１の色変換部６４による色変換後のＬａｂ画像の色度値を直接修正する色度値置換部を備える構成も可能である。
【０１５０】
図２に示した画像位置合わせ部６２Ａ、第１の色抽出部６２Ｂを含む画像対応付け部６２、第１の色変換部６４、目標プロファイル作成部６６、図示しない測色位置対応付け部、図示しない第１のプロファイル補正部、及び図示しない色度値置換部の各部は、図１で説明した画像編集装置１２の画像処理部２４に含まれる。
【０１５１】
また、画像処理部２４には、図２に示すように、原稿画像データ４０の色変換を行う第２の色変換部８０と、第１の色変換テーブル作成部８２と、色変換データ作成部８５と、が含まれる。
【０１５２】
第２の色変換部８０は、ＩＣＣプロファイルの形式に則した目標プロファイル９２と、プリンタプロファイル９４とを用いて、原稿画像データ４０の変換処理を行い、印刷装置１８に適したデータ形式の画像信号を作成する。第２の色変換部８０の色変換機能は第２の色変換機能に相当する。また、第２の色変換部８０は、原稿画像データ４０を原稿画像データ４０が有する解像度と同一の解像度を有する印刷データに変換してもよいし、原稿画像データ４０を原稿画像データ４０が有する解像度と異なる解像度を有する印刷データに変換してもよい。
【０１５３】
ＩＣＣはInternational Color Consortiumの省略語である。ＩＣＣプロファイルとは、カラーマネージメントにおいて、インターナショナルカラーコンソーシアムの公表した標準に従い、色に関わる入出力機器や色空間を特徴付ける一連のデータである。
【０１５４】
本実施形態では、印刷装置１８に適したデータ形式の画像信号として、ＣＭＹＫ信号の形式による出力デバイス信号を作成する例を述べる。
【０１５５】
プリンタプロファイル９４は、出力プロファイルとも呼ばれる。プリンタプロファイル９４の色変換テーブルは、印刷装置１８に出力するＣＭＹＫ信号と印刷装置１８による出力色のＬａｂ値との対応関係を規定した色変換テーブルである。プリンタプロファイル９４の色変換テーブルは出力色変換テーブルに相当する。
【０１５６】
プリンタプロファイル９４の色変換テーブルは、再現すべきＬａｂ値に対応する出力ＣＭＹＫ値への変換関係、すなわちＬａｂ色空間における色度値からＣＭＹＫ色空間における信号値への変換関係を規定した色変換テーブルとなっている。
【０１５７】
第１の色変換テーブル作成部８２は、差分色度値演算部８４を備える。差分色度値演算部８４は目標印刷物４２の読取画像データから第１の色変換部６４で色変換して作成された目標色度値である目標印刷物４２のＬａｂ値と、印刷物５０の読取画像データから作成された印刷色度値である印刷物５０のＬａｂ値の差を表す差分色度値であるＬａｂ差分を計算する。第１の色変換テーブル作成部８２は、差分情報を基に、目標プロファイル９２を修正する処理を行う。
【０１５８】
なお、第１の色変換テーブル作成部８２は、目標プロファイル９２を修正する構成に限らず、プリンタプロファイル９４を修正する構成を採用してもよい。また、第１の色変換テーブル作成部８２は、差分情報を基に色補正プロファイル９６を作成し、目標プロファイル９２、色補正プロファイル９６、及びプリンタプロファイル９４を組み合わせて、第２の色変換部８０の色変換テーブルを修正する構成とすることができる。
【０１５９】
色変換データ作成部８５は第１の色情報間対応関係、及び第２の色情報間対応関係を基に、第３の色情報間対応関係を作成する。図３７は色変換データ作成部８５の構成を示すブロック図である。
【０１６０】
色変換データ作成部８５は、第１の色情報間対応関係を作成する第１の色情報間対応関係作成部８５Ａ、第２の色情報間対応関係を作成する第２の色情報間対応関係作成部８５Ｂ、及び第３の色情報間対応関係を作成する第３の色情報間対応関係作成部８５Ｃを含んで構成される。
【０１６１】
第１の色情報間対応関係作成部８５Ａは第１のデータセットを作成する。第１のデータセットはＣＭＹＫ−ＬａｂH1−ＬａｂH2の変換関係を規定する。第１のデータセットにおけるＣＭＹＫは第２の解像度を有する原稿画像データのＣＭＹＫ値である。ＬａｂH1は第１の解像度を有する目標印刷物読取画像データに対応する目標印刷物４２の色度値である。ＬａｂH2は第１の解像度を有する印刷物読取画像データに対応する印刷物５０の色度値である。
【０１６２】
第１のデータセットはＣＭＹＫ−ＬａｂH1とＣＭＹＫ−ＬａｂH2に論理積条件を適用して、両者のＣＭＹＫ値が一致するＬａｂH1及びＬａｂH2を抽出して作成される。両者のＣＭＹＫ値が一致するＬａｂH1及びＬａｂH2を抽出する態様が好ましいが、両者の色差に影響与えない程度の誤差（例えば、８ビットのデジタル値で表されるＣＭＹＫ値において、２デジタル値（プラスマイナス１デジタル値）の誤差）を含むＣＭＹＫ値は、一致するＣＭＹＫ値に含まれる。
【０１６３】
第２の色情報間対応関係作成部８５Ｂは第２のデータセットを作成する。第２のデータセットはＣＭＹＫ−ＬａｂL1−ＬａｂL2の変換関係を規定する。第２のデータセットにおけるＣＭＹＫは第４の解像度を有する低解像度原稿画像データのＣＭＹＫ値である。ＬａｂL1は第３の解像度を有する低解像度目標印刷物読取画像データに対応する目標印刷物４２の色度値であり、低解像度目標色度値に相当する。ＬａｂL2は第３の解像度を有する低解像度印刷物読取画像データ、又は低解像度印刷物読取色度値画像データに対応する印刷物５０の色度値であり、低解像度印刷色度値に相当する。
【０１６４】
第２のデータセットはＣＭＹＫ−ＬａｂL1とＣＭＹＫ−ＬａｂL2に論理積条件を適用して、両者のＣＭＹＫ値が一致するＬａｂL1及びＬａｂL2を抽出して作成される。両者のＣＭＹＫ値が一致するＬａｂL1及びＬａｂL2を抽出する態様が好ましいが、両者の色差に影響与えない程度の誤差（例えば、８ビットのデジタル値で表されるＣＭＹＫ値において、２デジタル値（プラスマイナス１デジタル値）の誤差）を含むＣＭＹＫ値は、一致するＣＭＹＫ値に含むものとすることができる。
【０１６５】
第３の色情報間対応関係作成部８５Ｃは、第１のデータセットと第２のデータセットについて、第１のデータセットを優先した論理和条件を適用して、原稿画像と目標印刷物と色合わせ用印刷物との対応関係を作成する。
【０１６６】
第１のデータセットを優先した論理和条件は、第１のデータセットと第２のデータセットとの間で共通するＣＭＹＫ値が存在した場合に第１のデータセットのＬａｂ値を採用する条件である。第１のデータセットと第２のデータセットとの間でＣＭＹＫ値が共通する態様が好ましいが、例えば、８ビットのデジタル値で表されるＣＭＹＫ値において、２デジタル値（プラスマイナス１デジタル値）の誤差を含むＣＭＹＫ値は、共通するＣＭＹＫ値に含むものとすることができる。
【０１６７】
両者に共通するＣＭＹＫ値が存在する場合に両者の平均値を使用してもよい。目標印刷物４２のＬａｂ値の平均値として（ＬａｂH1＋ＬａｂL1）／２を使用することができ、印刷物５０のＬａｂ値の平均値として（ＬａｂH2＋ＬａｂL2）／２を使用することができる。
【０１６８】
本実施形態の印刷システム１０において画像読取部３０を用いて目標印刷物４２と印刷物５０の色合わせを行う動作は、大きく分けて次の二つの段階に分けることができる。
【０１６９】
第１の段階は、目標印刷物４２を画像読取部３０で読み取って目標プロファイルを推定すること、すなわち、目標プロファイルを作成することである。
【０１７０】
第２の段階は、目標印刷物４２と、印刷装置１８で印刷された印刷物５０とのそれぞれを画像読取部３０で読み取って、これらの読取結果を基に第２の色変換部８０に適用するプロファイルを補正して色合わせ精度を向上させることである。
【０１７１】
第１の段階に対応する構成を「第１の主要構成」とし、第２の段階に対応する構成を「第２の主要構成」として、以下、第１の主要構成と第２の主要構成とのそれぞれについてさらに詳細に説明する。
【０１７２】
＜第１の主要構成について＞
図３は第１の主要構成における処理の流れを示したブロック図である。図３では、原稿画像データ４０はＣＭＹＫ、読取画像データはＲＧＢ、色度値はＬａｂとして記載しているが、本発明の実施に際して、適用する色空間はこの例に限らない。原稿画像データ４０は、ＲＧＢ画像データでもよいし、ＣＭＹ画像データでもよく、また、ＣＭＹＫ信号と特色信号とが組み合わされた画像データであってもよい。
【０１７３】
デバイス非依存色空間で表される色度値についても、ＸＹＺ表色系、Ｌｕｖ表色系その他の表色系の値でもよい。色空間の任意性については、以降の説明においても同様である。
【０１７４】
図３に示すように、第１の主要構成による目標プロファイルの作成処理は次の手順で行われる。
【０１７５】
［手順１］目標印刷物の画像読取工程において、目標印刷物４２を画像読取部３０で読み取る。目標印刷物の読取画像データ取得工程において、読取画像データを取得する。本例では読取画像データとしてＲＧＢ画像が得られるものとする。取得された読取画像データは画像対応付け部６２に送られる。
【０１７６】
［手順２］画像位置合わせ工程において、画像位置合わせ部６２Ａでは、読取画像データと原稿画像データ４０との位置関係の対応付けを行う処理を行う。なお、原稿画像データ４０を取り込む工程である原稿画像データ取得工程は、目標印刷物の読取画像データ取得工程の前でもよいし、目標印刷物の読取画像データ取得工程の後でもよい。
【０１７７】
画像位置合わせ部６２Ａにおいて原稿画像データ４０と目標印刷物４２の読取画像データの画素位置の対応関係が特定され、ＣＭＹＫ値で表される原稿画像データの信号値と、ＲＧＢ値で表される目標印刷物の読取画像データの信号値との位置関係を対応付けした、原稿画像データ、及び目標印刷物の読取画像データが得られる。
【０１７８】
［手順３］第２の低解像度画像作成工程において、第２の低解像度画像作成部６１により、目標印刷物読取画像データとの位置関係が対応付けられた原稿画像データ４０に対して低解像度化処理が施され、第４の解像度を有する低解像度原稿画像データが作成される。
【０１７９】
［手順４］第１の低解像度画像作成工程において、第１の低解像度画像作成部６３Ａにより、原稿画像データとの位置関係が対応付けられた目標印刷物読取画像データに対して低解像度化処理が施され、第３の解像度を有する低解像度目標印刷物読取画像データが作成される。第１の低解像度画像作成部６３Ａの機能は第１の低解像度画像作成機能に相当する。
【０１８０】
［手順５］第１の色抽出工程において、第１の色抽出部６２Ｂによって、原稿画像データ４０、及び目標印刷物４２の読取データから色情報を抽出する色抽出処理が施される。また、第２の色抽出部６２Ｃによって、低解像度原稿画像データ、及び低解像度目標印刷物読取画像データから色情報を抽出する色抽出処理が施される。色情報抽出処理の詳細は後述する。
【０１８１】
すなわち、手順３から手順５を経て、ＣＭＹＫで表される原稿画像データ４０とＲＧＢで表される目標印刷物４２の読取画像データとの対応関係、及びＣＭＹＫで表される低解像度原稿画像データとＲＧＢで表される低解像度目標印刷物読取画像データとの対応関係が取得される。
【０１８２】
［手順６］第１の色変換工程において、第１の色変換部６４により、第１の色変換テーブル６８Ａである読取色変換テーブル６８の色変換テーブルを用い、色抽出処理が施された目標印刷物読取画像データ、及び色抽出処理が施された低解像度目標印刷物読取画像データについて、ＲＧＢ値をＬａｂ値に変換する処理を行う。
【０１８３】
第１の色変換工程は、第１の解像度を有する目標印刷物読取画像データを表すＲＧＢ値をＬａｂ値に変換する処理を行う工程、及び第３の解像度を有する低解像度目標印刷物読取画像データを表すＲＧＢ値をＬａｂ値に変換する処理を行う工程が含まれる。
【０１８４】
第１の色変換テーブル６８Ａは、図２に示した読取色変換テーブル６８の色変換テーブルであり、ＲＧＢ値で表される読取画像データの信号値とＬａｂ値で表される色度値との対応関係が規定されている。すなわち、図３に示した第１の色変換テーブル６８Ａは、入力ＲＧＢ信号値を出力Ｌａｂ値に変換するＲＧＢ信号値からＬａｂ値への変換関係を規定したテーブルである。第１の色変換部６４により、読取画像データの信号値がデバイス非依存色空間の色度値に変換される。
【０１８５】
［手順７］手順２から手順６を経て、原稿画像データの信号値と色度値の対応関係を示すデータ、及び低解像度原稿画像データの信号値と色度値の対応関係を示すデータが得られる。第２の色変換テーブル作成工程では、原稿画像データの信号値と色度値の対応関係データを基に、第２の色変換テーブル作成部６６Ａにより、第２の色変換テーブル９２Ａが作成される。第２の色変換テーブル作成部６６Ａの機能は色変換テーブル作成機能に相当する。
【０１８６】
第２の色変換テーブル作成部６６Ａは、図２に示した目標プロファイル作成部６６に相当するものである。図３に示した第２の色変換テーブル作成部６６Ａにより作成される、第２の色変換テーブル９２Ａは、原稿画像データの信号値から色度値への変換関係を規定した色変換テーブルであり、ＣＭＹＫ値からＬａｂ値への変換関係を規定した色変換テーブルである。
【０１８７】
図３に示した第２の色変換テーブル９２Ａは、図２に示した目標色を表す目標プロファイル９２の色変換テーブルに相当しており、第２の色変換部８０に適用する目標プロファイル９２の色変換テーブルとして用いることができる。
【０１８８】
<<変形例>>
図４は図３に示した構成の変形例である。図４中、図３で説明した構成と同一又は類似する要素には同一の符号を付し、その説明は省略する。
【０１８９】
図４に示した構成は、図３に示した構成と比較して、画像対応付け部６２と第１の色変換部６４との処理の順序が入れ替えられた構成となっている。図４の例では、画像読取部３０から取得されるＲＧＢの読取画像データに対して、第１の色変換部６４によるＲＧＢ値からＬａｂ値への変換処理を行うことで、Ｌａｂ値で表される読取色度値画像データを作成する。
【０１９０】
読取色度値画像データは、目標印刷物４２の読取画像データに基づく目標印刷物読取色度値画像データ、及び図２に示した印刷物５０の読取画像データに基づく印刷物読取色度値画像データを含む概念である。
【０１９１】
読取色度値画像データが作成されると、読取色度値画像データと原稿画像データ４０との画像位置合わせ処理を行う。図４に示す構成でも図３の構成と同様の効果を得ることができる。
【０１９２】
第１の低解像度画像作成部６３Ａは、目標印刷物読取色度値画像データに対して低解像度化処理を施して、第３の解像度を有する低解像度目標印刷物読取色度値画像データを作成する。
【０１９３】
第２の低解像度画像作成部６１は、原稿画像データ４０に対して低解像度化処理を施して、第４の解像度を有する低解像度原稿画像データを作成する。第２の低解像度画像作成部６１の機能は第２の低解像度画像作成機能に相当する。
【０１９４】
第１の色抽出部６２Ｂは、原稿画像データ、及び目標印刷物読取色度値画像データから色情報を抽出する色抽出処理を行う。第２の色抽出部６２Ｃは低解像度原稿画像データ、及び低解像度目標印刷物読取色度値画像データから色情報を抽出する色抽出処理を行う。このようにして作成された原稿画像データの信号値と色度値の対応関係を示すデータ、及び低解像度化された原稿画像データの信号値と色度値との対応関係を示すデータを用いて、第２の色変換テーブル９２Ａが作成される。
【０１９５】
＜第２の主要構成について＞
図５は第２の主要構成を示したブロック図である。図５中、図１から図４で説明した構成と同一又は類似する要素には同一の符号を付し、その説明は省略する。図５における第３の色変換テーブル作成部１０２は、図２に示した第１の色変換テーブル作成部８２、差分色度値演算部８４、及び色変換データ作成部８５に対応する処理部である。
【０１９６】
なお、図面には示さないが、図３と図４で説明した第１の主要構成と同様に、第２の主要構成について、図５に示した構成の画像対応付け部６２と第１の色変換部６４の処理順序を入れ替える構成を採用することができ、かかる構成を採用しても図５と同じ効果を得ることができる。
【０１９７】
図５に示した第２の主要構成による処理の手順を図６のフローチャートを参照して説明する。図５に示した第２の主要構成では、まず、図６のステップＳ１１０において、第２の色変換部８０に入力色変換テーブルと出力色変換テーブルをセットする。入力色変換テーブルは、図２で説明した目標プロファイル９２の色変換テーブルであり、出力色変換テーブルはプリンタプロファイル９４の色変換テーブルである。
【０１９８】
図６のステップＳ１１０でセットされる入力色変換テーブルと出力色変換テーブルは、第２の色変換部８０における初期の設定として与えられる色変換テーブルである。このとき、入力色変換テーブルとして、図３で説明した第１の主要構成により作成した第２の色変換テーブル９２Ａを用いることが好ましい。ただし、必ずしも第２の色変換テーブル９２Ａに限らず、Japan Colorなどの標準プロファイルの入力色変換テーブルを用いることも可能であるし、印刷システム１０において過去に作成された色変換テーブルを適用することも可能である。出力色変換テーブルについては、使用する印刷用紙の種類に応じて印刷装置１８ごとに規定されているものを用いることができる。なお、Japan Colorは登録商標である。Japan Colorはジャパンカラーと表記されることがある。
【０１９９】
第２の色変換部８０に入力色変換テーブルと出力色変換テーブルを設定した後、図６のステップＳ１１２において、設定された入力色変換テーブル、及び出力色変換テーブルを用いて、第２の色変換部８０により原稿画像データ４０を色変換し、印刷装置１８への入力に適した印刷画像データを作成する。この工程は、図６のステップＳ１１２、第２の色変換工程、及び原稿画像色変換工程に相当する。
【０２００】
本実施形態に係る印刷装置１８の場合、ＣＭＹＫの原稿画像データ４０を、第２の色変換部８０の入力色変換テーブルと出力色変換テーブルとを用いて、ＣＭＹＫの印刷画像データに変換する。
【０２０１】
図６のステップＳ１１４において、第２の色変換部８０により作成された印刷画像データは、印刷装置１８に送られ、印刷装置１８により印刷が行われる。すなわち、図６の印刷工程Ｓ１１４により印刷物５０が得られる。
【０２０２】
図６のステップＳ１１８では、印刷工程Ｓ１１４により得られた印刷物５０と目標印刷物４２とを比較し、目標の色再現が達成された印刷物５０が得られたか否かを判断する。ステップＳ１１８における判断方法の例として、例えば以下の二つの方法がある。すなわち、判断方法の第１例は、印刷物５０と目標印刷物４２との目視比較で判断する方法である。判断方法の第２例は、印刷物５０と目標印刷物４２をそれぞれ画像読取部３０で読み取って取得した色度値の差分に基づき定量的に判断する方法である。
【０２０３】
判断方法の第２例の更なる具体例として、例えば、平均色差、又は最大色差を計算し、平均色差、又は最大色差がある閾値以下となっていれば目標の色再現が達成されたと判断する。また、他の具体例として、平均色差と最大色差を両方とも計算し、平均色差と最大色差とを組み合わせて判断してもよい。この場合、例えば、平均色差が第１の閾値以下となっており、かつ最大色差が第２の閾値以下となっている場合に目標の色再現が達成されたと判断することができる。また、平均色差と最大色差とを組み合わせて別の評価値（指標値）を求める評価関数を定義しておき、評価関数から求めた評価値と、判断基準として規定されている閾値とを比較して、目標の色再現が達成されたか否かを判断してもよい。
【０２０４】
つまり、判断方法の第２例は、後述するステップＳ１２４及びステップＳ１３４のそれぞれで得られた色度値の差分に基づき判断することになる。このような定量的な判断を行う演算機能及び判断機能を搭載しておくことにより、自動判断処理を実現できる。
【０２０５】
第１例として示した目視比較による判断方法に代えて、又はこれと組み合わせて、第２例として示した色度値の差分に基づく定量的な判断方法を採用することができる。
【０２０６】
ステップＳ１１８の判断において、目標印刷物４２と同等の色再現が達成された印刷物５０が得られていれば、ステップＳ１１８でＹｅｓ判定となり、色合わせの処理を終了することができる。
【０２０７】
これに対し、ステップＳ１１８の判断において、目標色の印刷物５０が得られていない場合には、ステップＳ１１８でＮｏ判定となり、ステップＳ１２０に進む。ステップＳ１２０では、画像読取部３０によって印刷物５０の読み取りを行い、印刷物５０の読取画像データを取得する。
【０２０８】
本実施形態では印刷物５０の読取画像データである印刷物読取画像データとしてＲＧＢ画像が得られ、取得された印刷物読取画像データは画像位置合わせ部６２Ａに送られる。画像位置合わせ部６２Ａでは、印刷物読取画像データと、原稿画像データ４０との位置関係の対応付けを行う。この工程は、図６のステップＳ１２２、画像対応付け工程に相当する。なお、原稿画像データ４０を取り込む工程である原稿画像データ取得工程は、印刷物５０を取り込む工程である印刷物読取画像データ取得工程の前に実施してもよいし、後に実施してもよい。ただし、図３で説明した第１の主要構成によって、既に原稿画像データ４０をシステムに取り込んでいる場合には、改めて原稿画像データ４０を取り込む必要はなく、図１に示した画像データ記憶部２２から原稿画像データ４０を読み出せばよい。
【０２０９】
図５に示した画像位置合わせ部６２Ａにおいて原稿画像と読取画像の画素位置の対応関係が特定され、ＣＭＹＫ値で表される原稿画像データ４０の信号値に対応する、ＲＧＢ値で表される印刷物読取画像データの信号値との対応関係を示すデータが得られる。
【０２１０】
図６のステップＳ１２３では、原稿画像データ４０から第４の解像度を有する低解像度原稿画像データが作成される。また、ステップＳ１２３では、図５に示した第３の低解像度画像作成部６３Ｂにより、印刷物読取画像データから第３の解像度を有する低解像度印刷物読取画像データが作成される。この工程は、第１の低解像度画像作成工程、第２の低解像度画像作成工程、第３の低解像度画像作成工程に相当する。
【０２１１】
図５に示した第３の低解像度画像作成部６３Ｂは、既に説明した第１の低解像度画像作成部６３Ａと同様に、低解像度読取画像データ作成部を構成する。図５には、第１の低解像度画像作成部６３Ａと第３の低解像度画像作成部６３Ｂとを個別に図示したが、低解像度読取画像データ作成部において、第１の低解像度画像作成部６３Ａと第３の低解像度画像作成部６３Ｂとを共通化してもよい。第３の低解像度画像作成部６３Ｂの機能は、第３の低解像度画像作成機能に相当する。
【０２１２】
図６のステップＳ１２３において、低解像度印刷物読取画像データが作成されると、第低解像度印刷物読取画像データに対して色抽出処理が施される。図６では色抽出工程の詳細な図示は省略する。色抽出工程の詳細は、図３４のステップＳ２０２からステップＳ２１２に示す。
【０２１３】
図６のステップＳ１２４では、印刷物読取画像データ、及び低解像度印刷物読取画像データに対し、図５に示した第１の色変換部６４により、第１の色変換テーブル６８Ａを用い、ＲＧＢ値からＬａｂ値に変換する処理を行う。これにより、印刷物読取画像データの色度値、及び低解像度印刷物読取画像データの色度値が得られる。この工程は、原稿画像
図５に示した印刷物５０に対する、図６に示したステップＳ１２０からステップＳ１２４までの工程と同様に、図５に示した目標印刷物４２について読取画像データの取得工程Ｓ１３０、原稿画像データと読取画像データとの位置合わせ工程Ｓ１３２、色度値への色変換工程Ｓ１３４が行われる。
【０２１４】
すなわち、図６のステップＳ１３０において、図５に示した目標印刷物４２について画像読取部３０による読み取りを行い、目標印刷物読取画像データを取得する。
【０２１５】
図６のステップＳ１３２において、目標印刷物読取画像データは図５に示した画像位置合わせ部６２Ａに送られる。画像位置合わせ部６２Ａは、目標印刷物読取画像データと原稿画像データ４０との位置関係の対応付けを行う画像位置合わせの処理を行う。
【０２１６】
画像位置合わせ部６２Ａにおいて原稿画像データと目標印刷物読取画像データとの画素位置の対応関係が特定され、ＣＭＹＫ値で表される原稿画像データの信号値に対応する、ＲＧＢ値で表される目標印刷物読取画像データの信号値との対応関係を示すデータが得られる。
【０２１７】
図６のステップＳ１３３において、図５に示した第３の低解像度画像作成部６３Ｂにより低解像度印刷物読取画像データが作成され、図６のステップＳ２０２からステップＳ２１２において、図５の第１の色抽出部６２Ｂにより、低解像度印刷物読取画像データの色抽出処理が行われる。
【０２１８】
図６のステップＳ１３４では、図５に示した第１の色抽出部６２Ｂによる色抽出処理を経た目標印刷物読取画像データに対し、第１の色変換部６４により、第１の色変換テーブル６８Ａを用い、ＲＧＢ値からＬａｂ値に変換する処理を行う。図６のステップＳ１３４は、第１の色変換工程、又は読取画像色変換工程に相当する。これにより、目標印刷物読取画像データの色度値が得られる。
【０２１９】
なお、ステップＳ１３０からステップＳ１３４までの処理は、ステップＳ１２０からステップＳ１２４の処理の前に行うことが可能であり、又はステップＳ１２０からステップＳ１２４までの処理と並行して行うことも可能である。また、図３で説明した第１の主要構成の手順１から手順４までによって、第２の色変換テーブル９２Ａを作成済みの場合には、目標印刷物読取画像データの色度値の情報が既に得られているため、図６のステップＳ１３０からステップＳ１３４の工程を省略することができる。
【０２２０】
こうして、原稿画像データ４０に対応した目標印刷物読取画像データの色度値である目標印刷物４２の色度値と、印刷物読取画像データの色度値である印刷物５０の色度値との情報が得られる。また、低解像度原稿画像データに対応した低解像度目標印刷物読取画像データの色度値である低解像度化された目標印刷物４２の色度値と、低解像度印刷物読取画像データの色度値である低解像度化された印刷物５０の色度値との情報が得られる。
【０２２１】
原稿画像データの信号値と、目標印刷物４２の色度値と、印刷物５０の色度値との関係、及び低解像度化された原稿画像データの信号値と、低解像度化された目標印刷物４２の色度値と、低解像度化された印刷物５０の色度値との関係から、目標印刷物４２の色度値と印刷物５０の色度値の差分を基に、色変換テーブルを作成する処理が行われる（図６のステップＳ１４６）。
【０２２２】
図６のステップＳ１４６における色変換テーブルの作成を行う処理部が、図５における第３の色変換テーブル作成部１０２である。第３の色変換テーブル作成部１０２が作成する色変換テーブルは、第２の色変換部８０で使用されるものであり、第３の色変換テーブル作成部１０２は、第２の色変換部８０で使用する入力色変換テーブル、出力色変換テーブル、図２に示した色補正プロファイル９６の色補正テーブルのいずれかを作成する。
【０２２３】
図６のステップＳ１４８では、図５に示した第３の色変換テーブル作成部１０２により作成された色変換テーブルを第２の色変換部８０に適用して、図６のステップＳ１１２に戻り、ステップＳ１１２以降の処理を繰り返す。なお、繰り返しの処理に際して、目標印刷物４２の読み取りに関するステップＳ１３０からステップＳ１３４までの処理は不要である。
【０２２４】
図５及び図６で説明した第２の主要構成によれば、第２の色変換部８０に適用する色変換テーブルをより適切なテーブルに改善することができ、色変換の精度をより一層向上させることができる。
【０２２５】
図５に示した第２の主要構成について、図４に示した第１の主要構成の変形例を適用した場合、第１の色変換部６４から印刷物５０に対応する印刷物読取色度値画像データが出力され、第３の低解像度画像作成部６３Ｂにより、印刷物読取色度値画像データに対応する低解像度印刷物読取色度値画像データが出力される。
【０２２６】
＜各部の説明＞
次に、図３、及び図４を用いて説明した第１の主要構成と、図４、及び図５を用いて説明した第２の主要構成における各部の機能について、さらに詳細に説明する。以下の説明において、低解像度化前の処理と低解像度化後の処理が共通している場合には、低解像度化前の処理についてのみ説明し、低解像度化後の処理の説明を適宜省略する。
【０２２７】
［画像読取部３０について］
図３及び図４に示した第１の主要構成において、画像読取部３０は、印刷物５０についての読み取りは実施せず、目標印刷物４２のみを読み取る。すなわち、第１の主要構成では、印刷物５０を印刷することなく、原稿画像データ４０と目標印刷物４２の読み取り結果のみから目標プロファイルを作成する。
【０２２８】
これに対し、図４及び図５に示した第２の主要構成では、画像読取部３０によって目標印刷物４２と、印刷装置１８で印刷した印刷物５０の二種の印刷物を読み取る。すなわち、第２の主要構成では、印刷装置１８で原稿画像データ４０の印刷を行い、得られた印刷物５０の読み取りを行い、かつ、与えられた目標印刷物４２の読み取りを行い、両者の読み取り結果の差が小さくなる方向に、第２の色変換部８０の色変換テーブルを修正する。
【０２２９】
［画像対応付け部６２について］
画像対応付け部６２では、画像位置合わせ部６２Ａによる原稿画像データ４０と読取画像データとの位置合わせ、及び第１の色抽出部６２Ｂによる色抽出を行う。画像位置合わせ部６２Ａでは、原稿画像データ４０と、目標印刷物４２、又は印刷物５０とを読み取って得られた読取画像データの画素位置の対応付けを行う。
【０２３０】
ここでいう読取画像データには、画像読取部３０から得たＲＧＢ画像、又はそのＲＧＢ画像を第１の色変換部６４で色変換をした色度値画像のいずれかが該当する。図３に示した構成の場合の読取画像データはＲＧＢ画像、図４に示した構成の場合の読取画像データは色度値画像となる。
【０２３１】
原稿画像データ４０と読取画像データとの位置合わせの処理には、公知の画像位置合わせ方法を利用可能である。例えば、画像位置合わせ方法として、特許文献１の段落［００６４］−［００６８］に記載の手法を用いることができる。
【０２３２】
図７は画像対応付け部６２における画像の位置合わせ処理の具体例を示したブロック図である。画像対応付け部６２は、幾何対応関係推定部１１２と、幾何変換部１１４とを備える。幾何対応関係推定部１１２は、原稿画像データ４０と読取画像データ１２０とを取り込み、これら二つの画像の幾何対応関係を推定する。幾何対応関係には、対比される二画像間の画像の変位量、回転角、変倍率のうち少なくとも一つの要素が含まれる。
【０２３３】
幾何変換部１１４は、幾何対応関係推定部１１２にて推定された幾何対応関係に基づいて、二つの画像のどちらか一方、又は両方に対し、両者を一致させるような幾何変換の処理を行う。例えば、読取画像データ１２０に対して幾何変換を行うものとし、原稿画像データ４０については幾何変換を実施しない構成とすることができる。また、幾何変換の一例としてアフィン変換を適用することができる。
【０２３４】
二つの画像の幾何対応関係の推定には、例えば、（ａ）マーカーを利用する方法、（ｂ）パターンマッチングを用いる方法、（ｃ）位相限定相関法を用いる方法などが利用できる。以下、特許文献１の記載事項を援用しながら説明する。
【０２３５】
（ａ）マーカーを用いる方法
印刷業界でいわゆるトンボと呼ばれる基準位置を示すマーカーが原稿画像の四隅や各辺の中央に配置された印刷物が出力される。このようなマーカー付きの印刷物を読み取った際に、このマーカーの位置のずれ量を測定して、画像間の変位量や回転角、変倍率を求めることができる。
【０２３６】
例えば、一枚の印刷物に四つから六つのマーカーが形成される。原稿画像データ４０上のマーカーと印刷物の読取画像データ１２０上のマーカーとの位置ずれを比較することで、幾何学変換パラメータを求めることができる。
【０２３７】
原稿画像データ４０におけるマーカーの特徴点の位置を示す点と、読取画像データ１２０におけるマーカーの特徴点の位置を示す点どうしの対応関係を求めることで、幾何学変換パラメータが得られる。ここで、二つの画像のうち一方の画像に例えばアフィン変換を行うことで二つの点パターンをマッチングさせることが知られている。したがって、幾何学変換パラメータを求めるには、二つの点パターンの各位置が最も近似する最適なアフィンパラメータを探し出せばよい。例えば、読取画像データ１２０におけるマーカーの特徴点を原稿画像データ４０におけるマーカーの特徴点にアフィン変換するためのアフィンパラメータの評価関数を定め、評価関数が最小になるときのアフィンパラメータを幾何学変換パラメータとする。
【０２３８】
（ｂ）パターンマッチング法を用いる方法
変位量のみを推定する方法の一例としては、テンプレートマッチング法が挙げられる。テンプレートマッチング法は一方の画像をテンプレートとし、位置を少しずつずらしながら他方の画像と一致度を求め、最も一致度の高くなる位置を検出するものである。幾何学変換が変位だけに限定できない場合には、ハフ変換などの回転角を推定する方法や、マルチスケール解析などの変倍量を推定する方法と組み合わせて利用する必要がある。
【０２３９】
テンプレートマッチングを応用したブロックマッチング法では、一方の画像をブロックに分割し、ブロックごとに他方の画像と最も一致度の高くなる位置を検出することにより変位量を求めることができる。ブロックマッチング法では、ブロックごとの変位量から回転角や変倍率を推定することも可能である。
【０２４０】
（ｃ)位相限定相関法を用いる方法
高い精度で変位量や回転角、変倍率を求める方法の例として、位相限定相関法や回転不変位相限定相関法がある。位相限定相関法は、画像に対して離散フーリエ変換をかけて得られる位相画像を用い、比較対象の二枚の画像から得られる二つの位相画像の相関が最も高くなる位置を検出することにより、変位量を求める手法である。位相限定相関法は、ＰＯＣと呼ばれる。ＰＯＣは、Phase Only Correlationの省略語である。
【０２４１】
また、回転不変位相限定相関法は、上記位相画像を対数極座標変換することにより、回転角と変倍率を変換された位相画像上での変位量として検出できるようにしたものである。回転不変位相限定相関法は、ＲＩＰＯＣと呼ばれる。ＲＩＰＯＣは、Rotation Invariant Phase Only Correlation省略語である。
【０２４２】
上記例示の手法（ａ）、（ｂ）、又は（ｃ）などにより、幾何学変換パラメータを求めた後、幾何変換部１１４は読取画像データ１２０、又は原稿画像データ４０に幾何学変換を実行する。変換に際してサブピクセル精度の移動や何らかの回転、実数値での変倍などにより変換前後の画素が一対一で対応付かないようなケースでは、適宜画素補間手法を用いて画素値を導出すればよい。画素補間手法の例としては、バイリニア法、バイキュービック法などが挙げられる。
【０２４３】
こうして、原稿画像データ４０との位置関係の対応付けが定まり、対応付け済み読取画像データ１２２が得られる。対応付け済み読取画像データ１２２は、図２から図５に示した第１の色変換部６４に送られる。
【０２４４】
［画像位置合わせのための前処理について］
原稿画像データ４０の解像度と読取画像データ１２０の解像度とが異なる場合には、画像位置合わせ部６２Ａにて、原稿画像データ４０に対し、読取画像データ１２０の解像度と一致させる解像度変換を行うことが好ましい。読取画像データは位置合わせ処理の際に一回から複数回にわたる補間処理が行われることがある。そして、補間処理によって意図せずシャープネスの低下、又は色の信頼性の低下等が生じることがありうる。色の信頼性を維持するという観点から、読取画像データ１２０ではなく原稿画像データ４０に対して解像度変換を行い、原稿画像データ４０と読取画像データ１２０との解像度を一致させる解像度変換を行うことが好ましい。
【０２４５】
その際に、解像度変換前の原稿画像データ４０を第２の色変換部８０において色変換し、印刷装置１８を用いて印刷して印刷物５０を得ることもできる。一般的な印刷に使用される画像データの解像度を３５０ドット毎インチ（１７５線の二倍）程度にすることがよいとされている。例えば、原稿画像データの解像度が３５０ドット毎インチの場合は、解像度変換をせずに原稿画像データを印刷装置１８に入力することで、好ましい印刷の実行が可能である。
【０２４６】
画像位置合わせ部６２Ａは、解像度変換の処理を行うための解像度変換部を含む構成としてもよいし、別途解像度変換部を備えてもよい。解像度変換部は、図２に示した第２の低解像度画像作成部６１、第１の低解像度画像作成部６３Ａ、及び第３の低解像度画像作成部６３Ｂと兼用してもよい。なお、解像度変換部の図示は省略する。
【０２４７】
例えば、原稿画像データ４０がＣＭＹＫ画像、読取画像データ１２０がＲＧＢ画像である場合のように、原稿画像データ４０と読取画像データ１２０の色空間が異なる場合には、画像対応付け部６２による画像の位置合わせを行う前に、両者をグレースケール変換し、同じ色空間に変換しておくのが好ましい。
【０２４８】
グレースケール変換は、例えば、読取画像データ１２０を、図２に示した読取色変換テーブル６８でＬａｂ値に変換し、明度を表すＬ値のみ取り出したモノクロ画像とすることで実現できる。原稿画像データ４０に対しては、図３、及び図４を用いて説明した第１の主要構成によって目標プロファイルを作成する時点では目標印刷物４２のカラープロファイルは存在しないが、例えばJapan Colorなど代表的なプロファイルなどを利用できる。また、原稿画像データ４０、及び読取画像データ１２０の両者をＬａｂ値からＸＹＺ値へ変換し、輝度を表すＹ値のみを取り出したモノクロ画像を生成し、両者を同じ色空間に変換してから位置合わせをしてもよい。
【０２４９】
また、原稿画像データ４０と読取画像データ１２０の両者をグレースケールに変換したとしても画素値が異なることが想定されるため、グレースケール画像に対し、さらにエッジ抽出処理を実施し、二値のエッジ画像に変換してから位置合わせを実施してもよい。なお、画素値の用語は濃度値の用語と置き換えることができる。
【０２５０】
エッジ抽出処理には、公知のソーベル法やプレウィット法などが利用できる。ソーベル法は、Sobel法と表記されることがある。プレウィット法は、Prewitt法と表記されることがある。
【０２５１】
また二つのエッジ画像のエッジ太さは異なってくることも想定されるため、それぞれのエッジ画像に対してさらに細線化処理を実施し、エッジ太さを揃えてから位置合わせを実施するようにしてもよい。細線化処理には、公知のヒルディッチの方法や田村の方法などが利用できる。ヒルディッチの方法は、Hilditchの方法と表記されることがある。
【０２５２】
このように原稿画像データ４０と読取画像データ１２０とで画像の色空間が異なる場合は、画像の幾何対応関係を推定し易いように、位置合わせのための前処理をしておくことが好ましい。なお、原稿画像データ４０と読取画像データ１２０が同じ色空間の場合でも前処理を実施してもよい。
【０２５３】
さらにまた、目標印刷物４２は、印刷装置１８以外の他の印刷装置で印刷した印刷物の現物、すなわち、実際に出荷された印刷物であり、目標印刷物４２と原稿画像データ４０とが一対一対応していない場合が考えられる。例えば、目標印刷物４２と原稿画像データ４０とが一対一対応していない場合として、次のような例を挙げることができる。
【０２５４】
<例１>：目標印刷物４２が、同じ原稿画像データ４０を同一印刷面内に多数配置した印刷物の場合。
【０２５５】
<例２>：目標印刷物４２が、原稿画像データ４０と色合わせ対象ではない画像データである、原稿画像データ４０とは異なる他の画像データとを同一印刷面内に配置した印刷物の場合。なお、互いに異なる複数の画像データを同一印刷面内に配置することを異種面付け、又はギャンギングなどという。
【０２５６】
<例３>：原稿画像データ４０が目標印刷物４２の一部を構成している場合。目標印刷物４２の一部の例として、目標印刷物４２のデザインの一部、又は目標印刷物４２のレイアウトの一部が挙げられる。
【０２５７】
上記の<例１>から<例３>までに例示したように目標印刷物４２と原稿画像データ４０とが一対一対応していない場合には、目標印刷物４２の読取画像の中から注目する原稿画像データ４０に対応する部分画像を抜き出す部分画像抜き出し処理を行うことが有用である。
【０２５８】
ここでは、<例１>の更なる具体例として、目標印刷物４２が同じ原稿画像データ４０を同一印刷面内に入れ子状に多数配置された印刷物である場合を説明する。同一印刷面内に多数配置することを面付けということがある。
【０２５９】
図８（Ａ）（Ｂ）にその例を示す。図８（Ａ）は原稿画像データの例を示し、図８（Ｂ）は目標印刷物の例である。図８（Ｂ）に示した目標印刷物は、図８（Ａ）の原稿画像データを印刷面内に入れ子状に多数配置して印刷した印刷物である。
【０２６０】
このような場合、目標印刷物の読取画像データをそのまま使用するのではなく、画像対応付け部６２による位置合わせの前に読取画像データ中で原稿画像データと対応する部分画像を予め抜き出しておくのが好ましい。
【０２６１】
部分画像を抜き出す処理の方法としては、公知のパターンマッチングを用いて原稿画像と対応する部分画像を特定して自動で抜き出す方法や、モニタとしての表示部３４に読取画像を表示させ、ユーザが原稿画像と対応する部分画像の範囲を手動で指定する方法などが考えられる。
【０２６２】
<例１>の場合に限らず、<例２>や<例３>の場合でも同様に、部分画像抜き出し処理を行うことが有用である。
【０２６３】
なお、上記の部分画像抜き出し処理は、例えば、依頼者から原稿画像一つ分の色見本が提供されている場合など、原稿画像データ４０と目標印刷物４２とが一対一に対応していれば不要である。
【０２６４】
図９は上述した前処理を含む画像対応付けの処理を行う構成のブロック図である。図９に示した画像対応付け部６２は、原稿対応画像抜き出し部１３０（「画像抜き出し部」に相当）と、グレースケール変換部１３２と、エッジ抽出部１３４と、細線化部１３６と、幾何対応関係推定部１１２と、幾何変換部１１４と、を備える。
【０２６５】
原稿対応画像抜き出し部１３０は、図８（Ｂ）で例示したような複数の画像が面付け配置された目標印刷物４２を読み取って得られた読取原画像データ１４０から原稿画像データ４０に対応する部分画像を抽出する処理を行う。読取原画像データ１４０は図８（Ｂ）のような目標印刷物の印刷面の全体を読み取って作成される読取画像のデータである。読取原画像データ１４０はＲＧＢ画像でもよいし、Ｌａｂ画像でもよい。
【０２６６】
原稿対応画像抜き出し部１３０によって抜き出された部分画像のデータが、原稿画像データ４０と対比される読取画像データ１２０となる。
【０２６７】
グレースケール変換部１３２は、原稿画像データ４０と読取画像データ１２０のそれぞれについて、グレースケールに変換する処理を行う。エッジ抽出部１３４は、グレースケール画像からエッジ抽出の処理を行う。細線化部１３６は、エッジ抽出部１３４で作成されたエッジ画像の細線化処理を行う。
【０２６８】
細線化部１３６により細線化処理されたエッジ画像が幾何対応関係推定部１１２に入力され、幾何対応関係推定部１１２にて、原稿画像データ４０と読取画像データ１２０の幾何対応関係が特定される。こうして求めた幾何対応関係を利用して、幾何変換部１１４により読取画像データ１２０に対する幾何変換の処理が実施され、対応付け済み読取画像データ１２２が得られる。
【０２６９】
画像対応付け部６２による対応付けの処理機能が「画像対応付け機能」に相当する。なお、原稿画像データ４０と目標印刷物４２の印刷画像とが一対一対応している場合は、図９における読取原画像データ１４０がそのまま読取画像データ１２０として扱われる。
【０２７０】
［第１の色変換部６４について］
第１の色変換部６４は、画像読取部３０から取得される読取画像データをデバイス非依存色空間のデータに変換する処理を行う。図２で説明したように、本実施形態では、予め用意された読取色変換テーブル６８の色変換テーブル（「第１の色変換テーブル」に相当）としてのＲＧＢからＬａｂへの変換テーブルを使用して、画像読取部３０の読取画像データを表す読取画像信号値からデバイス非依存色空間の色度値へ変換する。
【０２７１】
ここで、原稿画像データの中に同一の信号値が複数存在する場合に、画像読取部３０のノイズや、印刷物に付着しているゴミ、又は印刷物のキズなどの影響により、それぞれの読取画像信号値に対応する色度値が異なることが考えられる。したがって、このようなノイズ等の影響を低減するために、同一の画像信号値に対応する読取画像の色度値を平均化しておくことが好ましい。
【０２７２】
［目標プロファイル作成部６６、及び第２の色変換テーブル作成部６６Ａについて]
画像読取部３０、画像対応付け部６２、第１の色変換部６４のそれぞれの処理を経ることで、原稿画像データ４０における各画素の画像信号値である原稿画像信号と、目標印刷物４２の読取画像データにおける各画素の色度値との対応関係を表すデータが得られる。本実施形態では、ＣＭＹＫ値からＬａｂ値への対応関係を表すデータが得られる。
【０２７３】
図２に示した目標プロファイル作成部６６、すなわち、図３に示した第２の色変換テーブル作成部６６Ａは、原稿画像信号と色度値の対応関係データを基に、ＣＭＹＫ値で表される画像信号値からＬａｂ値で表される色度値に変換する、ＣＭＹＫ値からＬａｂ値への変換関係を規定する色変換テーブルを作成する。
【０２７４】
従来の印刷システムの場合、このような色変換テーブルを作成する際は、一般に、カラーチャートを用いて、色空間全体に規則的に配置された画像信号値と色度値との対応関係を求め、この対応関係から所定の補間方法で補間して色変換テーブルする。
【０２７５】
これに対し、本実施形態では、現物の再現目標である目標印刷物４２とその原稿画像データ４０とを基にするため、色空間における部分的かつ不規則な配置の画像信号値と色度値の対応関係から色変換テーブルを作成する必要がある。そのため、従来の一般的な補間による手法は利用できない。そのため、以下のような方法をとる。
【０２７６】
［実施例１］原稿画像信号と色度値の対応関係データを色変換テーブルに直接対応付ける方法について
原稿画像信号と色度値の対応関係データを色変換テーブルの色空間の格子点に直接対応付ける方法について、図１０及び図１１の例で説明する。ここでは説明を簡単にするために、ＣＭ二色の色変換テーブルの概念を示す。図１０はＣＭの原稿画像信号とＬａｂの色度値の対応関係データの例である。図１１は色変換テーブルの入力側に相当する原稿画像データの色空間のＣＭ面の格子点を表している。
【０２７７】
図１１では、Ｃ軸、Ｍ軸のそれぞれについて、信号値の取り得る範囲である変域、又は値域を０パーセントから１００パーセントで表し、各軸１０パーセントの刻みで格子点を設定している。なお、発明の実施に際して、格子点を規定する各軸の信号の刻み幅は１０パーセントに限らない。また、画像信号の信号値として８ビットの整数値である０から２５５を用いるとき信号値０を０パーセント、信号値２５５を１００パーセントとして、０から２５５までの間の値を線型式で対応付けることができる。
【０２７８】
図１１に示した１０パーセント刻みの格子点は、色変換テーブルにおける入力側の原稿画像信号の格子点を示すものとなる。各格子点に対して、対応するＬａｂ値が割り当てられたものが色変換テーブルに相当するものとなる。
【０２７９】
図１０のＩＤは原稿画像データで使用されている色であるＣ又はＭを特定する識別符号である。Ｃ値とＭ値はそれぞれ０パーセントから１００パーセントまでの値域における信号値を表している。Ｌａｂ値は、Ｌ値，ａ値，ｂ値の各成分の値を含む。
【０２８０】
ＩＤ＝１のＣＭ値は、（Ｃ，Ｍ）＝（２０，９０）であり、このＣＭ値に対応するＬａｂ値が（Ｌ，ａ，ｂ）＝（５０，６０，−１３）であることを示している。
【０２８１】
ＩＤ＝２の色は（Ｃ，Ｍ）＝（２４，６６）であり、このＩＤ＝２のＣＭ値色に対応するＬａｂ値は（Ｌ，ａ，ｂ）＝（６０，３６，−１７）であることを示している。
【０２８２】
色変換テーブルの作成に際しては、図１１に示すＩＤごとの原稿画像信号値に対応する色変換テーブルの格子点に、対応する色度値を設定する。
【０２８３】
ＩＤ＝１のＣＭ値は図１１における格子点Ｐ1に対応する色である。ＩＤ＝１に対応する格子点Ｐ1に、対応するＬａｂ値（５０，６０，−１３）が設定される。
【０２８４】
ＩＤ＝２からＩＤ＝５までについては、直接的に対応する格子点がないため、近隣の格子点に対して色度値を設定する。図１１に示すように、ＩＤ＝２，３，４について、原稿画像信号値を取り囲む周囲四つの格子点に色度値を設定する。
【０２８５】
ＩＤ＝２は（Ｃ，Ｍ）＝（２４，６６）を取り囲む四つの格子点Ｐ21，Ｐ22，Ｐ23，Ｐ24に対してそれぞれ同じＬａｂ値（６０，３６，−１７）を設定する。ＩＤ＝３とＩＤ＝４についても同様に、原稿画像信号値を取り囲む四つの格子点に対して色度値を設定する。ただし、ＩＤ＝３とＩＤ＝４のように、それぞれの原稿画像信号値を取り囲む四つの格子点の一部が重複し、同じ格子点に対し異なる色度値の候補が存在する場合は、候補の色度値を平均化して設定する。
【０２８６】
すなわち、ＩＤ＝３の（Ｃ，Ｍ）＝（３５，３５）を取り囲む四つの格子点はＰ31，Ｐ32，Ｐ33，Ｐ34であり、ＩＤ＝４の（Ｃ，Ｍ）＝（４７，２３）を取り囲む四つの格子点はＰ41又はP33，Ｐ42，Ｐ43，Ｐ44である。（Ｃ，Ｍ）＝（４０，３０）で表される格子点Ｐ33又はＰ41に対しては、ＩＤ＝３の色度値の候補（７１，９，−２０）と、ＩＤ＝４の色度値の候補（７２，−４，−２６）が存在するため、ＩＤ＝３とＩＤ＝４のＬａｂ値の平均値（７１．５，２．５，−２３）を割り当てる。
【０２８７】
他の格子点Ｐ31、Ｐ32，Ｐ34については、ＩＤ＝３のＬａｂ値（７１，９，−２０）を設定する。また、Ｐ42，Ｐ43，Ｐ44については、ＩＤ＝４のＬａｂ値（７２，−４，−２６）を設定する。
【０２８８】
ＩＤ＝５については、Ｃ値が１０パーセントであるため、取り囲む四つの格子点に代えて、二つの格子点Ｐ51，Ｐ52となり、これら格子点Ｐ51，Ｐ52に対して、対応するＬａｂ値（８９，６，−８）が設定される。
【０２８９】
色変換テーブルの全格子点のうち、原稿画像信号値に関係のない格子点は、原稿画像データ４０の色変換に使用されないため、適当な値に設定しておく。図１１における白丸で示した格子点については、例えば、Ｌａｂ＝（１００，０，０）のような任意の値を設定しておくことができる。
【０２９０】
図１０及び図１１では、説明を簡単にするために、ＣＭ二色の色変換テーブルとして説明したが、三色以上の色変換テーブルでも同様にして格子点に色度値を設定できる。
【０２９１】
二色の場合は任意のＣＭ値を取り囲む格子点は最大四点だが、三色の場合は最大八点、四色の場合は最大十六点となる。
【０２９２】
また、図１０及び図１１ではＩＤ＝１はＣＭ値が対応する格子点に直接Ｌａｂ値を対応付けたが、色変換テーブルを参照する際の演算誤差等により、僅かにずれた点が参照されてしまい、隣接格子点の色度値と補間演算される可能性も考えられる。そのため直接対応する格子点のみならず周囲の隣接格子点にも同一の色度値を設定しておくのも好ましい。
【０２９３】
この実施例１で説明した手法で作成した色変換テーブルを用いて原稿画像データ４０を色変換して印刷装置１８で印刷するのに不都合はない。
【０２９４】
しかし、本実施例１の手法で作成した色変換テーブルを用いて印刷した結果を見てオペレータがさらに色の調整のため原稿画像データを調整すると不都合が起こり得る。つまり、オペレータが原稿画像データ４０を調整した場合に所望の色の変化が起こらない、又はオペレータが意図した色の変動方向と異なる色の変動が発生すること等も考えられ、原稿画像データに対する色の調整が困難となる。
【０２９５】
上記のように原稿画像データを調整する際の不都合がなるべく発生しないようにするには、色空間全体が原稿画像データと直接関係しない色部分でも、相応の色度値でありオペレータが想像する色に近い色になっており、かつ、色の変化の滑らかさが確保されていることが好ましい。そのような色空間全体の滑らかな連続性を確保できるようにする場合は、以下に述べる実施例２、３、４のような手法を用いるのがよい。
【０２９６】
［実施例２］仮の色変換テーブルを原稿画像信号と色度値の対応関係データによって修正する方法について
実施例２では、予め色空間全体に相応の色変化の滑らかさが確保されている仮の色変換テーブルを用意し、原稿画像信号と色度値の対応関係データを用いて仮の色変換テーブルを局所的又は部分的に修正する。
【０２９７】
ここでいう、仮の色変換テーブルは、例えば、ＣＭＹＫの入力であれば、Japan Colo、SWOP、GRACoL、Fogra等のオフセット印刷における標準色再現を表す色変換テーブルのいずれかを用いることができ、ＲＧＢの入力であればsRGB、AdobeRGB等の色変換テーブルのいずれかを用いることができる。
【０２９８】
また、上述のような標準の色変換テーブルと、過去に本実施例２の手法で作成した色変換テーブルとをデータベースに蓄積しておき、今回の目標印刷物４２の読取画像と原稿画像データ４０から新たに取得した原稿画像信号と色度値の対応関係データに最も近い色変換テーブルを、データベースの中から選択して、当該選択された色変換テーブルを「仮の色変換テーブル」として用いることもできる。
【０２９９】
原稿画像信号と色度値の対応関係データに最も近い色変換テーブルの選択に際しては、原稿画像信号と色度値の対応関係データとの色差の平均値が最も小さいもの、原稿画像信号と色度値の対応関係データとの色差の最大値が最も小さいもの、などをデータベースから自動抽出し、仮の色変換テーブルとすることができる。
【０３００】
なお、自動抽出により、仮の色変換テーブルの候補が複数抽出された場合には、それらの候補を図１に示した表示部３４に表示させ、ユーザに選択させる構成も可能である。
【０３０１】
この仮の色変換テーブルに対し、［実施例１］で説明した格子点に対する色度値の設定を実施する。つまり、図１０で説明したＩＤ＝１からＩＤ＝５までに対応する、図１１に示した格子点Ｐ1、Ｐ21からＰ24、Ｐ31からＰ34、Ｐ41からＰ44、Ｐ51からＰ52については、実施例１と同様に色度値を設定し、図１１の白丸で示した格子点に対する色度値は仮の色変換テーブルの値そのままとなるように、仮の色変換テーブルを修正する。
【０３０２】
こうして得られる修正後の色変換テーブルは、仮の色変換テーブルについて局所的に格子点の色度値を置き換えるため、色度値を置き換えた格子点と置き換えていない格子点と間で色度値の連続性、又は滑らかさが悪くなることが予想される。そのため修正後の色変換テーブルに対し、更に平滑化処理、又はスムージング処理を実施し、色度値の変換の滑らかさを確保することが好ましい。
【０３０３】
［実施例３］色再現モデルを利用する方法について
色再現モデルとして、例えば、ノイゲバウアモデルが利用できる。ノイゲバウアモデルはNeugebauerモデルと記載されることがある。ノイゲバウアモデルとは各色材の一次色の０パーセントと１００パーセントの掛け合わせ色の色度値を各色材の面積率に応じて加算することで、各色材任意の面積率の掛け合わせによる再現色の色度値を求めるモデルである。ノイゲバウアモデルでは、一般には「色度値」としてＸＹＺ値を用いる。
【０３０４】
ここでは、図１２を参照しながら、ＣＭＹ三色材での例で色再現モデルを説明する。予測対象色のＣＭＹ面積率を（ｆc，ｆm，ｆy）とすると、各色材の０パーセントと１００パーセントの掛け合わせの面積率Ｆiは、次式のように算出することができる。面積率Ｆiの添え字ｉはｗ，ｃ，ｍ，ｙ，ｃｍ，ｍｙ，ｙｃ，ｃｍｙのいずれかを表している。
【０３０５】
Ｆw＝（１−ｆc）×（１−ｆm）×（１−ｆy）
Ｆc＝ｆc×（１−ｆm）×（１−ｆy）
Ｆm＝（１−ｆc）×（１−ｆm）×ｆy
Ｆcm＝ｆc×ｆm×（１−ｆy）
Ｆmy＝（１−ｆc）×ｆm×ｆy
Ｆyc＝ｆc×（１−ｆm）×ｆy
Ｆcmy＝ｆc×ｆm×ｆy
ここで、ｗは印刷用紙など印刷物の基材である印刷基材そのものを表す。面積率は、印刷基材上における単位面積あたりの被覆率を示している。ここでは、面積率は０以上１以下の値として表される。ＣＭＹ面積率（ｆc，ｆm，ｆy）は、画像データの信号値である画像信号値から把握される値である。
【０３０６】
各色材の０パーセントと１００パーセントの掛け合わせの色度値、例えば、ＸＹＺ値のＸをＸpiとすると、ＣＭＹ面積率（ｆc，ｆm，ｆy）に対する色度値Ｘは次式で求めることができる。
【０３０７】
【数１】
0006342824.tif 000002
【０３０８】
ＸＹＺ値のＹ，Ｚ値についても同様に求めることができ、さらにＸＹＺ値からＬａｂ値への変換も簡単にできる。また、三色印刷以外の二色や四色以上の印刷でも同様にして適用可能である。
【０３０９】
このノイゲバウアモデルを色変換テーブルの作成に利用するには各色材の０パーセント及び１００パーセントの掛け合わせの色度値が必要となる。
【０３１０】
しかし、本実施形態では、カラーチャートではなく、現実の印刷物である目標印刷物４２を基にするため、目標印刷物４２の読み取りから把握されるＣＭＹＫで表される画像信号値と、ＸＹＺで表される目標印刷物４２の色度値の対応関係の中に、各色材の０パーセントと１００パーセントの掛け合わせの色は必ずしも存在しない。
【０３１１】
そこで、ノイゲバウアモデルの各色材０パーセントと１００パーセントの掛け合わせに対応した色度値（Ｘpi，Ｙpi，Ｚpi）を未知数とし、画像信号値、すなわちＦiと、目標印刷物の色度値（Ｘm，Ｙm，Ｚm）の対応関係を正解データとして最適化手法により（Ｘpi，Ｙpi，Ｚpi）を推定することを考える。つまり、次式に示す差の二乗和を最小化する（Ｘpi，Ｙpi，Ｚpi）を見つける最適化を行う。
【０３１２】
次式はＸに関する式である。Ｙ，Ｚに関する式も同様に表すことができる。
【０３１３】
【数２】
0006342824.tif 000003
【０３１４】
ここで、ｊは画像信号値と目標印刷物の色度値の対応関係データのＩＤ、つまり各画素を意味する添え字である。
【０３１５】
最適化の手法は、例えば、ニュートン法、準ニュートン法、シンプレックス法などが利用できる。ここに例示した方法以外の手法を用いることも可能であり、適用する手法について限定するものではない。
【０３１６】
上記の最適化によって求められた色度値（Ｘpi，Ｙpi，Ｚpi）を用いることで、ノイゲバウアモデルにより色変換テーブルの各格子点の色度値を算出することができる。
【０３１７】
このように最適化の演算により（Ｘpi，Ｙpi，Ｚpi）を推定したが、画像信号中に色材の０パーセントと１００パーセントの掛け合わせの色があれば、対応する色度値をそのまま（Ｘpi，Ｙpi，Ｚpi）の値として採用してよい。未知数が減り最適化が容易になる。
【０３１８】
また上記の説明ではノイゲバウアモデルとしたが、次式のユール−ニールセン補正付きノイゲバウアモデルを利用することもできる。ユール−ニールセンはYule-Nielsenと記載されることがある。ｎはいわゆるユール−ニールセンの補正係数でありノイゲバウアモデルに対し掛け合わせの非線形性を補正する。
【０３１９】
【数３】
0006342824.tif 000004
【０３２０】
この補正係数付きモデルを利用する場合は、nを未知数に追加して最適化を実施すればよい。ｎはＸＹＺ値で共通でもよいし、Ｘ，Ｙ，Ｚでそれぞれ異なる係数（ｎx，ｎy，ｎz）として求めてもよい。
【０３２１】
この他にも、色予測の基本となる色（Ｘpi，Ｙpi，Ｚpi）を中間面積率も含む掛け合わせ色、例えば、０パーセント、４０パーセント、１００パーセントに拡張したセル分割ノイゲバウアモデル等の利用も可能である。なお、セル分割ノイゲバウアモデルは、Cellular-Neugebauerモデルと記載されることがある。また本発明の実施に際しては、ノイゲバウアモデルに限定されるものではない。画像信号と色度値の関係を表すモデルであればよく、ノイゲバウアモデル以外の色再現モデルを利用することもできる。また適当なマトリクスや多項式などで色再現、すなわち、画像信号と色度値の関係を数式化し、マトリクスの要素や多項式の係数などを最適化することで新たなモデルを作ることもできる。
【０３２２】
［実施例４］実施例３と実施例２の組合せ方法について
実施例４として、色再現モデルを利用して色変換テーブルを作成し、さらに、原稿画像信号と色度値の対応関係データによって、色変換テーブル、又は色再現モデルを利用して作成した色変換テーブルを修正する方法がある。つまり、実施例４は、実施例３で作成した色変換テーブルを仮の色変換テーブルとして、さらに実施例２の方法を実施するという方法である。
【０３２３】
［第２の色変換部８０について］
第２の色変換部８０は、目標プロファイル作成部６６、つまり、第２の色変換テーブル作成部６６Ａで作成した第２の色変換テーブル９２Ａを用いるプロファイル、又は、予め用意した適当なプロファイルを入力プロファイルとし、予め用意された印刷装置１８のプロファイルを出力プロファイルとして利用して原稿画像データ４０を色変換する。予め用意した適当なプロファイルには、例えばＣＭＹＫ信号の場合で言えば、Japan Color、SWOP、GRACoL、Fogra等などの標準プロファイルが含まれる。
【０３２４】
図５で説明した第２の主要構成において、第２の色変換部８０に対して最初にセットされる入力プロファイルは、目標印刷物４２の色再現特性になるべく近い方がよい。そのため、入力プロファイルの候補をデータベースに蓄積しておき、目標印刷物４２を読み取って取得した原稿画像信号と色度値の対応関係に基づいて、入力プロファイルを選択するように構成されることが好ましい。第２の色変換部８０に対して最初にセットする入力プロファイルは、原稿画像信号に対する読み取り色度値とプロファイル色度値の平均色差や最大色差が最も小さくなるものを選択するとよい。
【０３２５】
図１３は第２の色変換部８０に関する要部ブロック図である。
【０３２６】
画像編集装置１２は、色変換テーブルデータベース１６０と、入力色変換テーブル選択部１６２を備える。色変換テーブルデータベース１６０には、標準プロファイルや過去に作成した入力プロファイルの色変換テーブルが蓄積されている。色変換テーブルデータベース１６０は、「入力色変換テーブルデータベース」に相当する。
【０３２７】
入力色変換テーブル選択部１６２は、色変換テーブルデータベース１６０の中から、原稿画像信号と色度値の対応関係データ１６４に基づいて、最適な入力プロファイルの色変換テーブルを選択する処理を行う。原稿画像信号と色度値の対応関係データ１６４は、図２から図４で説明した画像対応付け部６２と第１の色変換部６４による処理を経て作成されるものである。
【０３２８】
図１３に示した入力色変換テーブル選択部１６２は、原稿画像信号と色度値の対応関係データ１６４に基づき、色変換テーブルデータベース１６０の中から、原稿画像信号に対する読取色度値とプロファイル色度値の平均色差や最大色差が最も小さくなるものを選択する処理を行う。
【０３２９】
入力色変換テーブル選択部１６２により選択された一つの色変換テーブルが第２の色変換部８０における入力プロファイルの色変換テーブル１６６としてセットされる。
【０３３０】
原稿画像データ４０は、第２の色変換部８０における入力プロファイルの色変換テーブル１６６によって、ＣＭＹＫ値からＬａｂ値に変換され、さらに、出力プロファイルの色変換テーブル１６８によって、Ｌａｂ値からＣＭＹＫ値に変換される。
【０３３１】
図１３に示した入力プロファイルの色変換テーブル１６６は、先に説明した入力色変換テーブルに相当する。図１３に示した出力プロファイルの色変換テーブル１６８は、先に説明した出力色変換テーブルに相当する。
【０３３２】
こうして、原稿画像データ４０は、第２の色変換部８０により、ＣＭＹＫからＣＭＹＫへ変換され、色変換後の印刷画像データ１７０としてのＣＭＹＫデータが得られる。なお、図１３では二つの色変換テーブルである色変換テーブル１６６及び色変換テーブル１６８によって、段階的に色変換処理を行うものとして説明したが、実際の処理に際しては、これら二つの色変換テーブルである色変換テーブル１６６及び色変換テーブル１６８を統合して一つのＣＭＹＫからＣＭＹＫへの変換の色変換テーブルにまとめることができる。この統合された多次元のＣＭＹＫからＣＭＹＫへの色変換テーブルを用いて、１回の処理で色変換を行うことができる。
【０３３３】
第２の色変換部８０によって作成された印刷画像データ１７０は、図１及び図２に示した印刷装置１８に渡される。印刷装置１８は、印刷画像データ１７０を基に印刷物５０の印刷を行う。
【０３３４】
［第３の色変換テーブル作成部１０２について］
次に、図５における第３の色変換テーブル作成部１０２について説明する。図５に示した第２の主要構成において、目標印刷物４２から色度値を取得する手順と同様に、印刷物５０についても印刷物５０から色度値を取得する手順を実施する。
【０３３５】
目標印刷物４２から色度値を取得する手順は、先に説明した手順１から手順３までであり、図６のステップＳ１３０からステップＳ１３４までに相当する。印刷物５０から色度値を取得する手順は、図６のステップＳ１２０からＳ１２４までに相当する。
【０３３６】
これにより、原稿画像データ４０と目標印刷物４２の色度値の対応関係データが得られ、かつ、原稿画像データ４０と印刷物５０の色度値の対応関係データが得られる。すなわち、原稿画像データ４０の信号値、目標印刷物４２の色度値、印刷物５０の色度値の三者の対応関係を示すデータが得られる。
【０３３７】
このような対応関係データから、原稿画像データ４０の各信号値に対する目標色度値Ｌａｂ1と、実際に印刷された結果の色度値である印刷色度値Ｌａｂ2との差分として求められる差分色度値Ｌａｂ12を取得できる。すなわち、差分色度値Ｌａｂ12は、差分色度値Ｌａｂ12＝目標色度値Ｌａｂ1−印刷色度値Ｌａｂ2と表される。
【０３３８】
差分色度値Ｌａｂ12を第２の色変換部８０における入力プロファイルである目標プロファイル９２の色変換テーブル、又は第２の色変換部８０における出力プロファイルであるプリンタプロファイル９４の色変換テーブルに反映させて、色変換テーブルを修正する。
【０３３９】
また、入力プロファイルと出力プロファイルの間で色度値を補正する色補正プロファイル９６を挿入する構成とし、差分色度値Ｌａｂ12の情報から色補正プロファイル９６の色補正テーブルを作成する構成とすることができる。
【０３４０】
図５に示した第３の色変換テーブル作成部１０２は、先に説明した差分色度値演算部８４と第１の色変換テーブル作成部８２とを含むブロックである。差分色度値演算部８４は目標色度値Ｌａｂ1と印刷色度値Ｌａｂ2の差分である差分色度値Ｌａｂ12を計算する処理部である。第１の色変換テーブル作成部８２は、入力プロファイルの色変換テーブル又は出力プロファイルの色変換テーブルを修正する処理、又は色補正プロファイル９６の色補正テーブルを作成する処理を行う。第１の色変換テーブル作成部８２の機能は色変換テーブル作成機能に相当する。
【０３４１】
［入力プロファイルの色変換テーブルを修正する方法の例について］
第３の色変換テーブル作成部１０２の具体例として、入力プロファイルの色変換テーブルを修正する例を説明する。本例では、入力プロファイルの色変換テーブルとしてＣＭＹＫからＬａｂへの変換テーブルが用いられる。
【０３４２】
入力プロファイルの色変換テーブルの格子点に、差分色度値Ｌａｂ12を加算して、色変換テーブルの出力側の値である色度値の値を修正する。修正方法については、上記のように差分色度値Ｌａｂ12をそのまま加算して修正する方法に限らず、修正強度としての係数をＡとして、Ａ×差分色度値Ｌａｂ12を加算して、色変換テーブルの出力側の値である色度値の値を修正するようにしてもよい。ここで、修正強度の係数Ａの範囲は、例えば、０＜Ａ≦２などとする。Ａ＝１の場合は、差分色度値Ｌａｂ12をそのまま加算して修正することに等しい。フィードバック調整を繰り返した場合の振動を防ぐため、修正強度の係数Ａを１よりもやや小さい値、例えば、「０．７５」などにしておくことが好ましい。修正強度の係数Ａは予め決めた固定値でもよいし、ユーザが適宜変更できるようにしておいてもよい。
【０３４３】
修正の対象となる格子点は［実施例１］、図１０、図１１で説明した例と同様である。
【０３４４】
ＣＭ二色の色変換テーブルの例で説明する。図１４は、ＣＭ値で表される原稿画像信号と、Ｌａｂ値で表される色度値の対応関係を表す対応データである。図１４では、原稿画像信号、目標色度値、印刷色度値、差分色度値の対応データが示されている。図１４では、目標色度値を目標Ｌａｂと記載する。
【０３４５】
図１４では、印刷色度値は印刷Ｌａｂと記載する。図１４では、差分色度値を差分Ｌａｂと記載する。図１４は、図１０で説明した対応データに印刷色度値、差分色度値を付加したものとなっている。
【０３４６】
図１４に示した差分色度値を、元の入力プロファイルの色変換テーブルの色度値である格子点のＬａｂ値に加算して、色度値を修正する。
【０３４７】
すなわち、図１１におけるＰ1の格子点に対応付けられた元のＬａｂ値に、差分色度値＝（＋１，−１，０）を加算して、Ｌａｂ値を修正する。
【０３４８】
Ｐ21，Ｐ22，Ｐ23，Ｐ24の格子点についても同様に、それぞれ元のＬａｂ値に、差分色度値＝（＋１，−４，−２）を加算して、Ｌａｂ値を修正する。
【０３４９】
Ｐ31，Ｐ32，Ｐ34の格子点についても同様に、それぞれ元のＬａｂ値に、差分色度値＝（＋１，−４，−２）を加算して、Ｌａｂ値を修正する。
【０３５０】
Ｐ42，Ｐ43，Ｐ44の格子点についても同様に、それぞれ元のＬａｂ値に、差分色度値＝（−１，＋３，−５）を加算して、Ｌａｂ値を修正する。
【０３５１】
ＩＤ＝３とＩＤ＝４とで重複する格子点Ｐ33、又は格子点Ｐ41については、ＩＤ＝３の差分色度値と、ＩＤ＝４の差分色度値の平均値を求め、その平均値を元のＬａｂ値に加算して、Ｌａｂ値を修正する。図１４の場合、ＩＤ＝３の差分色度値と、ＩＤ＝４の差分色度値の平均値は（−０．５，０，−１）であるため、この平均値を格子点格子点Ｐ33、又は格子点Ｐ41のＬａｂ値に加算して修正する。
【０３５２】
Ｐ51，Ｐ52の格子点については、それぞれ元のＬａｂ値に、差分色度値＝（−１，０，−２）を加算して、Ｌａｂ値を修正する。
【０３５３】
上記の具体例では、差分色度値をそのまま加算してＬａｂ値を修正する例を説明したが、既に説明したように、修正強度の係数Ａを用いて、Ａ×差分色度値を加算して修正するようにしてもよい。この場合、重複する格子点は、Ａ×差分色度値の平均値を加算して修正する。
【０３５４】
なお、以上のような方法で、色変換テーブルの格子点の色度値を修正すると、色変換テーブルの連続性、すなわち、変化の滑らかさが悪くなることも予想される。そのため、修正後の色変換テーブルに対し、さらに平滑化処理又はスムージング処理を実施することも好ましい。また、調整量としての修正強度の係数Ａを用いた差分色度値の調整と、平滑化処理を併用してもよい。
【０３５５】
［色補正テーブルを作成する方法の例について］
上記のように入力プロファイルの色変換テーブルに目標色度値と印刷色度値の差分を反映させる構成に代えて、色補正テーブルという形でも同様の効果が得られる。
【０３５６】
図１５は色補正テーブルを用いる場合の概念図である。色補正テーブル１８２は、第２の色変換部８０における入力プロファイルの色変換テーブル１６６と、出力プロファイルの色変換テーブル１６８の間で色度値を補正するテーブルである。色補正テーブル１８２は、図２で説明した色補正プロファイル９６の色変換テーブルである。ここでは、色補正テーブル１８２として入力Ｌａｂ値を出力Ｌａｂ値に変換するＬａｂからＬａｂへの変換テーブルを例示する。つまり、色補正テーブル１８２は、入力色変換テーブルである入力プロファイルの色変換テーブル１６６の出力値を修正する役割を果たす。
【０３５７】
図１４で説明した対応データを基に、色補正テーブル１８２は次のようにして作成することができる。
【０３５８】
色補正テーブル１８２における入力側Ｌａｂ値となる目標Ｌａｂ値が格子点上に対応している場合は、目標Ｌａｂ値に対応する格子点のＬａｂ値である出力側Ｌａｂ値を、目標Ｌａｂ値＋（目標Ｌａｂ値−印刷Ｌａｂ値）と設定する。
【０３５９】
また、目標Ｌａｂ値が格子点上に対応しない場合は、目標Ｌａｂ値を取り囲む格子点のＬａｂ値である出力側Ｌａｂ値を、目標Ｌａｂ値＋(目標Ｌａｂ値−印刷Ｌａｂ値)の値に設定する。
【０３６０】
色補正対象外の格子点は入力Ｌａｂ値と出力Ｌａｂ値が等しくなるようにテーブルの値を設定する。
【０３６１】
上記に例示の色補正テーブル１８２を作成する方法に関して、修正強度の係数をＡとして、色補正テーブル１８２における入力側Ｌａｂ値となる目標Ｌａｂ値が格子点上に対応している場合は、目標Ｌａｂ値に対応する格子点のＬａｂ値である出力側Ｌａｂ値を、目標Ｌａｂ値＋Ａ×（目標Ｌａｂ値−印刷Ｌａｂ値）と設定するようにしてもよい。また、目標Ｌａｂ値が格子点上に対応しない場合は、目標Ｌａｂ値を取り囲む格子点のＬａｂ値である出力側Ｌａｂ値を、目標Ｌａｂ値＋Ａ×(目標Ｌａｂ値−印刷Ｌａｂ値)の値に設定するようにしてもよい。既に説明したように、修正強度の係数Ａの範囲は、例えば、０＜Ａ≦２などとする。好ましくは、修正強度の係数Ａは１よりもやや小さい値とする。修正強度の係数Ａは予め決めた固定値でもよいし、ユーザが適宜変更できるようにしておいてもよい。
【０３６２】
なお、図１５では、入力プロファイルの色変換テーブル１６６によるＣＭＹＫからＬａｂへの変換と、色補正テーブル１８２によるＬａｂからＬａｂへの変換と、出力プロファイルの色変換テーブル１６８よるＬａｂからＣＭＹＫへの変換とを段階的に行うように記載してあるが、実際の演算処理に際しては、これら三つの色変換テーブルである色変換テーブル１６６、色補正テーブル１８２、色変換テーブル１６８を統合して一つのＣＭＹＫからＣＭＹＫへの変換の色変換テーブルにまとめることができる。この統合された多次元のＣＭＹＫからＣＭＹＫへの色変換テーブルを用いて、一回の処理で色変換を行うことができる。
【０３６３】
［出力プロファイルの色変換テーブルを修正する方法の例について］
また、他の方法として、出力プロファイルの色変換テーブル１６８を修正することでも同様の効果が実現できる。
【０３６４】
出力プロファイルの色変換テーブル１６８を修正する場合、目標Ｌａｂ値に対応する格子点のＣＭＹＫ値を差分色度値の分だけ色度値が変化するように修正する。
【０３６５】
上記に例示の出力プロファイルの色変換テーブル１６８を修正する方法に関して、修正強度の係数をＡとして、目標Ｌａｂ値に対応する格子点のＣＭＹＫ値を、Ａ×差分色度値の分だけ色度値が変化するように修正するようにしてもよい。既に説明したように、修正強度の係数Ａの範囲は、例えば、０＜Ａ≦２などとする。好ましくは、修正強度の係数Ａは１よりもやや小さい値とする。修正強度の係数Ａは予め決めた固定値でもよいし、ユーザが適宜変更できるようにしておいてもよい。
【０３６６】
以上説明したように、図５に示した第２の主要構成における第３の色変換テーブル作成部１０２は、目標色度値と印刷色度値の差分から、入力色変換テーブル又は出力色変換テーブルを修正し、又は色補正テーブルを作成する。
【０３６７】
そして、第２の主要構成では、第３の色変換テーブル作成部１０２で作成された修正後の入力色変換テーブル、出力色変換テーブル、又は色補正テーブルを用いて、原稿画像データ４０を再度色変換して、印刷を行う。
【０３６８】
これにより、印刷装置１８で印刷される印刷物の色が目標印刷物の色に近づくことが期待される。
【０３６９】
また、第２の主要構成において、上述の一連の手順である、第２色変換、印刷、印刷物読み取り、色度値取得、画像と色度値対応付け、色変換テーブル修正又は色補正テーブル作成を繰り返し実施することで、印刷物の色が目標印刷物の色である目標色にさらに近づくことが期待される。
【０３７０】
[測色器の併用について］
目標印刷物４２や印刷装置１８で印刷された印刷物５０をスキャナ等の画像読取部３０で読み取って取得した色度値には様々な誤差要因が考えられる。誤差要因として、例えば、スキャナの読み取り誤差、スキャナプロファイルの誤差、画像信号と色度値の対応付けの誤差、色変換テーブル作成の誤差などがあり得る。
【０３７１】
したがって、このような誤差要因の影響を低減し、色合わせの精度をより一層高めるために、測色器として機能する分光測色器を併用することが好ましい。画像読取部３０を介して取得される情報と、分光測色器で測色した情報とを組み合わせることで色合わせ精度を向上させることができる。
【０３７２】
［測色方法、測色値と画像位置の対応付け方法について］
印刷物のグラデーション部や絵柄部に関しては、所望の画像信号値に対応する測色値を分光測色器で取得するのは、物理的に難しい。その主な理由として、第１に、分光測色器のアパーチャーが、ある大きさを持つこと、第２に、測色位置を所望の位置に精密に合わせることが困難であること、が挙げられる。
【０３７３】
この点、分光測色器のアパーチャーのサイズより十分広い面積を持つ平網部分、例えば、一定の画像信号値が広がっている部分であれば、所望の画像信号値に対する測色値を容易に取得可能である。測色器によって画像信号値と対応する測色値を取得する方法として、以下の方法がある。
【０３７４】
[第１の方法]
第１の方法は、原稿画像データを解析して、測色器によって測定可能な平網部分を自動で特定し、測色推奨位置を表示部３４に表示し（図１参照）、ユーザに測色させる方法である。
【０３７５】
この場合、原稿画像データの中で、同じ色の画素数が多い色ほど、優先順位が高いものとして、グラフィカルユーザインターフェースで上から優先順に、測色推奨位置の候補を並べるようにしてもよい。なお、グラフィカルユーザインターフェースはＧＵＩと記載されることがある。ＧＵＩはgraphical user interfaceの省略語である。
【０３７６】
[第２の方法]
第２の方法は、表示部３４に原稿画像データの画像内容（原稿画像）を表示させ、ユーザが画面上で測色位置を選択して測色を行う方法である。
【０３７７】
なお、位置を指定して自動で測色できる測色器であれば、測色器に指示して自動測色させることもできる。
【０３７８】
ユーザが測色位置を画面上で指定する第２の方法において、ユーザがグラデーション部や絵柄部を指定した場合、測色対象画像信号値はユーザ指定位置に対応する画像中のある範囲内（例えば、測色器のアパーチャーの範囲程度）を平均化することで取得し、測色値は指定位置で測色を実施することで、アパーチャー範囲内の平均化された測色値として取得可能である。
【０３７９】
この場合、測色はユーザ指定位置、又は指定位置と指定位置の近傍とを含む領域で複数回実施するようにユーザに促し、複数回の測色結果を平均化して測色値を得るようにすることが好ましい。すなわち、ユーザが手動で測色器の位置を合わせる作業を行うと、測色位置に微妙なずれが生じるため、複数回の測色を実施し、複数回の測色結果を平均化することで、位置ずれによる測定誤差の影響を低減することが好ましい。
【０３８０】
図１６は測色位置を選択する際のＧＵＩの例である。図１６のような測定位置選択画面２００は、図１で説明した画像編集装置１２の表示部３４に表示される。測定位置選択画面２００には、画像表示エリア２０２と、測定点表示欄２０４と、測定実行ボタン２０６と、測定点追加ボタン２１０と、ＯＫボタン２１２と、キャンセルボタン２１４と、が含まれる。
【０３８１】
また、測定位置選択画面２００には、測定対象となる印刷物に対応する画像データの画像ファイル名や、システムに接続されている測定器の機種名が表示される。
【０３８２】
画像表示エリア２０２には、測定対象となる印刷物に対応する画像データの画像内容が表示される。図示した画像中のａで示した領域であり符号２２１の枠線で囲んだ部分と、ｂで示した領域であり符号２２２の枠線で囲んだ部分とが原稿画像データの解析から測色位置として推奨された平網部分を示している。
【０３８３】
測色位置として推奨された平網部分には、測色推奨位置としての識別符号であるＩＤが付与され、画像表示エリア２０２に表示される画像上に測色推奨位置を示す枠線２２１、２２２が重ね表示される。なお、図１６では、矩形の枠線２２１、２２２を例示しているが、枠線２２１、２２２の形状は矩形に限らず、他の多角形や円など、任意の図形形状とすることができる。
【０３８４】
また、測定点表示欄２０４に、測色推奨位置の情報が優先順に表示される。ＩＤ＝ａは枠線２２１で囲んだ領域に対応する測色推奨位置を示しており、ＩＤ＝ｂは枠線２２２で囲んだ領域に対応する測色推奨位置を示している。
【０３８５】
測定点表示欄２０４には、測定点のＩＤと、各測定点である測色位置に対応する原稿画像のＣＭＹＫ値の情報が表示される。
【０３８６】
測定点追加ボタン２１０は、推奨される測色位置、又は測色領域以外に、ユーザが自由に原稿画像上に測定点、又は測色領域を設定することを可能にするＧＵＩボタンである。測定点追加ボタン２１０を押すと、ユーザは原稿画像上に測定点、又は測色領域を手動で追加することができる。所望の測定点を指定する方法としては、図１に示した入力装置３６のポインティングデバイスやタッチパネルなどから、画像上の位置や領域を指定する手段を採用できる。
【０３８７】
なお、測定点追加ボタン２１０その他のＧＵＩボタンについて押すという表現には、クリックする、タッチするなど、ボタンに対応した指令の入力を行う動作が含まれる。
【０３８８】
測定実行ボタン２０６は、図示しない測色器による測色の実行を指令するＧＵＩボタンである。本例の場合、測定実行ボタン２０６は、測定点表示欄２０４に列挙される測定点の候補ごとに設けられている。
【０３８９】
測定実行ボタン２０６を押すと、対応する測定点に対応する画像位置について測色器による測色が実行される。測色器による測色が実行され、測色器から測色値、すなわち、Ｌａｂ値が取得されると、測定点表示欄２０４の該当するＬａｂ値表示セル２３０に測色結果のＬａｂ値が表示される。
【０３９０】
ＯＫボタン２１２は、測色器のよる測定を完了させる指令を行うＧＵＩボタンである。キャンセルボタン２１４は、処理や操作を取り消す指令を与えるＧＵＩボタンである。ＯＫボタン２１２を押すことで、測色器による測定の処理を完了し、測定結果が保存される。
【０３９１】
上記の説明では目標印刷物４２や印刷装置１８で印刷した印刷物５０の画像中における特定箇所の色を測色器で測色する場合を説明したが、測色器による測定対象は、目標印刷物４２や印刷物５０に限らない。
【０３９２】
目標印刷物４２や印刷物５０の他、カラーチップなど別の見本で目標色が指定されている場合には、目標印刷物４２ではなくカラーチップを測色してもよい。
【０３９３】
このようにして、測色器による測色の対象となった位置の画像信号、原稿画像信号、又は読取画像信号と測色器で取得した測色値の組合せデータが得られる。この組合せデータの利用方法に関する二つの具体例を以下に説明する。
【０３９４】
［測色値利用方法の第１例］
測色器から得られる測色値の利用方法の第１例として、原稿画像と色度値の対応関係に測色値を直接反映させる方法を説明する。
【０３９５】
図１７は測色値利用方法の第１例に係る構成を示したブロック図である。図１７に示す構成は、図３で説明した第１の主要構成に対して、測色器３２、色度値置換部７４、及び測色対象原稿画像信号取得部２４０が追加された構成となっている。図１７に示す構成において、図３で説明した構成と同一又は類似する要素には同一の符号を付し、その説明は省略する。
【０３９６】
測色対象原稿画像信号取得部２４０は、測色器３２を用いて印刷物を測色した測色位置に対応する原稿画像上の位置を把握して、原稿画像データ４０の中の測色位置に相当する画像位置の原稿画像信号値である、測色対象原稿画像信号値を取得する手段である。
【０３９７】
測色対象原稿画像信号取得部２４０の機能は、図２で説明した測色位置対応付け部７０に含まれている。測色位置対応付け部７０は、図１６で説明した測色推奨位置を提供する手段や、測色位置をユーザが設定できるＧＵＩ、指定された測色位置について自動的に測色を実施する自動測色手段などを含むことができる。
【０３９８】
色度値置換部７４は、目標印刷物４２の読取画像データに対して画像対応付け部６２及び第１の色変換部６４による処理が行われて作成された「原稿画像信号と色度値の対応関係データ」に対し、測色器３２から取得される測色値であるＬａｂ値と、測色対象原稿画像信号取得部２４０から得られる測色対象原稿画像信号値であるＣＭＹＫ値とを基に、原稿画像上の印刷物を測色した位置に相当する測色対象原稿画像信号値に対応する色度値データを測色器３２で取得した測色値に置き換える置換処理を行う。
【０３９９】
色度値置換部７４による置換処理を経て作成される置換処理後の原稿画像信号と色度値の対応関係データを基に、第２の色変換テーブル作成部６６Ａによって第２の色変換テーブル９２Ａが作成される。
【０４００】
図１７で説明した測色器３２、測色対象原稿画像信号取得部２４０及び色度値置換部７４の構成は、図４に示した構成や図５に示した構成にも同様に追加することができる。
【０４０１】
図１８は図５で説明した第２の主要構成に対して、色度値を測色値に置き換える機能を追加した構成を示すブロック図である。
【０４０２】
図１８に示す構成は、図５で説明した第２の主要構成に対して、測色器３２、色度値置換部７４、及び測色対象原稿画像信号取得部２４０が追加された構成となっている。
【０４０３】
図１８に示す構成の場合は、目標印刷物４２と、印刷装置１８で印刷された印刷物５０の両方に対して測色器３２による測色の実行が可能となる。
【０４０４】
色度値置換部７４は、目標印刷物４２の読み取りによって得られる「原稿画像信号と目標印刷物の色度値の対応関係データ」と、印刷物５０の読み取りによって得られる「原稿画像信号と印刷物の色度値の対応関係データ」の両方の色度値を、測色器３２から得られる測色値に置き換えることができる。
【０４０５】
色度値置換部７４による置換処理を経て作成される置換処理後の「原稿画像信号と目標印刷物の色度値の対応関係データ」及び「原稿画像信号と印刷物の色度値の対応関係データ」を基に、第３の色変換テーブル作成部１０２によって、第２の色変換部８０の入力色変換テーブル又は出力色変換テーブルが修正され、又は色補正テーブルが作成される。
【０４０６】
このようにして画像信号と色度値の対応関係のデータに、測色器３２からの測色値を直接反映することにより、色変換の精度がより一層向上する。
【０４０７】
［測色値利用方法の第２例］
測色器３２から得られる測色値の利用方法の第２例として、測色値を基にスキャナプロファイルの選択又は補正を行う方法を説明する。画像読取部３０に用いられるスキャナは、一般にはＲＧＢ３原色のフィルタを通して取得した画像信号であるスキャナ画像信号を取得する。ＲＧＢ３原色のフィルタの分光感度は、分光測色器のＸＹＺ等色関数とは異なるものである。
【０４０８】
スキャナプロファイルとは、スキャナ画像信号と、測色値であるデバイス非依存色空間の色度値との対応付けをしたものである。スキャナにおけるＲＧＢ３原色のフィルタの分光感度、すなわち、スキャナの分光感度は、分光測色器のＸＹＺ等色関数とは異なるものである。そのため、異なる分光特性を持つ色材や基材の場合に、スキャナで取得したＲＧＢ信号値は同じになる場合でも、測色器で取得されるＸＹＺ値やＬａｂ値は異なる事も起こり得る。つまり、スキャナプロファイルは印刷物の色材や基材に依存性がある。
【０４０９】
そこで、予め様々な色材や基材に対する複数のスキャナプロファイルをデータベースに用意しておき、測色対象読取画像信号と測色値の関係から、実際の印刷物での測色値に対して、最も近いスキャナプロファイルを選択する構成が好ましい。
【０４１０】
また、測色対象読取画像信号と測色値の関係からスキャナプロファイルの色変換テーブルを補正し、画像読取部３０で得られる色度値を実際の印刷物から得られる測色値に近くなるようにする構成も好ましい。
【０４１１】
図１９は測色値を基にスキャナプロファイルの選択と補正を行う手段を備えた構成例である。ここでは、測色器３２から得られる測色値を用いてスキャナプロファイルの選択と修正をどちらも実施する場合を説明するが、スキャナプロファイル選択と修正のどちらか一方を実施する形態も可能である。すなわち、スキャナプロファイルの選択のみ実施する形態でもよいし、スキャナプロファイルを一つだけ用意しておき、適応的に修正のみ実施するような形態でもよい。
【０４１２】
図１９に示した画像編集装置１２の構成例は、図３で説明した第１の主要構成に対して、測色器３２、測色対象読取画像信号取得部２４２、色変換テーブルデータベース２５０、第１の色変換テーブル選択部２５２、第１の色変換テーブル補正部２５４が追加された構成となっている。
【０４１３】
測色対象読取画像信号取得部２４２は、画像読取部３０から得られる読取画像データを基に、測色器３２を用いて印刷物を測色した測色位置に対応する読取画像データ上の位置を把握して、読取画像データ中の測色位置に相当する画像位置の画像信号値である測色対象読取画像信号値を取得する手段である。
【０４１４】
測色対象読取画像信号取得部２４２の機能は、図２で説明した測色位置対応付け部７０に含まれている。なお、図１７で説明した測色対象原稿画像信号取得部２４０の機能と図１９の測色対象読取画像信号取得部２４２の機能は、両者とも測色器３２で測色値を取得した色と対応付けされる画像信号である測色対象画像信号を取得する点で共通している。図１７で説明した測色対象原稿画像信号取得部２４０と図１９の測色対象読取画像信号取得部２４２とは、測色対象画像信号取得部として統合することができる。
【０４１５】
色変換テーブルデータベース２５０には、様々な色材や基材の組合せに対する複数のスキャナプロファイルが蓄積されている。また、色変換テーブルデータベース２５０には、過去に本システムで作成又は修正されたスキャナプロファイルを保存しておくことができる。色変換テーブルデータベース２５０には、印刷装置１８による印刷に使用することができる色材種と基材種の様々な組み合わせに対して、組み合わせごとの画像読取部３０からの読取信号と色度値の対応関係を表す色変換テーブルが格納されている。
【０４１６】
色変換テーブルデータベース２５０は、「第１の色変換テーブルとして適用できる複数の色変換テーブルが格納されている第１の色変換テーブルデータベース」に相当する。
【０４１７】
第１の色変換テーブル選択部２５２は、測色器３２から得られる測色値と、測色対象読取画像信号取得部２４２から得られる測色対象読取画像信号値とを基に、色変換テーブルデータベース２５０の中から適切なスキャナプロファイルを選択する処理を行う。
【０４１８】
第１の色変換テーブル補正部２５４は、色変換テーブルデータベース２５０から読み出されたスキャナプロファイルの色変換テーブルに対し、測色器３２から得られる測色値と、測色対象読取画像信号取得部２４２から得られる測色対象読取画像信号値とを基に、テーブル値を補正する処理を行う。なお、第１の色変換テーブル補正部２５４は、図２で説明した第１のプロファイル補正部７２に含まれるものである。
【０４１９】
第１の色変換テーブル選択部２５２による選択処理、及び第１の色変換テーブル補正部２５４による修正処理のうち少なくとも一方の処理を経て得られた第１の色変換テーブル６８Ａが第１の色変換部６４に適用される。
【０４２０】
［スキャナプロファイルの選択方法の例について］
第１の色変換テーブル選択部２５２は、次の処理を行う。
【０４２１】
測色した位置に対応する測色対象読取画像信号値、すなわち、ＲＧＢ値からスキャナプロファイルの色変換テーブルを参照して得られるＬａｂ値と、測色器３２で測色して得たＬａｂ値の色差を算出し、平均色差又は最大色差、若しくはその両方を算出する。
【０４２２】
このような処理を、予め用意した色変換テーブルデータベース２５０内のスキャナプロファイルのすべてに対して実施し、平均色差や最大色差が最も小さくなるスキャナプロファイルを、第１の色変換部６４で使用するスキャナプロファイルとして選択する。
【０４２３】
こうして選択されたスキャナプロファイルの色変換テーブルをそのまま第１の色変換部６４に適用してもよいし、当該スキャナプロファイルの色変換テーブルを第１の色変換テーブル補正部２５４にてさらに補正して、補正後の色変換テーブルを第１の色変換部６４に適用してもよい。
【０４２４】
［スキャナプロファイルの補正方法の第１例について］
次に、第１の色変換テーブル補正部２５４における補正方法の第１例について説明する。
【０４２５】
第１の色変換テーブル補正部２５４は、図３に示した第２の色変換テーブル作成部６６Ａに関する、実施例２として説明した色変換テーブルの修正方法と、同様の方法で色変換テーブルを直接的に補正する構成とすることができる。
【０４２６】
既述の実施例２では、原稿画像信号と色度値の対応関係データを用いて、既存の色変換テーブルの格子点の色度値を修正することで所望の色変換テーブルを得るものであった。
【０４２７】
これに対し、第１の色変換テーブル補正部２５４では、画像読取部３０から得られる読取画像信号と、測色値との対応関係データを用いて、既存のスキャナプロファイルの色変換テーブルにおける格子点の色度値を修正することで所望のスキャナプロファイルの色変換テーブルを得る。
【０４２８】
すなわち、測色値が存在する読取画像信号周囲の格子点について、つまり、印刷物上の平網部分で測色器による測色が可能であった読取画像信号周囲の格子点について、局所的に色度値を測定値に置換して、色変換テーブルを補正することができる。
【０４２９】
また、実施例２で説明した例と同様に、この補正後の色変換テーブルに対して、さらに、平滑化処理、又はスムージング処理を実施することも好ましい。
【０４３０】
［スキャナプロファイルの補正方法の第２例について］
次に、第１の色変換テーブル補正部２５４における補正方法の第２例について説明する。
【０４３１】
第１の色変換テーブル補正部２５４は、読取画像信号と測色値との対応が特定されている局所的な読取画像信号と測色値の対応関係データから画像読取部３０の色再現モデルを推定し、既存のスキャナプロファイルの色変換テーブル全体へ補正を行う構成とすることができる。
【０４３２】
例えば、画像読取部３０に用いられるスキャナの色再現モデルとして、以下のような３×３マトリクスとＲＧＢのガンマ値を想定する。３×３マトリクスは、ＲＧＢ原色のＸＹＺ値を成分とするマトリクスである。ガンマ値はＲＧＢ単色階調の非線形性を表す。ガンマ値はγ値と記載されることがある。
【０４３３】
【数４】
0006342824.tif 000005
【０４３４】
Ｒ、Ｇ、Ｂは、画像読取部３０のデバイス信号値、すなわち、読取画像信号値であり、画像読取部３０から得られる信号値を０又は１に規格化した値である。
【０４３５】
Ｘ、Ｙ、Ｚは、読取画像信号値に対応する測色値となる。色再現モデルのパラメータはＲ原色のＸＹＺ値（Ｘr，Ｙr，Ｚr）、Ｇ原色のＸＹＺ値(Ｘg，Ｙg，Ｚg)、Ｂ原色のＸＹＺ値（Ｘb，Ｙb，Ｚb）、ＲＧＢのγ値（γr，γg，γb）の合計１２個となる。
【０４３６】
測定点一つにつき読取画像信号値Ｒ、Ｇ、Ｂに対する測色値Ｘ、Ｙ、Ｚの正解値が得られるので方程式が三つ得られる。よって、現在の印刷物に対応した画像読取部３０の色再現モデルを求めるには、印刷物上の測定点を四つ以上用意すればよい。測定点を四つ以上用意することにより、方程式が１２個以上となり、これら方程式を連立して解くことで１２個の未知パラメータを求めることができる。なお、測定点が５点以上であれば最適化して解くことになる。
【０４３７】
既存の色変換テーブルも上記の色再現モデルに当てはめることができる。
【０４３８】
つまりＲ、Ｇ、Ｂの原色のＸＹＺ値及びＲＧＢ階調のγ値を色変換テーブルから取得すればよい。
【０４３９】
このようにして現在の印刷物に対応したスキャナの色再現モデルと既存の色変換テーブルに対応したスキャナの色再現モデルが得られる。
【０４４０】
色再現モデルが得られたら、既存の色変換テーブルの各格子点Ｒ、Ｇ、Ｂに対して以下のような補正をする。
【０４４１】
補正後色変換テーブル格子点ＸＹＺ値＝既存色変換テーブル格子点ＸＹＺ値＋（現在の印刷物に対するスキャナ色再現モデルのＸＹＺ値−既存色変換テーブルからのスキャナ色再現モデルのＸＹＺ値）
なお、推定した現在の印刷物に対応したモデルを利用して色変換テーブルを新たに作成してもよい。ただし、印刷物上の測色点数は少ないことが想定されるため、少ない情報に基づいて一から色変換テーブルを作成するよりは、既存の色変換テーブルの大局的な色再現特性をベースに色材や基材の違いによる微小なズレ分をモデルで推定して修正する方が精度がよいことが期待できる。
【０４４２】
図１９の例に限らず、図２０に示すように、図５で説明した第２の主要構成に対しても、図１９と同様に、測色器、測色対象読取画像信号取得部２４２、色変換テーブルデータベース２５０、第１の色変換テーブル選択部２５２、第１の色変換テーブル補正部２５４を追加することができる。
【０４４３】
図２０に示す構成においては、目標印刷物４２と印刷物５０で使用される色材や基材が異なる場合には、目標印刷物４２と印刷物５０のそれぞれで測色を実施し、目標印刷物読取画像信号と目標印刷物４２の測色値の関係から目標印刷物読取画像変換用のスキャナプロファイルを選択及びは補正の少なくともいずれかをし、かつ、印刷物読取画像信号と印刷物５０の測色値の関係から印刷物読取画像変換用のスキャナプロファイルを選択及び補正の少なくともいずれかをするのが好ましい。
【０４４４】
つまり、第１の色変換部６４において目標印刷物読取画像と印刷物読取画像の色変換では異なるスキャナプロファイルが使用される。
【０４４５】
＜測色値利用方法の第３例＞
図２１は、図１７で説明した構成の変形例を示すブロック図である。図２１に示す構成において、図１７で説明した構成の要素と同一又は類似する要素には同一の符号を付し、その説明は省略する。
【０４４６】
図２１に示す構成例では、図１７における色度値置換部７４に代えて、色変換テーブル修正部７６を備えている。図２１に示す構成例の場合、第２の色変換テーブル作成部６６Ａは、画像対応付け部６２及び第１の色変換部６４による処理が行われて作成された原稿画像信号と色度値の対応関係データを基に、一旦、暫定的な色変換テーブルを作成する。色変換テーブル修正部７６は、第２の色変換テーブル作成部６６Ａによって作成された暫定的な色変換テーブルと、測色器から取得される測色値であるＬａｂ値と、測色対象原稿画像信号取得部２４０から得られる測色対象原稿画像信号値であるＣＭＹＫ値とを基に、暫定的な色変換テーブルにおける色度値を、測色器で取得した測色値に置き換える修正処理を行う。色変換テーブル修正部７６による修正処理を経て、第２の色変換テーブル９２Ａが作成される。
【０４４７】
図２１に示す構成例によれば、第２の色変換テーブル作成部６６Ａによって暫定的に作成された色変換テーブルであるプロファイルを測色器の測色値で直接修正するため、測色器による測色値が色変換テーブルに対して高精度に反映される。
【０４４８】
図２２は、図１８で説明した構成の変形例を示すブロック図である。図２２に示す構成において、図１８で説明した構成の要素と同一又は類似する要素には同一の符号を付し、その説明は省略する。
【０４４９】
図２２に示す構成例では、図１８における色度値置換部７４に代えて、色変換テーブル修正部７６を備えている。図２２に示す構成例の場合、第３の色変換テーブル作成部１０２は、画像対応付け部６２及び第１の色変換部６４による処理を経て作成された原稿画像信号と目標印刷物の色度値の対応関係データ、並びに原稿画像データと印刷物の色度値の対応関係データを基に、一旦、暫定的な色変換テーブルを作成する。色変換テーブル修正部７６は、第３の色変換テーブル作成部１０２によって作成された暫定的な色変換テーブルと、測色器から取得される測色値であるＬａｂ値と、測色対象原稿画像信号取得部２４０から得られる測色対象原稿画像信号値であるＣＭＹＫ値とを基に、暫定的な色変換テーブルにおける色度値を測色器で取得した測色値に置き換える修正処理を行う。色変換テーブル修正部７６による修正処理を経て、色変換テーブル７７Ａが作成される。こうして得られた色変換テーブル７７Ａは第２の色変換部８０に用いられる。
【０４５０】
図２２に示す構成例によれば、第３の色変換テーブル作成部１０２によって作成された暫定的な色変換テーブルを測色器の測色値で直接修正するため、測色器による測色値が色変換テーブルに対して高精度に反映される。
【０４５１】
＜位置合わせ後の色抽出方法の具体例＞
ここで、原稿画像データと読取画像データの位置合わせを行った後の色抽出方法の具体例を説明する。
【０４５２】
図２で説明した画像対応付け部６２は、原稿画像データと読取画像データの位置合わせを行った後に、それぞれのデータから色情報を抽出する処理、すなわち、色抽出処理を行う。
【０４５３】
位置合わせ後の色抽出処理としては、原稿画像データと読取画像データとの対応する位置の画素単位で、つまり、ピクセルバイピクセルで、色情報としての画像信号値を取得する構成を採用することができるのは当然であるが、画素単位に限らず、画素の面積よりも大きな面積の単位領域から色情報を取得する構成を採用することができる。なお、ピクセルバイピクセルはpixel by pixelと記載されることがある。
【０４５４】
色抽出のための単位領域を構成する画素の数は、二以上任意の数に設定することができる。色抽出のための単位領域の形状や大きさは、様々な設計が可能である。
【０４５５】
色抽出に際しては、原稿画像データ上で単位領域のサイズの着目領域を設定し、抽出条件を満たす着目領域から色情報を抽出する構成とすることができる。以下、具体的な例で説明する。
【０４５６】
図２３は、原稿画像データと読取画像データの位置合わせを行った後に実施される色抽出方法の例を示すフローチャートである。図２３は、図６で説明したフローチャートにおけるステップＳ１２２とステップＳ１２４の間に追加することができる工程のフローチャートである。図６のステップＳ１２２の後に、図２３のステップＳ２０２に進む。
【０４５７】
まず、ステップＳ２０２において、原稿画像データに着目領域を設定する処理が行われる。着目領域は、色抽出処理の演算対象として着目する規定サイズの画像領域である。
【０４５８】
着目領域は、例えば、印刷物上で一辺が１ミリメートルの正方形領域とすることができる。着目領域のサイズや形状については、様々な設定が可能である。ここでは説明を簡単にするために、着目領域の形状は正方形であるとする。
【０４５９】
着目領域の面積は、読取画像データの一画素の面積よりも大きいことが好ましい。読取画像データの一画素の面積は、画像読取部３０の読取解像度から特定される。また、着目領域の面積の上限については、測色器のアパーチャーの面積と同等、又は、アパーチャーの面積よりもやや広い面積にすることが好ましい。
【０４６０】
着目領域の設定は、画像内における位置の指定をも含む。原稿画像データ上で着目領域の位置を順次移動させ、各位置における着目領域についてステップＳ２０４からステップＳ２１０までの処理が行われる。
【０４６１】
ステップＳ２０４では、原稿画像データにおける全エリアについて、着目領域の移動による走査を完了したか否か判定される。ステップＳ２０４にて、Ｎｏ判定であれば、ステップＳ２０６に進み、着目領域が第１の抽出条件を満たすか否かを判定する。ステップＳ２０６の処理は、「着目領域が第１の抽出条件を満たすか否かを判別する処理」に相当する。
【０４６２】
第１の抽出条件は、着目領域内における色の差が閾値以下であること、という条件を含むことが好ましい。本実施形態の場合、第１の抽出条件は、画像の着目領域内にエッジを含んでいないこと、かつ、着目領域内における色の差が閾値以下であること、という二つの条件要素を両方とも満たすことを要求する。
【０４６３】
着目領域内にエッジを含んでいないとは、着目領域内にエッジが非存在であることに相当する。着目領域内における色の差が閾値以下であるとは、着目領域内での色の差が、許容範囲として規定された第１の抽出用閾値以下であることに相当する。
【０４６４】
エッジは、画像中の濃淡、又は明るさや色が急激に変化している箇所を意味する。一般に、画像中の輪郭や線、異なる色の境界部分などは、濃淡や色が急激に変化するため、これらはエッジに該当する。
【０４６５】
第１の抽出条件は、「一様な領域」の定義に相当している。つまり、第１の抽出条件は、画像の注目領域内にエッジを含んでいないこと、かつ、着目領域内における色の差が閾値以下となる「一様な領域」を抽出するための条件である。「一様な領域」とは、領域内の色が一様である領域を意味している。「一様」という用語は、厳密に一定である場合に限らず、許容できるばらつきや誤差を含む意味で用いる。
【０４６６】
着目領域内における色の差についての許容範囲として定める第１の抽出用閾値は、例えば、ＣＭＹＫ値のばらつきの許容範囲としてデルタＣＭＹＫ値の値を定めておくことができる。また、第１の抽出用閾値は、Ｃ、Ｍ、Ｙ、Ｋの色ごとに、ばらつきの許容範囲としてデルタＣ値、デルタＭ値、デルタＹ値、デルタＫ値の各値を定めておくことも可能である。
【０４６７】
着目領域が第１の抽出条件を満たしている場合には、ステップＳ２０６でＹｅｓ判定となり、ステップＳ２０８に進む。
【０４６８】
ステップＳ２０８では、着目領域が第２の抽出条件を満たすか否かを判定する。
【０４６９】
第２の抽出条件は、第１の抽出条件を満たす着目領域に対応する位置の読取画像データにおける着目領域内に読取画像データが存在すること、かつ、当該対応する位置の読取画像データにおける着目領域内に読取画像の画像欠陥が存在しないこと、という二つの条件要素を両方とも満たすことを要求する。
【０４７０】
画像欠陥としては、読み取り対象印刷物のキズや、読み取り時に付着したゴミなどが該当する。画像欠陥が存在しないとは、画像欠陥が非存在であることに相当する。具体例として、キズ及びゴミが存在しないこと、すなわち、キズ及びゴミが非存在であることに相当する。読取画像の画像欠陥であるキズやゴミは、読取画像データにおける輝度の分散値が閾値以下であるか否かによって判断できる。つまり、着目領域内にキズやゴミが存在すると、その影響で輝度の分散値が大きくなる。輝度の分散値についての許容範囲として第２の抽出用閾値を規定しておき、着目領域について、輝度の分散値が第２の抽出用閾値以下となった場合は、キズやゴミによる影響がない一様な領域であると判断される。その一方、輝度の分散値が第２の抽出用閾値よりも大きい場合は、キズやゴミなどの存在が疑われるため一様な領域の対象外として抽出の処理から除外する。
【０４７１】
本実施形態では、第１の抽出条件を満たし、かつ、第２の抽出条件を満たす着目領域を一様な領域として抽出する。
【０４７２】
ステップＳ２０８でＹｅｓ判定となると、ステップＳ２１０に進む。ステップＳ２１０では、一様な領域であるとして判断された着目領域内の画像信号値と、これに対応する読取画像信号値とを抽出する処理が行われる。つまり、着目領域のサイズで一様な、又は均一な色が抽出される。
【０４７３】
ステップＳ２１０の後は、ステップＳ２０２に戻り、着目領域の位置を移動させて、ステップＳ２０２〜Ｓ２１０の処理を繰り返す。また、ステップＳ２０６でＮｏ判定の場合やステップＳ２０８でＮｏ判定の場合、いずれの場合もステップＳ２０２に戻る。
【０４７４】
着目領域の位置を変えて、画像内の全エリアの走査を完了すると、ステップＳ２０４でＹｅｓ判定となり、ステップＳ２１２に進む。
【０４７５】
ステップＳ２１２では、ステップＳ２１０で抽出した画像信号値と読取画像信号値との対応関係のデータを作成する。原稿の画像信号値はＣＭＹＫ値、読取画像信号値がＲＧＢ値であるとすると、ステップＳ２１２では、第１の抽出条件と第２の抽出条件を満たす一様な領域についてＣＭＹＫ−ＲＧＢの色情報の対応関係が得られることになる。ステップＳ２１２の処理は、「対応関係色情報抽出処理」に相当する。
【０４７６】
ステップＳ２１２の後は、図２３のフローチャートを抜け、図６で説明したステップＳ１２４に進む。
【０４７７】
なお、図２３のステップＳ２０８で説明した第２の抽出条件の判定処理については、省略する形態も可能である。キズやゴミによる影響を考慮せずに、ステップＳ２０６で第１の抽出条件を満たす場合に、ステップＳ２０６でＹｅｓ判定となり、ステップＳ２１０に進む形態も可能である。
【０４７８】
[着目領域の設定について]
着目領域の設定に関しては、サイズの異なる複数種類の着目領域を定めることができる。着目領域の規定サイズとして、面積の異なる２種類以上のサイズを定めておき、着目領域を面積順、又はサイズ順に段階的に設定することにより、画像内から面積順に、それぞれ一様な領域を抽出することもできる。
【０４７９】
例えば、着目領域の面積サイズとして、小、中、大の３種類を用意し、小面積の第１サイズ、中面積の第２サイズ、大面積の第３サイズの各サイズで、順番に図２３のフローチャートを実施して、各サイズの着目領域で色情報の抽出処理を行うことができる。
【０４８０】
着目領域のサイズが大きい場合には、画像内で相対的に大面積を占める色が抽出される。その一方、着目領域のサイズが小さい場合には、画像内で相対的に小面積を占める色が抽出される。画像内に占める面積が大きい色ほど、重要度の高い色であると考えることができるため、着目領域の大きさに応じて、色の重要度を示す重みを設定することができる。着目領域の面積順に色抽出を行うと、抽出された色に対する重み付けの処理が簡単である。ここでいう重みは、色変換テーブルとしてのプロファイルを作成する際の色合わせの優先度、又は重要度を示す値である。プロファイルの作成に際して、重みが大きい色を優先的に、その色の推定精度が高くなるように、プロファイルが作成される。
【０４８１】
また、着目領域の設定に際し、原稿画像データと読取画像データの位置合わせ精度が低い場合には、着目領域を大きい面積に設定することが好ましい。例えば、位置合わせ精度が低い場合には、着目領域を一辺が４ミリメートルの正方形に設定し、比較的大きな着目領域内で一様な領域のみを抽出する。
【０４８２】
位置合わせの精度を判断する手段として、図１に示した表示部３４の画面に、位置合わせ処理の結果としての原稿画像と読取画像を重ね表示する構成を採用することができる。重ね表示の方法としては、原稿画像及び読取画像のうち、一方の画像を透過画像にして、オーバーラップ表示とすることができる。このような重ね表示により、ユーザは原稿画像と読取画像の位置合わせの精度を目視で確認することができる。位置合わせ精度が低い場合に、着目領域の面積を大きい値に設定するというユーザ選択が可能となる。
【０４８３】
［色抽出処理の適用について］
図２３で説明した色抽出方法は、図３で説明した構成の画像対応付け部６２における色抽出方法として適用することができる。また、図２３で説明した色抽出方法は、図６で説明したフローチャートにおけるステップＳ１２３とステップＳ１２４との間に追加することもできる。図６のステップＳ１２３の後に、図２３のステップＳ２０２に進むことが可能である。
【０４８４】
また、図２３で説明した色抽出方法は、ステップＳ１３３とステップＳ１３４との間に追加することもできる。図６のステップＳ１３３の後に、図２３のステップＳ２０２に進むことが可能である。
【０４８５】
また、図２３で説明した色抽出方法は、図４で説明した構成の画像対応付け部６２における色抽出処理の方法としても適用することができる。すなわち、図４で説明したように、読取画像データに対して第１の色変換部６４による色変換処理を施して色度値に変換した読取色度値画像データを用いて、原稿画像データと読取色度値画像データの位置合わせを行った後の色抽出方法についても、図２３と同様の色抽出方法を適用することができる。この場合、読取画像データを読取色度値画像データに置き換え、ＲＧＢの信号値を色度値、すなわち、Ｌａｂ値に置き換えて理解すればよい。
【０４８６】
［具体的な印刷物の例による説明］
次に、図２３で説明した色抽出処理の具体的な例について、図２４から図２７を用いて説明する。
【０４８７】
図２４は原稿画像データ２６０に着目領域２６２を設定する処理の例を示す概念図である。図２４では図面記載の制約上、画像の色や濃淡を表現できていないが、実際には様々な色による濃淡のある画像内容となっている。図２５も同様である。
【０４８８】
原稿画像データ２６０は、図１で説明した原稿画像データ４０の具体例に該当する。図２４では、分かり易く図示するために、着目領域２６２としてサイズの大きなものを描いた。着目領域２６２のサイズの一例として、一辺が１ミリメートルの正方形とすることができる。図２４において、原稿画像データ２６０の左上隅に着目領域２６２の初期位置が設定されている。この初期位置から原稿画像データ２６０上で着目領域２６２の位置を順次移動させながら、各位置で図２３の処理を行い、原稿画像データ２６０の全エリアを走査する。
【０４８９】
図２４中の矢印と破線は、着目領域２６２の位置を順次移動させて、全エリアを走査する様子を概念的に示したものである。着目領域２６２を設定する各位置は、着目領域同士が重ならない非重複の位置とすることが好ましい。
【０４９０】
図２５は図２に示した画像読取部３０から得られる読取画像データの例である。図２５に示した読取画像データ２７０は、図２４に示した原稿画像データ２６０との位置合わせ処理が済んだ読取画像データである。読取画像データ２７０は、図２で説明した画像対応付け部６２によって原稿画像データ２６０との位置関係が対応付けられている。読取画像データ２７０は、図７で説明した対応付け済み読取画像データ１２２の具体例に該当する。
【０４９１】
図２５の読取画像データ２７０において符号２７２、２７３、２７４で示した黒塗領域は、読取画像データが存在しない領域を示している。図２５の読取画像データ２７０は、印刷物を図１に示した画像読取部３０で読み取る際に、印刷物を画像読取部３０の画像読取枠に対して斜めに配置して読み取りを行ったものとなっている。図２５の黒塗領域２７２、２７３、２７４は、このような印刷物の斜め配置に伴い、画像読取枠から外れた領域に相当している。
【０４９２】
画像読取部３０の画像読取枠に対して印刷物を斜めに配置した場合や、画像読取枠の大きさよりも印刷物が大きい場合などに、読取画像データが存在しない領域が発生する。
【０４９３】
図２６は、図２４に示した原稿画像データ２６０から第１の抽出条件を満たすものとして抽出される領域とその色の例である。図２６に示した正方形の各セルは、図２４で説明した着目領域２６２の各設定位置に対応している。図２３で説明したステップＳ２０６によって、図２６のように、着目領域２６２の面積を単位として、一様な色の領域が抽出される。なお、図２６において、着目領域から抽出される色は、図２４の原稿画像データ２６０の色と対応するものであるが、図面記載の制約上、色の対応関係を表現できていない。
【０４９４】
図２７は、図２４に示した原稿画像データ２６０から第１の抽出条件を満たし、かつ、第２の抽出条件を満たすものとして抽出された着目領域に対応する位置の読取画像データにおける領域から抽出される領域とその色の例である。なお、図２７において、着目領域の位置に対応する領域から抽出される色は、図２５の読取画像データ２７０の色と対応するものであるが、図面記載の制約上、色の対応関係を表現できていない。
【０４９５】
図２３のステップＳ２０８で説明した第２の抽出条件は、対応する読取画像データが存在すること、という条件を含んでいる。図２５において符号２７２、２７３、２７４で示した黒塗領域には読取画像データが存在しない。したがって、図２７において、例えば、符号２７６で示した領域のように、読取画像データが存在しない領域は、第２の抽出条件を満たさず、色の抽出が行われない。
【０４９６】
図２４から図２７に示したように、原稿画像データ２６０と読取画像データ２７０からそれぞれ対応する位置の着目領域の色情報が抽出されて、ＣＭＹＫ−ＲＧＢの対応関係データが得られる。
【０４９７】
［第１の抽出条件又は第２の抽出条件に追加できる付加的条件について］
図２３で説明した第１の抽出条件又は第２の抽出条件について、さらに「着目領域の周辺が着目領域の色と同じ色であること」という付加条件を追加する構成も可能である。
【０４９８】
図２８は、着目領域の周辺の領域を説明するために描いた説明図である。図２８は、原稿画像データの一部を拡大した図である。図２８では７×７個の着目領域の範囲を示した。
【０４９９】
着目領域の面積サイズで区画された格子領域をセルと呼ぶ。着目領域の周辺の領域が着目領域の色と同じ色であるという条件は、周辺の領域にエッジを含んだ領域である格子領域が存在しないこと、という条件と同等である。
【０５００】
ここでは、図２８の中央のＡを付したセルと、Ａを付したセルの周囲に接する８セルの９セルの領域は同一の色であるとする。また、周辺の領域として、着目領域に隣接する周囲８セルの範囲であるとする。この場合に、図２８の例では、Ａを付したセルが着目領域となった場合、Ａを付したセルの周囲に隣接する周辺の８セルがＡを付したセルと同じ色であるため、Ａを付したセルは、着目領域の周辺が着目領域の色と同じ色であることという条件を満たす領域として抽出される。
【０５０１】
なお、周辺の領域の定め方は、図２８の例に限らない、Ａを付したセルを囲む周囲８セルのうちの一部のみを周辺の領域と定めてもよいし、８セルのさらに外側に接する１６セルの一部又は全部を周辺の領域に加えてもよい。
【０５０２】
［抽出した色の重み付けの例について］
着目領域のサイズに応じて重みを設定する構成に代えて、又は、これと組み合わせて、次のような重みの設定方法を採用することができる。
【０５０３】
（例１）図２８で説明したように、着目領域の周辺の領域が着目領域の色と同じ色である場合に、その着目領域から抽出した色の重みを大きい値に設定する、という形態とすることができる。図２８の例では、Ａを付したセルから抽出した色の重みを大きくする。
【０５０４】
（例２）抽出した色の画像内に占める面積に応じて重みを設定してもよい。画像内に占める面積が大きい色ほど、重みを大きくすることができる。
【０５０５】
（例３）図２３で説明したフローチャートにしたがって抽出した色の出現頻度に応じて重みを設定してもよい。抽出した色の出現頻度が高いほど、重みを大きくすることができる。出現頻度は、同一色として抽出した着目領域の個数、又は点数で表すことができる。
【０５０６】
（例４）色の重要度に応じて、重みを設定する形態とすることができる。色の重要度は、予め設定しておくことができる。例えば、予め重要な色として記憶させておいた記憶色、特色、又はコーポレートカラーなどの重要色に対して、各色の重要度に応じた重みを定めておくことができる。
【０５０７】
記憶色には、任意の色を指定することができる。例えば、ペールオレンジ、緑色、及び青色のうち少なくとも一つの色を指定することができる。ユーザは、適宜のユーザインターフェースから重要色を指定することができ、各重要色に対する重みを指定することができる。ユーザが重みの値を直接的に指定してもよいし、重みと相関のある優先度を指定してもよい。優先度を指定する場合には、重みと優先度の対応関係が予め定められており、指定した優先度に応じた重みの値が特定される。また、重要色はデータベースに登録されていてもよい。
【０５０８】
（例５）測色器で測色した色の重みを大きくしてもよい。測色器によって測色した色は重要な色であると考えられ、得られた測色値の信頼性も高い。
【０５０９】
（例６）重みを下げる例として、ビジーな画像領域の中にある色の重みを下げることが考えられる。ビジーな画像領域であるか否かの判断方法については、例えば、隣接する単位領域内にエッジが含まれている場合に、ビジーな画像領域であると判断することができる。
【０５１０】
（例７）重みを下げる他の例として、画像濃度のシャドウ領域の重みを下げることが考えられる。シャドウ領域は、一般にスキャナの読取精度が低い。すなわち、シャドウ領域は読取画像で階調が潰れやすい。階調が潰れるとは、階調が十分に再現できないことを意味する。したがって、シャドウ領域から抽出された色は重みを下げる構成を採用することにより、色変換精度を高めることができる。
【０５１１】
使用する画像読取部３０の特性に基づいてシャドウ領域を特定することができる。つまり、使用する画像読取部３０の特性によって、階調が潰れるシャドウ領域を規定することができる。
【０５１２】
また、シャドウ領域における読取画像信号の精度が低いことから、シャドウ領域の色を抽出しない、という条件を第１の抽出条件又は第２の抽出条件に付加条件として追加する構成も可能である。また、シャドウ領域から抽出した色については、抽出結果から除外するという処理を採用することも可能である。
【０５１３】
（例８）重みを下げる他の例として、スキャナ読み取りの信頼性が低い領域から抽出した色の重みを小さくするか、又はスキャナ読み取りの信頼性が低い領域から色を抽出しない、としてもよい。スキャナ読み取りの信頼性が低い領域とは、読取画像信号の精度が低い領域を意味する。信頼性の低い領域は、具体的には、例えば、図１に示した画像読取部３０に用いるスキャナのスキャン面の周囲四辺の幅１センチメートルから数センチメートル程度の幅の領域のことを指す。
【０５１４】
図２９は、スキャナにおける読み取りの信頼性が低い領域の具体例を示す説明図である。図２９の符号２７８で示した四角形の最外縁がスキャナにおけるスキャン面の外縁を表しており、スキャン面の周囲四辺の各辺の外縁からそれぞれ内側に寸法ｄ1、ｄ2、ｄ3、及びｄ4の幅を有する領域２７９が信頼性の低い領域となっている。最も単純な例では、信頼性の低い領域２７９は、スキャン面における周囲四辺の一定幅の領域、つまり、ｄ1＝ｄ2＝ｄ3＝ｄ4とされる。また、他の例として、図２９における縦方向の辺に沿った領域の幅と、横方向の辺に沿った領域の幅とを変えてもよい。つまり、縦方向の辺に沿った領域の幅であるｄ1とｄ3は同じ値とし、かつ、横方向の辺に沿った領域の幅であるｄ2とｄ4は同じ値とし、かつ、縦方向の辺に沿った領域の幅と、横方向の辺に沿った領域の幅とは互いに異なる値、すなわち、ｄ1≠ｄ2とすることができる。
【０５１５】
スキャナの機種により、信頼性が低い領域は異なるため、スキャナの性能に応じて、領域２７９の幅を規定する各寸法ｄ1、ｄ2、ｄ3、及びｄ4を適宜設定するとよい。
【０５１６】
［重みの反映方法について］
次に、色変換テーブルの作成に際して重みを反映させる方法の例を説明する。図１０及び図１１で説明したように、原稿画像と読取色度値との対応関係である、ＣＭＹＫからＬａｂへの変換関係から色変換テーブルを作成する際に、格子点が取り合いになるケースがある。格子点が取り合いとは、例えば、図１０のＩＤ＝３とＩＤ＝４とで同じ格子点に、複数の色度値が対応しているような場合を意味する。図１０及び図１１で説明した実施例では、一つの格子点に複数の色度値が対応していた場合に、当該格子点の色度値は複数の色度値の単純平均になるため、絵柄の中に重要な色がある場合などであっても、色変換テーブルには、単なる平均値として反映される。つまり、重要な色であるか否かは区別されない。
【０５１７】
そこで、色変換テーブルの作成、又は修正に際して、重要な色という観点を加味し、色抽出の処理で抽出した色に対して、重要度に応じた重みを設定しておき、色変換テーブルのＬａｂ値を設定又は修正する場合に重みを反映する構成を採用する形態とすることができる。
【０５１８】
図１０及び図１１で説明した例に関して、さらに重みを反映させる例を図３０に示す。ＩＤ＝３とＩＤ＝４との単純平均Ｌａｂ値の場合、Ｌａｂ＝(７．１５，２．５，−２３)となる。
【０５１９】
その一方で、図３０に示す重みの設定を用いて、ＩＤ＝３とＩＤ＝４の重み付き平均Ｌａｂ値を計算すると、重み付き平均Ｌａｂ＝（ｗ3×Ｌａｂ3＋ｗ4×Ｌａｂ4）／（ｗ3＋ｗ4）＝(７．１１，７．８，−２０．５)となる。ｗ3はＩＤ＝３の重み係数を表し、Ｌａｂ3はＩＤ＝３のＬａｂ値を表す。ｗ4はＩＤ＝４の重み係数を表し、Ｌａｂ4はＩＤ＝４のＬａｂ値を表す。
【０５２０】
重み付き平均Ｌａｂ＝(７．１１，７．８，−２０．５)は、単純平均Ｌａｂ＝(７．１５，２．５，−２３)と比較して、ＩＤ＝３のＬａｂ値が優先されている。
【０５２１】
また、図１４で説明した差分Ｌａｂによって入力プロファイルの色変換テーブルを修正する場合についても同様に、差分の重み付き平均Ｌａｂ値を使用することができる。
【０５２２】
図３１は、図１４で説明した例に関して、さらに重みを反映させる例を示す。ＩＤ＝３とＩＤ＝４のそれぞれの差分Ｌａｂを基に、これらの単純平均値である単純平均差分Ｌａｂ値を計算すると、既述のとおり単純平均差分Ｌａｂ値＝（−０．５，０，−１）となる。
【０５２３】
これに対し、図３１に示す重みの設定を用いて、ＩＤ＝３とＩＤ＝４のそれぞれの差分Ｌａｂを基に、これらの重み付き平均値である重み付き平均差分Ｌａｂ値を計算すると、重み付き平均差分Ｌａｂ＝（ｗ3×ΔＬａｂ3＋ｗ4×ΔＬａｂ4）／（ｗ3＋ｗ4）＝(−０．１，−２．５，２．３)となる。ｗ3はＩＤ＝３の重み係数を表し、ΔＬａｂ3はＩＤ＝３の差分Ｌａｂ値を表す。ｗ4はＩＤ＝４の重み係数を表し、ΔＬａｂ4はＩＤ＝４の差分Ｌａｂ値を表す。
【０５２４】
重み付き平均差分Ｌａｂ＝(−０．１，−２．５，２．３)は、単純平均差分Ｌａｂ＝（−０．５，０，−１）と比較して、ＩＤ＝３の差分Ｌａｂが優先されている。
【０５２５】
［白色点の抽出について］
目標印刷物４２又は印刷物５０を画像読取部３０で読み取った際に、印刷画像における周囲の色の影響を受けて、読取画像における無印刷の白紙の領域に色が付くことがある。このため、周囲に色が隣接しない特定領域の白色を「紙白」として抽出することが好ましい。特定領域から抽出した紙白の情報は、プロファイルのタグ情報である白色点であるホワイトポイント、ｗｔｐｔに使用される。
【０５２６】
周囲に色が隣接しない領域から白色点の情報を取得する方法として、図２８で説明した着目領域の重み付けの場合と同様に、着目領域と同サイズの隣接するセル、又は格子領域が白色である場合の中心のセルである、符号Ａを付したセルの値を白色点として使用することができる。
【０５２７】
ただし、図２３から図３１で説明した色抽出処理と重み付けに関する処理に用いる着目領域に比べて、白色点を抽出する際の着目領域は、十分に大きいサイズであることが好ましい。図２３から図３１で説明した色抽出処理と重み付けに関する処理に用いる着目領域のサイズは概ね一辺が数ミリメートルの大きさであるのに対し、白色点の抽出に用いる着目領域のサイズは概ね一辺が数センチメートルの大きさとすることが好ましい。
【０５２８】
周囲に色が隣接しない領域から白色点の情報を取得する他の方法として、原稿画像データに含まれる複数の白色領域のうち、最大の面積となる白色領域、又は、最大の周囲長となる白色領域の重心に近い格子領域の平均値を白色点として使用することができる。重心に近い格子領域は、重心に最も近い格子領域とすることができる。
【０５２９】
図３２を用いて白色領域の重心の求め方を説明する。図３２では７×７個の格子領域（画素）の範囲が示されており、そのうち白色領域は、５×５個の格子領域（画素）の範囲であるとする。
【０５３０】
白色領域が合計ｎ画素のみで構成される場合において、各白色画素の画素位置を（Ｘi，Ｙi）で表すと、白色領域の重心位置は次の式で求めることができる。
【０５３１】
【数５】
0006342824.tif 000006
【０５３２】
白色点の抽出方法に関する他の例として、以下のような方法を採用してもよい。
【０５３３】
<他の例１>
スキャンの対象とする印刷物の全面に紙白相当部分が存在しない場合の対応方法として、代表的な用紙カテゴリーごと、又は個別の用紙銘柄ごとの紙白測色値を予め保持し、又は予め測色してデータベース化しておき、ユーザが対象印刷物と同じ用紙カテゴリー又は同じ用紙銘柄の紙白測色値を選択する構成とすることができる。代表的な用紙カテゴリーとして、例えば、グロスコート紙、マットコート紙、又は上質紙などがある。これら複数の用紙カテゴリーのそれぞれについて、紙白測色値を予め定めておくことができる。
【０５３４】
<他の例２>
印刷物に紙白部分が存在する場合には、印刷物から紙白を測色することができる。すなわち、測色器によって印刷物の紙白部分を測色することにより、紙白測色値を取得してもよい。又は印刷物と同じ用紙が手元にあれば、その用紙を測色して紙白測色値を取得してもよい。
【０５３５】
<他の例３>
読取画像全体から、すなわち、上記の周囲に色が隣接しない特定領域ではなく、紙白を自動抽出する構成を採用してもよい。例えば、原稿画像上で（Ｃ，Ｍ，Ｙ，Ｋ）＝（０，０，０，０）である全ての画素又は着目領域に対応する位置合わせ済み読取画像の読取画像信号値を抽出し、抽出した読取画像信号値のチャンネルごとの中央値を紙白情報として採用する。
【０５３６】
読取画像信号値がＲＧＢ値の場合は、Ｒ、Ｇ、Ｂの各チャンネルについて、チャンネルごとの中央値を求める。また、読取画像信号値として、ＲＧＢ値をスキャナプロファイルでＬａｂ値に変換済みであれば、Ｌ、ａ、ｂの各チャンネルについて、チャンネルごとの中央値を求める。こうして得られた読取画像信号値のチャンネルごとの中央値を紙白情報として採用することができる。なお、チャンネルごとの中央値の代わりに、チャンネルごとの平均値としてもよい。
【０５３７】
プロファイルのタグ情報である白色点ｗｔｐｔには、紙白のＸＹＺ値が使用される。つまり、上記のように取得した紙白情報又は紙白測色値は、ＸＹＺ値に変換して使用する。
【０５３８】
［第３の色変換テーブル作成部１０２によるフィードバック調整について］
図５で説明した第３の色変換テーブル作成部１０２は、原稿画像データ４０と目標印刷物４２の読取画像から作成したＣＭＹＫからＬａｂへの対応関係データと、実際の印刷物５０の読取画像と原稿画像データ４０から作成したＣＭＹＫからＬａｂへの対応関係データを基に、第２の色変換部８０における色変換テーブルを修正する役割を果たす。このような修正の処理を「フィードバック調整」と呼ぶ。
【０５３９】
図５で説明した構成の場合、第１のＣＭＹＫ−Ｌａｂデータである原稿画像データ４０と、目標印刷物４２の読取画像から作成したＣＭＹＫからＬａｂへの対応関係データを作成する処理と、第２のＣＭＹＫ−Ｌａｂデータである実際の印刷物５０の読取画像と原稿画像データ４０から作成したＣＭＹＫからＬａｂへの対応関係データを作成する処理とは、それぞれ独立に実施され、それぞれの処理において色抽出の処理も独立に実施される。したがって、第１のＣＭＹＫ−Ｌａｂデータと、第２のＣＭＹＫ−Ｌａｂデータとが必ずしも対応していない場合があり得る。
【０５４０】
そのため、第１のＣＭＹＫ−Ｌａｂデータと第２のＣＭＹＫ−Ｌａｂデータとが対応しているか否かを確認する処理を追加し、両者のデータのうち、ＣＭＹＫ値が一致するデータのみをフィードバック調整に使用する構成とする形態も好ましい。
【０５４１】
すなわち、第１のＣＭＹＫ−Ｌａｂデータの作成過程で抽出されたＣＭＹＫ−Ｌａｂ抽出データ群と、第２のＣＭＹＫ−Ｌａｂデータの作成過程で抽出されたＣＭＹＫ−Ｌａｂ抽出データ群のうち、ＣＭＹＫ値が一致するデータのみを抽出する抽出データ対応付け処理を行う構成とすることができる。
【０５４２】
抽出データ対応付け処理を行う処理部としての抽出データ対応付け処理部は、図５に示した第１の色変換部６４と第３の色変換テーブル作成部１０２の間、すなわち、第１の色変換部６４の後段、かつ、第３の色変換テーブル作成部１０２の前段に設けることができる。また、抽出データ対応付け処理部は、第３の色変換テーブル作成部１０２の機能の一部として搭載することができる。
【０５４３】
抽出データ対応付け処理の工程は、図６におけるステップＳ１４６の前処理として追加することができる。
【０５４４】
［位置合わせの演算負荷を軽減する方法について］
大サイズ画像、かつ、高解像度の画像は、位置合わせの処理を行う際に、演算負荷が大きく、大容量のメモリ領域を必要とする。したがって、演算負荷を軽減するために、原稿画像と読取画像の位置合わせの処理に際して、縮小画像による位置合わせの処理と、切り出し画像による位置合わせの処理の２回の処理に分けて位置合わせを行う構成を採用することができる。縮小画像は元の画像データを一定の割合で間引いて作成することができる。切り出し画像とは、元の画像の一部分を切り出した部分画像である。
【０５４５】
縮小画像による位置合わせ処理は、位置合わせの精度が低下するため、縮小画像による位置合わせの処理後に、元の画像の部分画像である切り出し画像によって精度の高い位置合わせを行う。このような段階的な位置合わせ処理を行うことにより、演算負荷を軽減することができる。
【０５４６】
また、元の画像を複数の画像領域に分割し、分割されたそれぞれの分割画像について、位置合わせの処理と、色抽出処理を行い、分割画像ごとに得られた結果を統合して、画像全体の情報を得るという構成も可能である。
【０５４７】
［表面加工への対応について］
例えば、包装や容器等に使用されるパッケージ印刷用の原稿画像データは、印刷用の画像内容を示すカラーデータ層と、印刷後の切断線を示すカットライン層と、印刷面の表面加工の内容を示す表面加工層と、を含んで構成される。一例として、アドビシステムズ社のAdobe illustrator（登録商標）のａｉ形式では一ファイルに、カラーデータ層とカットライン層と表面加工層とがレイヤーとして保持される。
【０５４８】
表面加工には、クリアインク及びニスの少なくともいずれか一方の付与によって印刷面上に保護膜を形成する加工が含まれる。カラーデータ層で特定されるＣＭＹＫ値が同じであっても、表面加工の有無によって異なる色に見える。すなわち、スキャナ等の画像読取部３０で読み取りを行った場合でも、表面加工の有無によって異なるＲＧＢ値が得られる。
【０５４９】
したがって、目標印刷物４２や印刷物５０の読取画像から色情報を得る際には、表面加工に関する情報を使用して色抽出を行うことが好ましい。
【０５５０】
表面加工に関する情報には、少なくとも表面加工の有無を特定する情報が含まれる。表面加工有りの情報、又は表面加工無しの情報のいずれかの情報を使用して色抽出を行う。
【０５５１】
具体的には次のような対応があり得る。
【０５５２】
（１）印刷面の全面が表面加工されている場合は、原稿画像データのカラーデータ層をそのまま使用することができる。
【０５５３】
（２）印刷面が部分的に表面加工されている場合には、次の二通りの対応があり得る。
【０５５４】
（２−１）表面加工が無い領域のカラーデータを使用して色抽出を行う。すなわち、カラーデータ層から、表面加工層とカラーデータ層との重複領域を除外したカラーデータを使用して色抽出を行う。
【０５５５】
（２−２）表面加工が有る領域のカラーデータを使用して色抽出を行う。すなわち、カラーデータ層と表面加工層との重複領域のカラーデータを使用して色抽出を行う。
【０５５６】
なお、上述した（２−１）、及び（２−２）のいずれの場合も、原稿画像データと読取画像データとの位置合わせの処理については、カラーデータ層全体を使用して位置合わせを行う。
【０５５７】
図３３はパッケージ印刷用の原稿画像データの例を示す模式図である。図３３（Ａ）はカラーデータ層のデータ例を示す図であり、図３３（Ｂ）は表面加工層のデータ例を示す図である。図３３（Ｃ）はカラーデータ層と表面加工層とを重ねた様子を示す図である。
【０５５８】
ここでは説明を簡単にするためにカットライン層の記載は省略した。なお、図３３（Ｃ）は、カラーデータに対して表面加工層のマスクを重ねたものと解釈できるため、図３３（Ｃ）について「マクス後のカラーデータ層」と表記した。
【０５５９】
図３３（Ｂ）における黒く塗り潰された黒塗り領域２８０は表面加工が行われる領域を示しており、本例では表面加工としてのクリアインクが付与される領域を示している。図３３（Ｂ）の黒く塗り潰されていない非黒塗り領域２８２は表面加工が行われない領域を示しており、本例では表面加工としてのクリアインクが付与されない領域である、クリアインク非付与領域を示している。
【０５６０】
図３４は、表面加工の有無を色抽出の条件に加えた色抽出処理のフローチャートである。図３４に示すフローチャートにおいて、図２３で説明したフローチャートで説明した工程と同一又は類似する工程には同一のステップ番号を付し、その説明は省略する。図２３で説明した色抽出処理に代えて、図３４に示す色抽出処理を採用することができる。
【０５６１】
図３４に示す色抽出処理のフローチャートでは、図２３で説明したステップＳ２０６とステップＳ２０８の間に、ステップＳ２０７が追加されている。ステップＳ２０７は第３の抽出条件を満たすか否かを判断する処理の工程である。
【０５６２】
第３の抽出条件は、表面加工の無い領域から色を抽出するか、それとも、表面加工の有る領域から色を抽出するかによって、次の二通りの条件設定である、条件設定１又は条件設定２が可能である。
【０５６３】
すなわち、第３の抽出条件の条件設定１として、表面加工が無い非表面加工領域であること、という条件を定めることができる。また、第３の抽出条件の条件設定２として、表面加工が有る表面加工領域であること、という条件を定めることができる。
【０５６４】
条件設定１と条件設定２とは、排他的選択によって設定される。条件設定１を採用するか、条件設定２を採用するかの選択は、ユーザがユーザインターフェースから指定する構成とすることができる。また、条件設定１を採用するか、条件設定２を採用するかの選択は、原稿画像データを解析して、表面加工を含むカラーデータの面積と、表面加工を含まないカラーデータの面積とのうち、面積の大きい方から色を抽出するように、条件設定１又は条件設定２を選択する、という自動選択処理を行う構成とすることができる。自動選択処理の機能は、図１で説明した画像処理部２４及び制御部２６の少なくともいずれか一方の機能として搭載することができる。
【０５６５】
第３の抽出条件が条件設定１に定められた場合、表面加工が無い領域が色抽出対象となる。図３３（Ｃ）の例では、黒塗り領域２８０以外の領域である非黒塗り領域２８２が色抽出対象となる。
【０５６６】
その一方、第３の抽出条件が条件設定２に定められた場合、表面加工が有る領域が色抽出対象となる。図３３（Ｃ）の例では、黒塗り領域２８０が色抽出対象となる。
【０５６７】
図３４に示すフローチャートによれば、第１の抽出条件、第３の抽出条件、及び第２の抽出条件をすべて満たす着目領域から色情報を取得される。
【０５６８】
なお、図３４のフローチャートにおけるステップＳ２０８の処理を省略する形態も可能である。
【０５６９】
［画像読取部にカメラを用いる場合について］
カメラを画像読取に使用する場合、印刷物上にあたる光のムラにより、読取画像にもムラが出る可能性がある。印刷物上にあたる光としては、環境光、若しくは、照明光、又は、これらの組み合わせがあり得る。このように印刷物上にあたる光のムラにより、カメラで取得する読取画像にムラが出る可能性があるという問題に対処するため、図１に示した画像読取部３０にカメラを利用する場合は、シェーディング補正を併せて実施することも好ましい。
【０５７０】
なお、カメラによって撮影して得られる撮影画像が読取画像に相当する。撮影という用語は撮像という用語と同義である。カメラは撮像素子としての二次元イメージセンサを有し、撮影した光学像を電子画像データに変換し、撮影画像を表すカラー画像としての撮影画像データを作成する。カメラの具体的な形態は特に限定されない。カメラは、二次元イメージセンサの受光面の各感光画素に対応してＲ、Ｇ、Ｂのカラーフィルタがモザイク状に配列された単板式の撮像装置であってもよいし、入射光をＲ、Ｇ、Ｂの色成分に分ける色分解光学系とＲ、Ｇ、Ｂの各チャンネルについて、チャンネルごとに二次元イメージセンサを備えた三板式の撮像装置であってもよい。
【０５７１】
シェーディング補正の一例として、例えば、次のような補正方法を採用することができる。なお、シェーディング補正方法は、以下に例示する方法に限らず、他の公知のシェーディング補正方法を使用してもよい。
【０５７２】
シェーディング補正方法の一例は、シェーディングデータを準備する工程と、シェーディングデータを利用してシェーディング補正を実施する工程と、を含む。
【０５７３】
（１）シェーディングデータ準備工程
シェーディングデータ準備工程では、まず、印刷物をカメラで撮影する際に対象の印刷物を置く位置である撮影対象物の設置位置に、印刷していない用紙を置き、この未印刷の用紙をカメラで撮影する。未印刷の用紙をカメラで撮影することによって得られた画像データである未印刷用紙撮影画像データから、当該未印刷用紙撮影画像データ中の輝度
最大値Ｌmaxを求める。そして、次式によってシェーディングデータＳＨＤ（ｘ，ｙ）を求める。
【０５７４】
ＳＨＤ（ｘ，ｙ）＝Ｌmax／Ｌ（ｘ，ｙ）
ここでｘ，ｙは画素の位置を表し、Ｌ（ｘ，ｙ）は、位置（ｘ，ｙ）の画素における輝度値を示す。
【０５７５】
（２）シェーディング補正実施工程
シェーディング補正実施工程では、印刷物をカメラで撮影して得られた画像データであるカメラ撮影画像データに対し、シェーディングデータＳＨＤ（ｘ，ｙ）を適用して、次式によってシェーディング補正を行う。
【０５７６】
Ｄout(ｘ，ｙ)＝ＳＨＤ（ｘ，ｙ）×Ｄin（ｘ，ｙ）
ここで、Ｄin（ｘ，ｙ）は入力画像データであり、印刷物をカメラで撮影して得られたカメラ撮影画像データを表す。
【０５７７】
Ｄout(ｘ，ｙ)は、シェーディング補正の出力画像データであり、カメラ撮影画像データに対するシェーディング補正後画像データを表す。
【０５７８】
未印刷用紙撮影画像データからシェーディングデータを作成する機能と、シェーディングデータを用いてカメラ撮影画像データのシェーディング補正を行う機能は、図１に示した画像処理部２４に搭載することができる。すなわち、画像処理部２４は、シェーディングデータ作成部とシェーディング補正部とを含む構成とすることができる。また、シェーディングデータの作成機能とシェーディング補正機能はカメラ内部の画像処理回路に搭載することも可能である。
【０５７９】
なお、スキャナの場合は、一般にスキャナの本体側でシェーディング補正を実施しているため、スキャンして得られた画像データに対して、別途シェーディング補正を行う必要はないと考えられる。
【０５８０】
［画像読取部にインラインセンサを用いる形態について］
図３５は本発明の他の実施形態に係る印刷システムの構成を示すブロック図である。図３５の構成において、図１で説明した構成と同一又は類似する要素には同一の符号を付し、その説明は省略する。
【０５８１】
図３５に示す印刷システム３１０は、目標印刷物４２を読み取る第１の画像読取部としての画像読取部３０Ａを備える。画像読取部３０Ａは、図１で説明した画像読取部３０と同等の構成であり、画像読取部３０Ａには、印刷装置１８とは別体のスキャナ、例えば、フラットベット型のスキャナなど、いわゆるオフラインで利用可能なオフラインスキャナ、又は、カメラを用いることができる。
【０５８２】
また、図３５の印刷システム３１０における印刷装置１８は、印刷物５０を読み取る第２の画像読取部としてのインラインセンサ３０Ｂを備えている。第２の画像読取部として機能するインラインセンサ３０Ｂは、印刷装置１８に組み込まれた、印刷装置内蔵型の画像読取装置である。例えば、印刷装置１８は、用紙搬送経路に画像読取用の撮像ユニットであるラインセンサが設置され、画像形成後の印刷物を搬送しながらラインセンサによって印刷画像を読み取る構成となっている。本例のインラインセンサ３０Ｂは、印刷装置１８の用紙搬送経路に設置される画像読取用のラインセンサである。すなわち、インラインセンサ３０Ｂは、用紙搬送方向と直交する紙幅方向について用紙上の紙幅分の画像を一度に、すなわち、一回の紙送りで読み取ることができる光電変換素子列である読取画素列を有しており、用紙搬送経路に設置される。なお、「インラインセンサ」という用語は、インラインスキャナと呼ばれる場合がある。
【０５８３】
インラインセンサ３０Ｂには、例えば、ＲＧＢ各色のチャンネルのＣＣＤラインセンサが並んだ３ＣＣＤカラーラインセンサなど、色分解可能な撮像デバイスが用いられる。このようなカラー撮像デバイスを用いることにより、印刷装置１８の印刷物５０から色の情報を読み取ることができる。なお、ＣＣＤはcharge-coupled deviceの省略語である。
【０５８４】
印刷装置１８の印刷部１６によって印刷された印刷物５０を一方向に搬送しながらインラインセンサ３０Ｂによって印刷物５０上の画像を読み取り、画像信号に変換する。こうしてインラインセンサ３０Ｂによって読み取られた読取画像の電子画像データが作成される。
【０５８５】
印刷装置１８にインラインセンサ３０Ｂが内蔵されている場合には、印刷装置１８で印刷された印刷物５０の読み取りに、印刷装置１８のインラインセンサ３０Ｂを使用することが可能である。この場合、インラインセンサ３０Ｂによって取得されるＲＧＢの信号値をデバイス非依存の信号値、例えば、Ｌａｂ値に変換するためにインラインセンサ３０Ｂのプロファイルを別途用意しておく必要がある。インラインセンサ３０Ｂによって取得された情報は画像処理部２４に送られる。
【０５８６】
図３６は、図５に代わるブロック図である。図３５で説明した印刷システム３１０の場合、図５に代わるブロック図は図３６となる。図３６において、図５で説明した構成と同一又は類似の構成には同一の符号を付し、その説明は省略する。
【０５８７】
図３６のように、目標印刷物４２は画像読取部３０Ａによって読み取りが行われる。一方、印刷装置１８で印刷された印刷物５０はインラインセンサ３０Ｂによって読み取りが行われる。インラインセンサ３０Ｂから得られた読取画像のＲＧＢ値は、第１の色変換部６４にて、インラインセンサ３０Ｂのプロファイルである第１の色変換テーブル６８Ｂを用いてＲＧＢ値からＬａｂ値に変換される。その他の構成は、図５で説明した例と同様である。
【０５８８】
図３５及び図３６に示したように、目標印刷物４２と印刷装置１８の印刷物５０のそれぞれの読み取りに、それぞれ異なる画像読取装置を利用することも可能である。すなわち、目標印刷物４２を読み取る画像読取部３０Ａと、印刷装置１８の印刷物５０を読み取るインラインセンサ３０Ｂとの組み合わせが全体として画像読取部に相当するものと理解することができる。
【０５８９】
図１８、図２０及び図２２で説明した構成における画像読取部３０についても、図３６と同様に、目標印刷物４２を読み取る画像読取部３０Ａと印刷物５０を読み取るインラインセンサ３０Ｂの組み合わせを採用することができる。
【０５９０】
さらに、印刷装置１８の印刷物５０の読み取りに用いる第２の画像読取部は、インラインセンサ３０Ｂに限らず、目標印刷物４２の読み取りに用いる第１の画像読取部と同様に、オフラインスキャナやカメラを用いることもできる。つまり、目標印刷物４２の読み取りに用いる第１の画像読取部と、印刷装置１８の印刷物の読み取りに用いる第２の画像読取部とは、それぞれ別々の装置構成であってもよいし、第１の画像読取部と第２の画像読取部の両者に兼用される単一の装置構成であってもよい。
【０５９１】
＜コンピュータを色変換テーブル作成装置として機能させるプログラムについて＞
上述の実施形態で説明した色変換テーブル作成装置として、コンピュータを機能させるためのプログラムをＣＤ−ＲＯＭや磁気ディスクその他のコンピュータ可読媒体、すなわち、有体物たる非一時的な情報記憶媒体に記録し、当該情報記憶媒体を通じて当該プログラムを提供することが可能である。なお、ＣＤ−ＲＯＭはCompact Disc read-only memoryの省略語である。このような情報記憶媒体にプログラムを記憶させて提供する態様に代えて、インターネットなどの通信ネットワークを利用してプログラム信号をダウンロードサービスとして提供することも可能である。
【０５９２】
また、このプログラムをコンピュータに組み込むことにより、コンピュータに色変換テーブル作成装置の各機能を実現させることができ、上述の実施形態で説明した色変換テーブルの作成や色変換の処理などを行うことができる。
【０５９３】
＜実施形態の変形例について＞
第１の主要構成及びその追加構成に関する構成例と、第２の主要構成及びその追加構成に関する構成例とは、適宜組み合わせることができる。
【０５９４】
＜他の実施形態について＞
図３８は本発明の他の実施形態に係る印刷システムのシステム構成を示すブロック図である。なお、図３８中、図２で説明した要素と同一の要素には同一の符号を付した。
【０５９５】
図３８に示した他の実施形態に係る印刷システム１０Ａは、図２に示した印刷システム１０Ａに対して第４の低解像度画像作成部６３Ｄ、及び第５の低解像度画像作成部６３Ｅが追加されている。
【０５９６】
第４の低解像度画像作成部６３Ｄは第２の解像度を有する原稿画像データ４０に低解像度化処理を施す。第４の低解像度画像作成部６３Ｄによる低解像度化処理によって第２の解像度を有する原稿画像データ４０は、第６の解像度に低解像度化される。第６の解像度は第２の解像度未満であり第４の解像度を超える解像度である。換言すると、第４の解像度は第６の解像度未満の解像度である。第６の解像度を有する原稿画像データは中間解像度原稿画像データに相当する。第４の低解像度画像作成部６３Ｄによる低解像度化処理は第４の低解像度画像作成工程に相当する。第４の低解像度画像作成部６３Ｄの機能は第４の低解像度画像作成機能に相当する。
【０５９７】
第５の低解像度画像作成部６３Ｅは第１の解像度を有する読取画像データに低解像度化処理を施す。第５の低解像度画像作成部６３Ｅによる低解像度化処理によって第１の解像度を有する読取画像データは、第５の解像度に低解像度化される。第５の解像度は第１の解像度未満であり第３の解像度を超える解像度である。換言すると、第３の解像度は第５の解像度未満の解像度である。第５の解像度を有する目標印刷物の読取画像データは中間解像度目標印刷物読取画像データ、中間解像度目標印刷物読取色度値画像データに相当する。第５の解像度を有する印刷物の読取画像データは中間解像度印刷物読取画像データ、中間解像度印刷物読取色度値画像データに相当する。第５の低解像度画像作成部６３Ｅによる低解像度化処理は第３の低解像度画像作成工程、及び第５の低解像度画像作成工程に相当する。第５の低解像度画像作成部６３Ｅの機能は第５の低解像度画像作成機能に相当する。
【０５９８】
第５の解像度の一例として第１の解像度の二分の一の解像度が挙げられる。第１の解像度が６００ドット毎インチの場合、第５の解像度として３００ドット毎インチを採用することができる。
【０５９９】
第６の解像度の一例として第２の解像度の二分の一の解像度が挙げられる。第２の解像度が６００ドット毎インチの場合、第６の解像度として３００ドット毎インチを採用することができる。
【０６００】
図３８に示す印刷システム１０Ａは、画像位置合わせ部６２Ａによる位置合わせ処理対象の原稿画像データ４０のデータサイズ、及び画像読取部３０から得られた読取画像データのデータサイズを小さくすることで、画像位置合わせ部６２Ａによる位置合わせにおける演算負荷が削減される。図３８に示す印刷システム１０Ａにおいても、第２の色変換部８０は、原稿画像データ４０を原稿画像データ４０が有する解像度と同一の解像度を有する印刷画像データに変換してもよいし、原稿画像データ４０を原稿画像データ４０が有する解像度と異なる解像度を有する印刷画像データに変換してもよい。
【０６０１】
画像読取部３０には、読取解像度を可変設定できるスキャナを用いることができる。スキャナの特性として、読取解像度によっては読取画像にモアレが発生するなど信頼性が低くなる場合がある。信頼性の高い読取解像度は、使用するスキャナの光学系に依存する。したがって、画像読取部３０の読取解像度については、事前にスキャナの特性を把握し、信頼性の高い解像度を選定することが望ましい。例えば、線数メーターのような周波数特性把握チャートを用いて読取解像度と印刷線数の干渉で起こるモアレの特性を予め把握しておき、読取解像度と信頼度の対応関係から、信頼度の高い読取解像度を選定する。
【０６０２】
第５の解像度は、印刷線数の二倍程度であることが好ましい。一般的な印刷物の印刷線数は１５０ライン毎インチ以上１７５ライン毎インチ以下である。したがって、第５の解像度は、３００ドット毎インチ以上３５０ドット毎インチ以下程度とすることが好ましい。
【０６０３】
次に示す[表１]は、一般的な印刷物のスキャナ読取時におけるスキャナの読取解像度とモアレの発生等に関するメリット、及びデメリットの例を示した図表である。［表１］に示す関係は、一般的な傾向として把握される。
【０６０４】
【表１】
0006342824.tif 000007
【０６０５】
また、次に示す［表２］は、画像読取部３０に用いたスキャナの読取解像度と信頼度、すなわち、モアレの発生特性の関係の例を示した図表である。なお、［表２］に示す信頼度は、スキャナの使用機種によって変化するものであり、［表２］に示す関係に限定されない。
【０６０６】
【表２】
0006342824.tif 000008
【０６０７】
［表２］中の信頼度の評価は次のとおりである。
【０６０８】
「Ｂ」は、指定読取解像度以外でも周波数特性把握チャートでモアレが発生する。
【０６０９】
「Ａ」は、指定読取解像度以外は周波数特性把握チャートでほぼモアレが発生しない。
【０６１０】
「ＡＡ」は、指定読取解像度以外は周波数特性把握チャートでモアレが発生しない。
【０６１１】
なお、［表２］では１２００ドット毎インチが光学解像度の上限のときの関係を示したものとなっているが、使用するスキャナの機種に応じて、その使用機種の光学解像度上限まで指定解像度と信頼度の対応関係を得ていることが望ましい。
【０６１２】
［表１］及び［表２］に示す条件を考慮して、本実施形態では、具体的な数値例として、画像読取部３０の読取解像度を６００ドット毎インチに設定し、第１の解像度は読取解像度と同等の６００ドット毎インチとし、第５の解像度は３００ドット毎インチとする。
【０６１３】
第６の解像度は、与えられる原稿画像データ４０に依存しており、様々な値が想定される。第６の解像度は、第５の解像度に合わせることができる。また、第６の解像度が、一般的な印刷用の原稿の解像度である３００ドット毎インチ以上３５０ドット毎インチ以下程度である場合は、第６の解像度を、この第５の解像度に合致させることが好ましい。
【０６１４】
第６の解像度が一般的な印刷用の原稿の解像度である３００ドット毎インチ以上３５０ドット毎インチ以下程度であり、かつ、第５の解像度が第６の解像度と同等である場合などには、第５の低解像度画像作成部６３Ｅによる処理を省略することができる。つまり、第６の解像度が第５の解像度と同等、又は同程度である場合は第５の低解像度画像作成部６３Ｅを省略する構成も可能である。同程度とは、完全に一致しないまでも、画像対応付け部６２における画像位置の対応付けの精度が許容可能な範囲に収まる解像度の違いを含む。
【０６１５】
本実施形態では、具体的な数値例として、原稿画像データ４０の解像度である第２の解像度が６００ドット毎インチであり、第５の解像度が第６の解像度と同等の３００ドット毎インチである。
【０６１６】
なお、第１の解像度と第２の解像度が同等であり、かつ第５の解像度と第６の解像度とが同等である場合は、第５の低解像度画像作成部６３Ｅと第４の低解像度画像作成部６３Ｄの処理を共通化して、同一の処理で低解像度変換する構成とすることができる。
【０６１７】
本実施形態において、先に説明した実施形態における図３７に示した第１の色情報間対応関係作成部８５Ａ、第２の色情報間対応関係作成部８５Ｂ、第３の色情報間対応関係作成部８５Ｃは、それぞれ第４の色情報間対応関係作成部、第５の色情報間対応関係作成部、第６の色情報間対応関係作成部となる。
【０６１８】
第４の色情報間対応関係作成部は、第４の色情報間対応関係作成工程、及び第４の色情報間対応関係作成機能に相当する。第５の色情報間対応関係作成部は、第５の色情報間対応関係作成工程、及び第５の色情報間対応関係作成機能に相当する。第６の色情報間対応関係作成部は、第６の色情報間対応関係作成工程、及び第６の色情報間対応関係作成機能に相当する。
【０６１９】
また、先に説明した実施形態における第１の色情報間対応関係、第２の色情報対応関係、及び第３の色情報対応関係は、本実施形態では第４の色情報間対応関係、第６の色情報対応関係、及び第６の色情報対応関係となる。
【０６２０】
また、先に説明した実施形態と本実施形態とは、適宜組み合わせることが可能である。
【０６２１】
＜実施形態の利点＞
（１）実施形態に係る色変換テーブル作成装置、方法、及びプログラムは、第１の主要構成、及び第２の主要構成において、異なる解像度の色情報を利用して色変換テーブルを作成するため、低解像度の色情報から平均的に色を合わせ、高解像度の色情報により高精度に色を合わせることができる。
【０６２２】
（２）他の実施形態に係る色変換テーブル作成装置、方法、及びプログラムは、中間解像度として、第１の解像度未満であり第３の解像度を超える第５の解像度、及び第２の解像度未満であり第４の解像度を超える第６の解像度を採用し、第６の解像度を有する原稿画像データ、第５の解像度を有する目標印刷物の読取画像データ、第５の解像度を有する印刷物の読取画像データを用いることで、画像読取部により得られた目標印刷物の読取画像データ、及び印刷物の読取画像データのデータサイズが大きい場合でも、位置合わせの演算負荷を低減化させることが可能となる。
【０６２３】
（３）第１の主要構成によれば、目標印刷物４２を画像読取部３０で読み取って色度値を取得し、目標印刷物４２から目標プロファイルの色変換テーブル（第２の色変換テーブル９２Ａ）を作成できる。すなわち、印刷物５０の印刷と印刷物５０の読み取り作業を実施することなく、原稿画像データ４０と目標印刷物４２の読取画像データに基づいて、目標プロファイルの色変換テーブルを作成することができる。
【０６２４】
第１の主要構成によれば、目標プロファイルを作成する際に、印刷装置１８による印刷やその印刷物を読み取るなどの作業の手間がかからない。
【０６２５】
（４）第２の主要構成によれば、目標印刷物４２を画像読取部３０で読み取って取得した目標印刷物の色度値と、仮の入力色変換テーブルを用いて色変換して印刷した印刷物を画像読取部３０で読み取って取得した印刷物の色度値と、に基づき、暫定的な入力色変換テーブルを補正、若しくは出力色変換テーブルを補正、又は色補正テーブルを作成することができる。これにより、第２の色変換部８０に適用する色変換テーブルをより一層適切なものにすることができ、色変換の精度を向上させることができる。
【０６２６】
さらに、かかる処理を繰り返すことで、印刷物の色を目標印刷物４２の色に一層近づけることが可能になる。
【０６２７】
また、第２の主要構成によれば、目標印刷物４２を画像読取部３０Ａで読み取って取得した目標印刷物の色度値と、仮の入力色変換テーブルを用いて色変換して印刷した印刷物をインラインセンサ３０Ｂで読み取って取得した印刷物の色度値と、に基づき、暫定的な入力色変換テーブルを補正、若しくは出力色変換テーブルを補正、又は色補正テーブルを作成することができる。これにより、第２の色変換部８０に適用する色変換テーブルをより一層適切なものにすることができ、色変換の精度を向上させることができる。
【０６２８】
さらに、かかる処理を繰り返すことで、印刷物の色を目標印刷物４２の色に一層近づけることが可能になる。
【０６２９】
（５）第１の主要構成によって作成した第２の色変換テーブル９２Ａを、第２の主要構成における初回の入力色変換テーブルとして用いることで、初回の印刷での色再現の精度が最適化され、色合わせの収束が速くなる。
【０６３０】
（６）原稿画像データ４０と対応する色度値の多次元の対応関係を表す色変換テーブルを作成して、目標印刷物と印刷物との色を合わせるため、従来の方法に比べて、色補正の自由度が高く、より高精度な色補正（色合わせ）が可能となる。目標印刷物を出力した印刷装置と、印刷物５０の印刷に用いる印刷装置１８との色再現特性が大きく異なる場合であっても、十分な色合わせ精度が得られる。
【０６３１】
（７）原稿対応画像抜き出し部１３０を含んだ画像対応付け部６２を採用することにより、原稿画像データ４０と目標印刷物４２の印刷画像とが一対一に対応しない場合でも色合わせを実施可能となる。
【０６３２】
（８）測色器を併用する構成を採用することで、画像読取部３０を介して取得する色度値の測定の誤差を低減し、色合わせ精度を向上させることができる。
【０６３３】
（９）色再現目標が現物の印刷物（目標印刷物）で指定されている場合でも、適切な色変換テーブルを作成することができ、ＩＣＣプロファイルを利用したカラーマネージメントが可能となる。また、目標印刷物に対する色合わせ工程を効率化できる。
【０６３４】
本実施形態に示した色変換テーブル作成装置に基づき、色変換テーブル作成方法、及び色変換テーブル作成プログラムを構成することが可能である。すなわち、本実施形態に示した色変換テーブル作成装置の各部に相当する工程を含む色変換テーブル作成方法、本実施形態に示した色変換テーブル作成装置の各部に相当する機能をコンピュータに実行させる色変換テーブル作成プログラムを構成することができる。
【０６３５】
以上説明した本発明の実施形態は、本発明の趣旨を逸脱しない範囲で、適宜構成要件を変更、追加、削除することが可能である。本発明は以上説明した実施形態に限定されるものでは無く、本発明の技術的思想内で当該分野の通常の知識を有するものにより、多くの変形が可能である。
【符号の説明】
【０６３６】
１０…印刷システム、１２…画像編集装置、１８…印刷装置、２０…画像データ入力部、２４…画像処理部、２６…制御部、３０…画像読取部、３０Ａ…画像読取部、３０Ｂ…インラインセンサ、３２…測色器、３４…表示部、３６…入力装置、４０…原稿画像データ、４２…目標印刷物、５０…印刷物、６１…第２の低解像度画像作成部、６２…画像対応付け部、６２Ａ…画像位置合わせ部、６２Ｂ…第１の色抽出部、６２Ｃ…第２の色抽出部、６３Ａ…第１の低解像度画像作成部、６３Ｂ…第２の低解像度画像作成部、６３Ｄ…第４の低解像度画像作成部、６３Ｅ…第５の低解像度画像作成部、６４…第１の色変換部、６６…目標プロファイル作成部、６６Ａ…第２の色変換テーブル作成部、６８Ａ，６８Ｂ…第１の色変換テーブル、７０…測色位置対応付け部、７２…第１のプロファイル補正部、７４…色度値置換部、８０…第２の色変換部、８２…第２のプロファイル補正部、８４…差分色度値演算部、８５…色変換データ作成部、８５Ａ…第１の色情報間対応関係作成部、８５Ｂ…第２の色情報間対応関係作成部、８５Ｃ…第３の色情報間対応関係作成部、１０２…第３の色変換テーブル作成部、１２０…読取画像データ、１３０…原稿対応画像抜き出し部、１４０…読取原画像データ、１６０…色変換テーブルデータベース、１６２…入力色変換テーブル選択部、１６６…入力プロファイルの色変換テーブル、１６８…出力プロファイルの色変換テーブル、１７０…印刷画像データ、２４０…測色対象原稿画像信号取得部、２４２…測色対象読取画像信号取得部、２５０…色変換テーブルデータベース、２５２…第１の色変換テーブル選択部、２５４…第１の色変換テーブル補正部、３１０…印刷システム
【図１】
0006342824.tif 000009
【図２】
0006342824.tif 000010
【図３】
0006342824.tif 000011
【図４】
0006342824.tif 000012
【図５】
0006342824.tif 000013
【図６】
0006342824.tif 000014
【図７】
0006342824.tif 000015
【図８】
0006342824.tif 000016
【図９】
0006342824.tif 000017
【図１０】
0006342824.tif 000018
【図１１】
0006342824.tif 000019
【図１２】
0006342824.tif 000020
【図１３】
0006342824.tif 000021
【図１４】
0006342824.tif 000022
【図１５】
0006342824.tif 000023
【図１６】
0006342824.tif 000024
【図１７】
0006342824.tif 000025
【図１８】
0006342824.tif 000026
【図１９】
0006342824.tif 000027
【図２０】
0006342824.tif 000028
【図２１】
0006342824.tif 000029
【図２２】
0006342824.tif 000030
【図２３】
0006342824.tif 000031
【図２４】
0006342824.tif 000032
【図２５】
0006342824.tif 000033
【図２６】
0006342824.tif 000034
【図２７】
0006342824.tif 000035
【図２８】
0006342824.tif 000036
【図２９】
0006342824.tif 000037
【図３０】
0006342824.tif 000038
【図３１】
0006342824.tif 000039
【図３２】
0006342824.tif 000040
【図３３】
0006342824.tif 000041
【図３４】
0006342824.tif 000042
【図３５】
0006342824.tif 000043
【図３６】
0006342824.tif 000044
【図３７】
0006342824.tif 000045
【図３８】
0006342824.tif 000046